(57)【特許請求の範囲】
【請求項１】
番組を映出する映像表示手段と、
前記映像表示手段によって既に映出された番組について、少なくとも番組の番組名を表す番組名情報を含む番組に関する情報を記録する番組関連情報記録手段と、
今後放送予定の番組について、少なくとも番組の番組名を表す番組名情報と番組の放映日時を表す放映日時情報とを含む番組に関する情報を記録しておく記録手段と、
前記映像表示手段に映出された番組について、前記番組関連情報記録手段に記録された番組に関する情報の番組名情報を読み出す読み出し手段と、
前記読み出された番組名情報に基づいて番組名毎に出現頻度を計数する計数手段と、
前記計数手段により計数された番組名の出現頻度に基づいて前記番組に関する情報のうち少なくとも番組名情報を表示させる表示手段と、
前記記録手段に記録された今後放送予定の番組に関する情報から放映日時情報を参照して、前記出現頻度を計数された番組と同一の番組の現在日時から放映予定日時までの予定経過時間を求める手段と、
求められた予定経過時間を基にして、当該番組について、予定経過時間が短いほど値が大きくなる特性を有する重みを求める手段とを備え、
前記計数手段は、前記重みを加味して、番組名毎に出現頻度の計数を行うことを特徴とする視聴装置。
【請求項２】
番組を映出する映像表示手段と、
前記映像表示手段によって既に映出された番組について、少なくとも番組の出演者を表す出演者情報を含む番組に関する情報を記録する番組関連情報記録手段と、
今後放送予定の番組について、少なくとも番組の出演者を表す出演者情報と番組の放映日時を表す放映日時情報とを含む番組に関する情報を記録しておく記録手段と、
前記映像表示手段に映出された番組について、前記番組関連情報記録手段に記録された番組に関する情報の出演者情報を読み出す読み出し手段と、
前記読み出された出演者情報に基づいて出演者毎に出現頻度を計数する計数手段と、
前記計数手段により計数された出演者の出現頻度に基づいて前記番組に関する情報のうち少なくとも出演者情報を表示させる表示手段と、
前記記録手段に記録された今後放送予定の番組に関する情報から放映日時情報を参照して、前記出現頻度を計数された出演者の番組と同一の番組の現在日時から放映予定日時までの予定経過時間を求める手段と、
求められた予定経過時間を基にして、当該番組について、予定経過時間が短いほど値が大きくなる特性を有する重みを求める手段とを備え、
前記計数手段は、前記重みを加味して、出演者毎に出現頻度の計数を行うことを特徴とする視聴装置。
【請求項３】
番組を映出する映像表示手段と、
前記映像表示手段によって既に映出された番組について、少なくとも番組内容の概要を表す番組内容情報を含む番組に関する情報を記録する番組関連情報記録手段と、
今後放送予定の番組について、少なくとも番組内容の概要を表す番組内容情報と番組の放映日時を表す放映日時情報とを含む番組に関する情報を記録しておく記録手段と、
前記映像表示手段に映出された番組について、前記番組関連情報記録手段に記録された番組に関する情報の番組内容情報を読み出す読み出し手段と、
前記読み出された番組内容情報において、キーワードを切り出し、そのキーワードの出現頻度を計数する計数手段と、
前記計数手段により計数されたキーワードの出現頻度に基づいて前記番組に関する情報のうち少なくとも番組内容情報から切り出されたキーワードを表示させる表示手段と、
前記記録手段に記録された今後放送予定の番組に関する情報から放映日時情報を参照して、前記出現頻度を計数されたキーワードの番組と同一の番組の現在日時から放映予定日時までの予定経過時間を求める手段と、
求められた予定経過時間を基にして、当該番組について、予定経過時間が短いほど値が大きくなる特性を有する重みを求める手段とを備え、
前記計数手段は、前記重みを加味して、キーワード毎に出現頻度の計数を行うことを特徴とする視聴装置。
【請求項４】
番組を映出する映像表示手段と、
前記映像表示手段によって既に映出された番組について、少なくとも番組の番組名を表す番組名情報を含む番組に関する情報を記録する番組関連情報記録手段と、
番組の所定期間内の放映回数が特定できる情報を含む番組に関する情報を記録しておく記録手段と、
前記映像表示手段に映出された番組について、前記番組関連情報記録手段に記録された番組に関する情報から番組名情報を読み出す読み出し手段と、
読み出された番組名情報の出現頻度を計数する計数手段と、
前記計数手段により計数された出現頻度に基づいて前記番組に関する情報の番組名情報を表示させる表示手段と、
前記記録手段に記録された放映回数が特定できる情報から、前記映像表示手段に映出された番組の所定期間内の放映回数を得る手段と、
得られた放映回数に基づいて、当該番組について、所定期間内の放映回数が多いほど値が小さくなる特性を有する重みを求める手段とを備え、
前記計数手段は、前記重みを加味して、番組名毎に出現頻度の計数を行うことを特徴とする視聴装置。
【請求項５】
番組を映出する映像表示手段と、
前記映像表示手段によって既に映出された番組について、少なくとも番組の出演者を表す出演者情報を含む番組に関する情報を記録する番組関連情報記録手段と、
番組の所定期間内の放映回数が特定できる情報を含む番組に関する情報を記録しておく記録手段と、
前記映像表示手段に映出された番組について、前記番組関連情報記録手段に記録された番組に関する情報から出演者情報を読み出す読み出し手段と、
読み出された出演者情報の出現頻度を計数する計数手段と、
前記計数手段により計数された出現頻度に基づいて前記番組に関する情報の出演者情報を表示させる表示手段と、
前記記録手段に記録された放映回数が特定できる情報から、前記映像表示手段に映出された番組の所定期間内の放映回数を得る手段と、
得られた放映回数に基づいて、当該番組について、所定期間内の放映回数が多いほど値が小さくなる特性を有する重みを求める手段とを備え、
前記計数手段は、前記重みを加味して、出演者毎に出現頻度の計数を行うことを特徴とする視聴装置。
【請求項６】
番組を映出する映像表示手段と、
前記映像表示手段によって既に映出された番組について、少なくとも番組内容の概要を表す番組内容情報を含む番組に関する情報を記録する番組関連情報記録手段と、
番組の所定期間内の放映回数が特定できる情報を含む番組に関する情報を記録しておく記録手段と、
前記映像表示手段に映出された番組について、前記番組関連情報記録手段に記録された番組に関する情報から番組関連情報を読み出す読み出し手段と、
読み出された番組内容情報から切り出されたキーワードのいずれかの出現頻度を計数する計数手段と、
前記計数手段により計数された出現頻度に基づいて前記番組に関する情報の番組内容情報から切り出されたキーワードを表示させる表示手段と、
前記記録手段に記録された放映回数が特定できる情報から、前記映像表示手段に映出された番組の所定期間内の放映回数を得る手段と、
得られた放映回数に基づいて、当該番組について、所定期間内の放映回数が多いほど値が小さくなる特性を有する重みを求める手段とを備え、
前記計数手段は、前記重みを加味して、番組内容情報から切り出されたキーワード毎に出現頻度の計数を行うことを特徴とする視聴装置。
【請求項７】
番組を映出する映像表示手段と、
前記映像表示手段によって既に映出された番組について、少なくとも番組の番組名を表す番組名情報を含む番組に関連する情報を記録する番組関連情報記録手段と、
番組の初回放送の日時から現在日時までの経過時間、または再放送回数のいずれかが特定できる情報を含む番組に関する情報を記録しておく記録手段と、
前記映像表示手段に映出された番組について、前記番組関連情報記録手段に記録された番組に関する情報から番組名情報を読み出す読み出し手段と、
読み出された番組名情報の出現頻度を計数する計数手段と、
前記計数手段により計数された出現頻度に基づいて前記番組に関する情報の番組名情報を表示させる表示手段と、
前記記録手段に記録された初回放送の日時から現在日時までの経過時間、または再放送回数のいずれかが特定できる情報から、前記映像表示手段に映出された番組の初回放送の日時から現在日時までの経過時間、または再放送回数を得る手段と、
得られた経過時間または再放送回数に基づいて、当該番組について、前記経過時間が長いほど、あるいは再放送回数が多いほど値が小さくなる特性を有する重みを求める手段とを備え、
前記計数手段は、前記重みを加味して、番組名毎に出現頻度の計数を行うことを特徴とする視聴装置。
【請求項８】
番組を映出する映像表示手段と、
前記映像表示手段によって既に映出された番組について、少なくとも番組の出演者を表す出演者情報を含む番組に関連する情報を記録する番組関連情報記録手段と、
番組の初回放送の日時から現在日時までの経過時間、または再放送回数のいずれかが特定できる情報を含む番組に関する情報を記録しておく記録手段と、
前記映像表示手段に映出された番組について、前記番組関連情報記録手段に記録された番組に関する情報の出演者情報を読み出す読み出し手段と、
読み出された出演者情報の出現頻度を計数する計数手段と、
前記計数手段により計数された出現頻度に基づいて前記番組に関する情報の出演者情報を表示させる表示手段と、
前記記録手段に記録された初回放送の日時から現在日時までの経過時間、または再放送回数のいずれかが特定できる情報から、前記映像表示手段に映出された番組の初回放送の日時から現在日時までの経過時間、または再放送回数を得る手段と、
得られた経過時間または再放送回数に基づいて、当該番組について、前記経過時間が長いほど、あるいは再放送回数が多いほど値が小さくなる特性を有する重みを求める手段とを備え、
前記計数手段は、前記重みを加味して、出演者毎に出現頻度の計数を行うことを特徴とする視聴装置。
【請求項９】
番組を映出する映像表示手段と、
前記映像表示手段によって既に映出された番組について、少なくとも番組内容の概要を表す番組内容情報を含む番組に関する情報を記録する番組関連情報記録手段と、
番組の初回放送の日時から現在日時までの経過時間、または再放送回数のいずれかが特定できる情報を含む番組に関する情報を記録しておく記録手段と、
前記映像表示手段に映出された番組について、前記番組関連情報記録手段に記録された番組に関する情報の番組内容情報を読み出す読み出し手段と、
読み出された番組内容情報から切り出されたキーワードの出現頻度を計数する計数手段と、
前記計数手段により計数された出現頻度に基づいて前記番組に関する情報の番組内容情報から切り出されたキーワードを表示させる表示手段と、
前記記録手段に記録された初回放送の日時から現在日時までの経過時間、または再放送回数のいずれかが特定できる情報から、前記映像表示手段に映出された番組の初回放送の日時から現在日時までの経過時間、または再放送回数を得る手段と、
得られた経過時間または再放送回数に基づいて、当該番組について、前記経過時間が長いほど、あるいは再放送回数が多いほど値が小さくなる特性を有する重みを求める手段とを備え、
前記計数手段は、前記重みを加味して、番組内容情報から切り出されたキーワード毎に出現頻度の計数を行うことを特徴とする視聴装置。
【請求項１０】
番組を映出する映像表示手段と、
前記映像表示手段によって既に映出された番組について、少なくとも番組の番組名を表す番組名情報を含む番組に関する情報を記録する番組関連情報記録手段と、
番組の前回視聴率の情報を含む番組に関する情報を記録しておく記録手段と、
前記映像表示手段に映出された番組について、前記番組関連情報記録手段に記録された番組に関する情報の番組名情報を読み出す読み出し手段と、
読み出された番組名情報の出現頻度を計数する計数手段と、
前記計数手段により計数された出現頻度に基づいて前記番組に関する情報の番組名情報を表示させる表示手段と、
前記記録手段に記録された番組の前回視聴率の情報から、前記映像表示手段に映出された番組の前回視聴率を得る手段と、
得られた前回視聴率に基づいて、当該番組について、前記前回視聴率が高いほど値が大きくなる特性を有する重みを求める手段とを備え、
前記計数手段は、前記重みを加味して、番組名毎に出現頻度の計数を行うことを特徴とする視聴装置。
【請求項１１】
番組を映出する映像表示手段と、
前記映像表示手段によって既に映出された番組について、少なくとも番組の出演者を表す出演者情報を含む番組に関する情報を記録する番組関連情報記録手段と、
番組の前回視聴率の情報を含む番組に関する情報を記録しておく記録手段と、
前記映像表示手段に映出された番組について、前記番組関連情報記録手段に記録された番組に関する情報の出演者情報を読み出す読み出し手段と、
読み出された出演者情報の出現頻度を計数する計数手段と、
前記計数手段により計数された出現頻度に基づいて前記番組に関する情報の出演者情報を表示させる表示手段と、
前記記録手段に記録された番組の前回視聴率の情報から、前記映像表示手段に映出された番組の前回視聴率を得る手段と、
得られた前回視聴率に基づいて、当該番組について、前記前回視聴率が高いほど値が大きくなる特性を有する重みを求める手段とを備え、
前記計数手段は、前記重みを加味して、出演者毎に出現頻度の計数を行うことを特徴とする視聴装置。
【請求項１２】
番組を映出する映像表示手段と、
前記映像表示手段によって既に映出された番組について、少なくとも番組内容の概要を表す番組内容情報を含む番組に関する情報を記録する番組関連情報記録手段と、
番組の前回視聴率の情報を含む番組に関する情報を記録しておく記録手段と、
前記映像表示手段に映出された番組について、前記番組関連情報記録手段に記録された番組に関する情報の番組内容情報を読み出す読み出し手段と、
読み出された番組内容情報から切り出されたキーワードの出現頻度を計数する計数手段と、
前記計数手段により計数された出現頻度に基づいて前記番組に関する情報の番組内容情報から切り出されたキーワードを表示させる表示手段と、
前記記録手段に記録された番組の前回視聴率の情報から、前記映像表示手段に映出された番組の前回視聴率を得る手段と、
得られた前回視聴率に基づいて、当該番組について、前記前回視聴率が高いほど値が大きくなる特性を有する重みを求める手段とを備え、
前記計数手段は、前記重みを加味して、番組内容情報から切り出されたキーワード毎に出現頻度の計数を行うことを特徴とする視聴装置。
【請求項１３】
番組を映出する映像表示手段と、
前記映像表示手段によって既に映出された番組について、少なくとも番組の出演者を表す出演者情報を含む番組に関する情報を記録しておく記録手段と、
前記記録手段に記録された番組に関する情報の出演者情報を読み出す読み出し手段と、
前記読み出された出演者情報に基づいて出演者毎に出現頻度を計数する計数手段と、
前記計数手段により計数された出演者の出現頻度が高い順にソートされた出演者の一覧を表示するトレンド情報表示手段を備えている視聴装置。
【請求項１４】
番組を映出する映像表示手段と、
前記映像表示手段によって既に映出された番組について、少なくとも番組の出演者を表す出演者情報とジャンルの情報を含む番組に関する情報を記録しておく記録手段と、
前記記録手段に記録された番組に関する情報の出演者情報を、あらかじめ定義された特定のジャンルに属する番組に限定して読み出す読み出し手段と、
前記読み出された出演者情報に基づいて出演者毎に出現頻度を計数する計数手段とを備え、
前記計数手段により計数された出演者の出現頻度に基づいて、前記出演者情報を表示する
ことを特徴とする視聴装置。
【請求項１５】
番組を映出する映像表示手段と、
前記映像表示手段によって既に映出された番組について、少なくとも番組内容の概要を表す番組内容情報を含む番組に関する情報を記録しておく記録手段と、
前記記録手段に記録された番組に関する情報の番組内容情報を読み出す読み出し手段と、
読み出された番組内容情報において、キーワードを切り出し、そのキーワード毎に出現頻度を計数する計数手段と、
前記計数手段により計数されたキーワードの出現頻度が高い順にソートされたキーワードの一覧を表示するトレンド情報表示手段を備えている
視聴装置。
【請求項１６】
番組を映出する映像表示手段と、
前記映像表示手段によって既に映出された番組について、少なくとも番組内容の概要を表す番組内容情報とジャンルの情報を含む番組に関する情報を記録しておく記録手段と、
前記記録手段に記録された番組に関する情報の番組内容情報を、あらかじめ定義された特定のジャンルに属する番組に限定して読み出す読み出し手段と、
読み出された番組内容情報において、キーワードを切り出し、そのキーワード毎に出現頻度を計数する計数手段とを備え、
前記計数手段により計数されたキーワードの出現頻度に基づいて、前記キーワードを表示する
ことを特徴とする視聴装置。
【請求項１７】
番組を映出する映像表示手段と、
前記映像表示手段によって既に映出された番組について、少なくとも番組の番組名を表す番組名情報を含む番組に関する情報を記録する番組関連情報記録手段と、
今後放送予定の番組について、少なくとも番組の番組名を表す番組名情報と番組の放映日時を表す放映日時情報とを含む番組に関する情報を記録しておく記録手段と、
前記映像表示手段に映出された番組について、前記番組関連情報記録手段に記録された番組に関する情報の番組名情報を読み出す読み出し手段と、
前記読み出された番組名情報に基づいて番組名毎に出現頻度を計数する計数手段と、
前記計数手段により計数された番組名の出現頻度に基づいて前記番組を録画処理させる録画処理手段と、
前記記録手段に記録された今後放送予定の番組に関する情報から放映日時情報を参照して、前記出現頻度を計数された番組と同一の番組の現在日時から放映予定日時までの予定経過時間を求める手段と、
求められた予定経過時間を基にして、当該番組について、予定経過時間が短いほど値が大きくなる特性を有する重みを求める手段とを備え、
前記計数手段は、前記重みを加味して、番組名毎に出現頻度の計数を行うことを特徴とする録画装置。
【請求項１８】
番組を映出する映像表示手段と、
前記映像表示手段によって既に映出された番組について、少なくとも番組の出演者を表す出演者情報を含む番組に関する情報を記録する番組関連情報記録手段と、
今後放送予定の番組について、少なくとも番組の出演者を表す出演者情報と番組の放映日時を表す放映日時情報とを含む番組に関する情報を記録しておく記録手段と、
前記映像表示手段に映出された番組について、前記番組関連情報記録手段に記録された番組に関する情報の出演者情報を読み出す読み出し手段と、
前記読み出された出演者情報に基づいて出演者毎に出現頻度を計数する計数手段と、
前記計数手段により計数された出演者の出現頻度に基づいて前記番組を録画処理させる録画処理手段と、
前記記録手段に記録された今後放送予定の番組に関する情報から放映日時情報を参照して、前記出現頻度を計数された出演者の番組と同一の番組の現在日時から放映予定日時までの予定経過時間を求める手段と、
求められた予定経過時間を基にして、当該番組について、予定経過時間が短いほど値が大きくなる特性を有する重みを求める手段とを備え、
前記計数手段は、前記重みを加味して、出演者毎に出現頻度の計数を行うことを特徴とする録画装置。
【請求項１９】
番組を映出する映像表示手段と、
前記映像表示手段によって既に映出された番組について、少なくとも番組内容の概要を表す番組内容情報を含む番組に関する情報を記録する番組関連情報記録手段と、
今後放送予定の番組について、少なくとも番組内容の概要を表す番組内容情報と番組の放映日時を表す放映日時情報とを含む番組に関する情報を記録しておく記録手段と、
前記映像表示手段に映出された番組について、前記番組関連情報記録手段に記録された番組に関する情報の番組内容情報を読み出す読み出し手段と、
前記読み出された番組内容情報において、キーワードを切り出し、そのキーワードの出現頻度を計数する計数手段と、
前記計数手段により計数されたキーワードの出現頻度に基づいて前記番組を録画処理させる録画処理手段と、
前記記録手段に記録された今後放送予定の番組に関する情報から放映日時情報を参照して、前記出現頻度を計数されたキーワードの番組と同一の番組の現在日時から放映予定日時までの予定経過時間を求める手段と、
求められた予定経過時間を基にして、当該番組について、予定経過時間が短いほど値が大きくなる特性を有する重みを求める手段とを備え、
前記計数手段は、前記重みを加味して、キーワード毎に出現頻度の計数を行うことを特徴とする録画装置。
【請求項２０】
番組を映出する映像表示手段と、
前記映像表示手段によって既に映出された番組について、少なくとも番組の番組名を表す番組名情報を含む番組に関する情報を記録する番組関連情報記録手段と、
番組の所定期間内の放映回数が特定できる情報を含む番組に関する情報を記録しておく記録手段と、
前記映像表示手段に映出された番組について、前記番組関連情報記録手段に記録された番組に関する情報から番組名情報を読み出す読み出し手段と、
読み出された番組名情報の出現頻度を計数する計数手段と、
前記計数手段により計数された出現頻度に基づいて前記番組を録画処理させる録画処理手段と、
前記記録手段に記録された放映回数が特定できる情報から、前記映像表示手段に映出された番組の所定期間内の放映回数を得る手段と、
得られた放映回数に基づいて、当該番組について、所定期間内の放映回数が多いほど値が小さくなる特性を有する重みを求める手段とを備え、
前記計数手段は、前記重みを加味して、番組名毎に出現頻度の計数を行うことを特徴とする録画装置。
【請求項２１】
番組を映出する映像表示手段と、
前記映像表示手段によって既に映出された番組について、少なくとも番組の出演者を表す出演者情報を含む番組に関する情報を記録する番組関連情報記録手段と、
番組の所定期間内の放映回数が特定できる情報を含む番組に関する情報を記録しておく記録手段と、
前記映像表示手段に映出された番組について、前記番組関連情報記録手段に記録された番組に関する情報から出演者情報を読み出す読み出し手段と、
読み出された出演者情報の出現頻度を計数する計数手段と、
前記計数手段により計数された出現頻度に基づいて前記番組を録画処理させる録画処理手段と、
前記記録手段に記録された放映回数が特定できる情報から、前記映像表示手段に映出された番組の所定期間内の放映回数を得る手段と、
得られた放映回数に基づいて、当該番組について、所定期間内の放映回数が多いほど値が小さくなる特性を有する重みを求める手段とを備え、
前記計数手段は、前記重みを加味して、出演者毎に出現頻度の計数を行うことを特徴とする録画装置。
【請求項２２】
番組を映出する映像表示手段と、
前記映像表示手段によって既に映出された番組について、少なくとも番組内容の概要を表す番組内容情報を含む番組に関する情報を記録する番組関連情報記録手段と、
番組の所定期間内の放映回数が特定できる情報を含む番組に関する情報を記録しておく記録手段と、
前記映像表示手段に映出された番組について、前記番組関連情報記録手段に記録された番組に関する情報から番組関連情報を読み出す読み出し手段と、
読み出された番組内容情報から切り出されたキーワードのいずれかの出現頻度を計数する計数手段と、
前記計数手段により計数された出現頻度に基づいて前記番組を録画処理させる録画処理手段と、
前記記録手段に記録された放映回数が特定できる情報から、前記映像表示手段に映出された番組の所定期間内の放映回数を得る手段と、
得られた放映回数に基づいて、当該番組について、所定期間内の放映回数が多いほど値が小さくなる特性を有する重みを求める手段とを備え、
前記計数手段は、前記重みを加味して、番組内容情報から切り出されたキーワード毎に出現頻度の計数を行うことを特徴とする録画装置。
【請求項２３】
番組を映出する映像表示手段と、
前記映像表示手段によって既に映出された番組について、少なくとも番組の番組名を表す番組名情報を含む番組に関連する情報を記録する番組関連情報記録手段と、
番組の初回放送の日時から現在日時までの経過時間、または再放送回数のいずれかが特定できる情報を含む番組に関する情報を記録しておく記録手段と、
前記映像表示手段に映出された番組について、前記番組関連情報記録手段に記録された番組に関する情報から番組名情報を読み出す読み出し手段と、
読み出された番組名情報の出現頻度を計数する計数手段と、
前記計数手段により計数された出現頻度に基づいて前記番組を録画処理させる録画処理手段と、
前記記録手段に記録された初回放送の日時から現在日時までの経過時間、または再放送回数のいずれかが特定できる情報から、前記映像表示手段に映出された番組の初回放送の日時から現在日時までの経過時間、または再放送回数を得る手段と、
得られた経過時間または再放送回数に基づいて、当該番組について、前記経過時間が長いほど、あるいは再放送回数が多いほど値が小さくなる特性を有する重みを求める手段とを備え、
前記計数手段は、前記重みを加味して、番組名毎に出現頻度の計数を行うことを特徴とする録画装置。
【請求項２４】
番組を映出する映像表示手段と、
前記映像表示手段によって既に映出された番組について、少なくとも番組の出演者を表す出演者情報を含む番組に関連する情報を記録する番組関連情報記録手段と、
番組の初回放送の日時から現在日時までの経過時間、または再放送回数のいずれかが特定できる情報を含む番組に関する情報を記録しておく記録手段と、
前記映像表示手段に映出された番組について、前記番組関連情報記録手段に記録された番組に関する情報の出演者情報を読み出す読み出し手段と、
読み出された出演者情報の出現頻度を計数する計数手段と、
前記計数手段により計数された出現頻度に基づいて前記番組を録画処理させる録画処理手段と、
前記記録手段に記録された初回放送の日時から現在日時までの経過時間、または再放送回数のいずれかが特定できる情報から、前記映像表示手段に映出された番組の初回放送の日時から現在日時までの経過時間、または再放送回数を得る手段と、
得られた経過時間または再放送回数に基づいて、当該番組について、前記経過時間が長いほど、あるいは再放送回数が多いほど値が小さくなる特性を有する重みを求める手段とを備え、
前記計数手段は、前記重みを加味して、出演者毎に出現頻度の計数を行うことを特徴とする録画装置。
【請求項２５】
番組を映出する映像表示手段と、
前記映像表示手段によって既に映出された番組について、少なくとも番組内容の概要を表す番組内容情報を含む番組に関する情報を記録する番組関連情報記録手段と、
番組の初回放送の日時から現在日時までの経過時間、または再放送回数のいずれかが特定できる情報を含む番組に関する情報を記録しておく記録手段と、
前記映像表示手段に映出された番組について、前記番組関連情報記録手段に記録された番組に関する情報の番組内容情報を読み出す読み出し手段と、
読み出された番組内容情報から切り出されたキーワードの出現頻度を計数する計数手段と、
前記計数手段により計数された出現頻度に基づいて前記番組を録画処理させる録画処理手段と、
前記記録手段に記録された初回放送の日時から現在日時までの経過時間、または再放送回数のいずれかが特定できる情報から、前記映像表示手段に映出された番組の初回放送の日時から現在日時までの経過時間、または再放送回数を得る手段と、
得られた経過時間または再放送回数に基づいて、当該番組について、前記経過時間が長いほど、あるいは再放送回数が多いほど値が小さくなる特性を有する重みを求める手段とを備え、
前記計数手段は、前記重みを加味して、番組内容情報から切り出されたキーワード毎に出現頻度の計数を行うことを特徴とする録画装置。
【請求項２６】
番組を映出する映像表示手段と、
前記映像表示手段によって既に映出された番組について、少なくとも番組の番組名を表す番組名情報を含む番組に関する情報を記録する番組関連情報記録手段と、
番組の前回視聴率の情報を含む番組に関する情報を記録しておく記録手段と、
前記映像表示手段に映出された番組について、前記番組関連情報記録手段に記録された番組に関する情報の番組名情報を読み出す読み出し手段と、
読み出された番組名情報の出現頻度を計数する計数手段と、
前記計数手段により計数された出現頻度に基づいて前記番組を録画処理させる録画処理手段と、
前記記録手段に記録された番組の前回視聴率の情報から、前記映像表示手段に映出された番組の前回視聴率を得る手段と、
得られた前回視聴率に基づいて、当該番組について、前記前回視聴率が高いほど値が大きくなる特性を有する重みを求める手段とを備え、
前記計数手段は、前記重みを加味して、番組名毎に出現頻度の計数を行うことを特徴とする録画装置。
【請求項２７】
番組を映出する映像表示手段と、
前記映像表示手段によって既に映出された番組について、少なくとも番組の出演者を表す出演者情報を含む番組に関する情報を記録する番組関連情報記録手段と、
番組の前回視聴率の情報を含む番組に関する情報を記録しておく記録手段と、
前記映像表示手段に映出された番組について、前記番組関連情報記録手段に記録された番組に関する情報の出演者情報を読み出す読み出し手段と、
読み出された出演者情報の出現頻度を計数する計数手段と、
前記計数手段により計数された出現頻度に基づいて前記番組を録画処理させる録画処理手段と、
前記記録手段に記録された番組の前回視聴率の情報から、前記映像表示手段に映出された番組の前回視聴率を得る手段と、
得られた前回視聴率に基づいて、当該番組について、前記前回視聴率が高いほど値が大きくなる特性を有する重みを求める手段とを備え、
前記計数手段は、前記重みを加味して、出演者毎に出現頻度の計数を行うことを特徴とする録画装置。
【請求項２８】
番組を映出する映像表示手段と、
前記映像表示手段によって既に映出された番組について、少なくとも番組内容の概要を表す番組内容情報を含む番組に関する情報を記録する番組関連情報記録手段と、
番組の前回視聴率の情報を含む番組に関する情報を記録しておく記録手段と、
前記映像表示手段に映出された番組について、前記番組関連情報記録手段に記録された番組に関する情報の番組内容情報を読み出す読み出し手段と、
読み出された番組内容情報から切り出されたキーワードの出現頻度を計数する計数手段と、
前記計数手段により計数された出現頻度に基づいて前記番組を録画処理させる録画処理手段と、
前記記録手段に記録された番組の前回視聴率の情報から、前記映像表示手段に映出された番組の前回視聴率を得る手段と、
得られた前回視聴率に基づいて、当該番組について、前記前回視聴率が高いほど値が大きくなる特性を有する重みを求める手段とを備え、
前記計数手段は、前記重みを加味して、番組内容情報から切り出されたキーワード毎に出現頻度の計数を行うことを特徴とする録画装置。
【請求項２９】
番組を記録媒体に記録する番組記録手段と、
前記番組記録手段によって既に記録された番組について、少なくとも番組の番組名を表す番組名情報を含む番組に関する情報を記録する番組関連情報記録手段と、
今後放送予定の番組について、少なくとも番組の番組名を表す番組名情報と番組の放映日時を表す放映日時情報とを含む番組に関する情報を記録しておく記録手段と、
前記番組関連情報記録手段に記録された番組に関する情報の番組名情報を読み出す読み出し手段と、
前記読み出された番組名情報に基づいて番組名毎に出現頻度を計数する計数手段と、
前記計数手段により計数された番組名の出現頻度に基づいて前記番組に関する情報のうち少なくとも番組名情報を表示させる表示手段と、
前記記録手段に記録された今後放送予定の番組に関する情報から放映日時情報を参照して、前記出現頻度を計数された番組と同一の番組の現在日時から放映予定日時までの予定経過時間を求める手段と、
求められた予定経過時間を基にして、当該番組について、予定経過時間が短いほど値が大きくなる特性を有する重みを求める手段とを備え、
前記計数手段は、前記重みを加味して、番組名毎に出現頻度の計数を行うことを特徴とする視聴装置。
【請求項３０】
番組を記録媒体に記録する番組記録手段と、
前記番組記録手段によって既に記録された番組について、少なくとも番組の出演者を表す出演者情報を含む番組に関する情報を記録する番組関連情報記録手段と、
今後放送予定の番組について、少なくとも番組の出演者を表す出演者情報と番組の放映日時を表す放映日時情報とを含む番組に関する情報を記録しておく記録手段と、
前記番組関連情報記録手段に記録された番組に関する情報の出演者情報を読み出す読み出し手段と、
前記読み出された出演者情報に基づいて出演者毎に出現頻度を計数する計数手段と、
前記計数手段により計数された出演者の出現頻度に基づいて前記番組に関する情報のうち少なくとも出演者情報を表示させる表示手段と、
前記記録手段に記録された今後放送予定の番組に関する情報から放映日時情報を参照して、前記出現頻度を計数された出演者の番組と同一の番組の現在日時から放映予定日時までの予定経過時間を求める手段と、
求められた予定経過時間を基にして、当該番組について、予定経過時間が短いほど値が大きくなる特性を有する重みを求める手段とを備え、
前記計数手段は、前記重みを加味して、出演者毎に出現頻度の計数を行うことを特徴とする視聴装置。
【請求項３１】
番組を記録媒体に記録する番組記録手段と、
前記番組記録手段によって既に記録された番組について、少なくとも番組内容の概要を表す番組内容情報を含む番組に関する情報を記録する番組関連情報記録手段と、
今後放送予定の番組について、少なくとも番組内容の概要を表す番組内容情報と番組の放映日時を表す放映日時情報とを含む番組に関する情報を記録しておく記録手段と、
前記番組関連情報記録手段に記録された番組に関する情報の番組内容情報を読み出す読み出し手段と、
前記読み出された番組内容情報において、キーワードを切り出し、そのキーワードの出現頻度を計数する計数手段と、
前記計数手段により計数されたキーワードの出現頻度に基づいて前記番組に関する情報のうち少なくとも番組内容情報から切り出されたキーワードを表示させる表示手段と、
前記記録手段に記録された今後放送予定の番組に関する情報から放映日時情報を参照して、前記出現頻度を計数されたキーワードの番組と同一の番組の現在日時から放映予定日時までの予定経過時間を求める手段と、
求められた予定経過時間を基にして、当該番組について、予定経過時間が短いほど値が大きくなる特性を有する重みを求める手段とを備え、
前記計数手段は、前記重みを加味して、キーワード毎に出現頻度の計数を行うことを特徴とする視聴装置。
【請求項３２】
番組を記録媒体に記録する番組記録手段と、
前記番組記録手段によって既に記録された番組について、少なくとも番組の番組名を表す番組名情報を含む番組に関する情報を記録する番組関連情報記録手段と、
番組の所定期間内の放映回数が特定できる情報を含む番組に関する情報を記録しておく記録手段と、
前記番組関連情報記録手段に記録された番組に関する情報から番組名情報を読み出す読み出し手段と、
読み出された番組名情報の出現頻度を計数する計数手段と、
前記計数手段により計数された出現頻度に基づいて前記番組に関する情報の番組名情報を表示させる表示手段と、
前記記録手段に記録された放映回数が特定できる情報から、前記番組記録手段に記録された番組の所定期間内の放映回数を得る手段と、
得られた放映回数に基づいて、当該番組について、所定期間内の放映回数が多いほど値が小さくなる特性を有する重みを求める手段とを備え、
前記計数手段は、前記重みを加味して、番組名毎に出現頻度の計数を行うことを特徴とする視聴装置。
【請求項３３】
番組を記録媒体に記録する番組記録手段と、
前記番組記録手段によって既に記録された番組について、少なくとも番組の出演者を表す出演者情報を含む番組に関する情報を記録する番組関連情報記録手段と、
番組の所定期間内の放映回数が特定できる情報を含む番組に関する情報を記録しておく記録手段と、
前記番組関連情報記録手段に記録された番組に関する情報から出演者情報を読み出す読み出し手段と、
読み出された出演者情報の出現頻度を計数する計数手段と、
前記計数手段により計数された出現頻度に基づいて前記番組に関する情報の出演者情報を表示させる表示手段と、
前記記録手段に記録された放映回数が特定できる情報から、前記番組記録手段に記録された番組の所定期間内の放映回数を得る手段と、
得られた放映回数に基づいて、当該番組について、所定期間内の放映回数が多いほど値が小さくなる特性を有する重みを求める手段とを備え、
前記計数手段は、前記重みを加味して、出演者毎に出現頻度の計数を行うことを特徴とする視聴装置。
【請求項３４】
番組を記録媒体に記録する番組記録手段と、
前記番組記録手段によって既に記録された番組について、少なくとも番組内容の概要を表す番組内容情報を含む番組に関する情報を記録する番組関連情報記録手段と、
番組の所定期間内の放映回数が特定できる情報を含む番組に関する情報を記録しておく記録手段と、
前記番組関連情報記録手段に記録された番組に関する情報から番組関連情報を読み出す読み出し手段と、
読み出された番組内容情報から切り出されたキーワードのいずれかの出現頻度を計数する計数手段と、
前記計数手段により計数された出現頻度に基づいて前記番組に関する情報の番組内容情報から切り出されたキーワードを表示させる表示手段と、
前記記録手段に記録された放映回数が特定できる情報から、前記番組記録手段に記録された番組の所定期間内の放映回数を得る手段と、
得られた放映回数に基づいて、当該番組について、所定期間内の放映回数が多いほど値が小さくなる特性を有する重みを求める手段とを備え、
前記計数手段は、前記重みを加味して、番組内容情報から切り出されたキーワード毎に出現頻度の計数を行うことを特徴とする視聴装置。
【請求項３５】
番組を記録媒体に記録する番組記録手段と、
前記番組記録手段によって既に記録された番組について、少なくとも番組の番組名を表す番組名情報を含む番組に関連する情報を記録する番組関連情報記録手段と、
番組の初回放送の日時から現在日時までの経過時間、または再放送回数のいずれかが特定できる情報を含む番組に関する情報を記録しておく記録手段と、
前記番組関連情報記録手段に記録された番組に関する情報から番組名情報を読み出す読み出し手段と、
読み出された番組名情報の出現頻度を計数する計数手段と、
前記計数手段により計数された出現頻度に基づいて前記番組に関する情報の番組名情報を表示させる表示手段と、
前記記録手段に記録された初回放送の日時から現在日時までの経過時間、または再放送回数のいずれかが特定できる情報から、前記番組記録手段に記録された番組の初回放送の日時から現在日時までの経過時間、または再放送回数を得る手段と、
得られた経過時間または再放送回数に基づいて、当該番組について、前記経過時間が長いほど、あるいは再放送回数が多いほど値が小さくなる特性を有する重みを求める手段とを備え、
前記計数手段は、前記重みを加味して、番組名毎に出現頻度の計数を行うことを特徴とする視聴装置。
【請求項３６】
番組を記録媒体に記録する番組記録手段と、
前記番組記録手段によって既に記録された番組について、少なくとも番組の出演者を表す出演者情報を含む番組に関連する情報を記録する番組関連情報記録手段と、
番組の初回放送の日時から現在日時までの経過時間、または再放送回数のいずれかが特定できる情報を含む番組に関する情報を記録しておく記録手段と、
前記番組関連情報記録手段に記録された番組に関する情報の出演者情報を読み出す読み出し手段と、
読み出された出演者情報の出現頻度を計数する計数手段と、
前記計数手段により計数された出現頻度に基づいて前記番組に関する情報の出演者情報を表示させる表示手段と、
前記記録手段に記録された初回放送の日時から現在日時までの経過時間、または再放送回数のいずれかが特定できる情報から、前記番組記録手段に記録された番組の初回放送の日時から現在日時までの経過時間、または再放送回数を得る手段と、
得られた経過時間または再放送回数に基づいて、当該番組について、前記経過時間が長いほど、あるいは再放送回数が多いほど値が小さくなる特性を有する重みを求める手段とを備え、
前記計数手段は、前記重みを加味して、出演者毎に出現頻度の計数を行うことを特徴とする視聴装置。
【請求項３７】
番組を記録媒体に記録する番組記録手段と、
前記番組記録手段によって既に記録された番組について、少なくとも番組内容の概要を表す番組内容情報を含む番組に関する情報を記録する番組関連情報記録手段と、
番組の初回放送の日時から現在日時までの経過時間、または再放送回数のいずれかが特定できる情報を含む番組に関する情報を記録しておく記録手段と、
前記番組関連情報記録手段に記録された番組に関する情報の番組内容情報を読み出す読み出し手段と、
読み出された番組内容情報から切り出されたキーワードの出現頻度を計数する計数手段と、
前記計数手段により計数された出現頻度に基づいて前記番組に関する情報の番組内容情報から切り出されたキーワードを表示させる表示手段と、
前記記録手段に記録された初回放送の日時から現在日時までの経過時間、または再放送回数のいずれかが特定できる情報から、前記番組記録手段に記録された番組の初回放送の日時から現在日時までの経過時間、または再放送回数を得る手段と、
得られた経過時間または再放送回数に基づいて、当該番組について、前記経過時間が長いほど、あるいは再放送回数が多いほど値が小さくなる特性を有する重みを求める手段とを備え、
前記計数手段は、前記重みを加味して、番組内容情報から切り出されたキーワード毎に出現頻度の計数を行うことを特徴とする視聴装置。
【請求項３８】
番組を記録媒体に記録する番組記録手段と、
前記番組記録手段によって既に記録された番組について、少なくとも番組の番組名を表す番組名情報を含む番組に関する情報を記録する番組関連情報記録手段と、
番組の前回視聴率の情報を含む番組に関する情報を記録しておく記録手段と、
前記番組関連情報記録手段に記録された番組に関する情報の番組名情報を読み出す読み出し手段と、
読み出された番組名情報の出現頻度を計数する計数手段と、
前記計数手段により計数された出現頻度に基づいて前記番組に関する情報の番組名情報を表示させる表示手段と、
前記記録手段に記録された番組の前回視聴率の情報から、前記番組記録手段に記録された番組の前回視聴率を得る手段と、
得られた前回視聴率に基づいて、当該番組について、前記前回視聴率が高いほど値が大きくなる特性を有する重みを求める手段とを備え、
前記計数手段は、前記重みを加味して、番組名毎に出現頻度の計数を行うことを特徴とする視聴装置。
【請求項３９】
番組を記録媒体に記録する番組記録手段と、
前記番組記録手段によって既に記録された番組について、少なくとも番組の出演者を表す出演者情報を含む番組に関する情報を記録する番組関連情報記録手段と、
番組の前回視聴率の情報を含む番組に関する情報を記録しておく記録手段と、
前記番組関連情報記録手段に記録された番組に関する情報の出演者情報を読み出す読み出し手段と、
読み出された出演者情報の出現頻度を計数する計数手段と、
前記計数手段により計数された出現頻度に基づいて前記番組に関する情報の出演者情報を表示させる表示手段と、
前記記録手段に記録された番組の前回視聴率の情報から、前記番組記録手段に記録された番組の前回視聴率を得る手段と、
得られた前回視聴率に基づいて、当該番組について、前記前回視聴率が高いほど値が大きくなる特性を有する重みを求める手段とを備え、
前記計数手段は、前記重みを加味して、出演者毎に出現頻度の計数を行うことを特徴とする視聴装置。
【請求項４０】
番組を記録媒体に記録する番組記録手段と、
前記番組記録手段によって既に記録された番組について、少なくとも番組内容の概要を表す番組内容情報を含む番組に関する情報を記録する番組関連情報記録手段と、
番組の前回視聴率の情報を含む番組に関する情報を記録しておく記録手段と、
前記番組関連情報記録手段に記録された番組に関する情報の番組内容情報を読み出す読み出し手段と、
読み出された番組内容情報から切り出されたキーワードの出現頻度を計数する計数手段と、
前記計数手段により計数された出現頻度に基づいて前記番組に関する情報の番組内容情報から切り出されたキーワードを表示させる表示手段と、
前記記録手段に記録された番組の前回視聴率の情報から、前記番組記録手段に記録された番組の前回視聴率を得る手段と、
得られた前回視聴率に基づいて、当該番組について、前記前回視聴率が高いほど値が大きくなる特性を有する重みを求める手段とを備え、
前記計数手段は、前記重みを加味して、番組内容情報から切り出されたキーワード毎に出現頻度の計数を行うことを特徴とする視聴装置。
【請求項４１】
番組を記録媒体に記録する番組記録手段と、
前記番組記録手段によって既に記録された番組について、少なくとも番組の出演者を表す出演者情報を含む番組に関する情報を記録しておく記録手段と、
前記記録手段に記録された番組に関する情報の出演者情報を読み出す読み出し手段と、
前記読み出された出演者情報に基づいて出演者毎に出現頻度を計数する計数手段と、
前記計数手段により計数された出演者の出現頻度が高い順にソートされた出演者の一覧を表示するトレンド情報表示手段を備えている視聴装置。
【請求項４２】
番組を記録媒体に記録する番組記録手段と、
前記番組記録手段によって既に記録された番組について、少なくとも番組の出演者を表す出演者情報とジャンルの情報を含む番組に関する情報を記録しておく記録手段と、
前記記録手段に記録された番組に関する情報の出演者情報を、あらかじめ定義された特定のジャンルに属する番組に限定して読み出す読み出し手段と、
前記読み出された出演者情報に基づいて出演者毎に出現頻度を計数する計数手段とを備え、
前記計数手段により計数された出演者の出現頻度に基づいて、前記出演者情報を表示する
ことを特徴とする視聴装置。
【請求項４３】
番組を記録媒体に記録する番組記録手段と、
前記番組記録手段によって既に記録された番組について、少なくとも番組内容の概要を表す番組内容情報を含む番組に関する情報を記録しておく記録手段と、
前記記録手段に記録された番組に関する情報の番組内容情報を読み出す読み出し手段と、
読み出された番組内容情報において、キーワードを切り出し、そのキーワード毎に出現頻度を計数する計数手段と、
前記計数手段により計数されたキーワードの出現頻度が高い順にソートされたキーワードの一覧を表示するトレンド情報表示手段を備えている
視聴装置。
【請求項４４】
番組を記録媒体に記録する番組記録手段と、
前記番組記録手段によって既に記録された番組について、少なくとも番組内容の概要を表す番組内容情報とジャンルの情報を含む番組に関する情報を記録しておく記録手段と、
前記記録手段に記録された番組に関する情報の番組内容情報を、あらかじめ定義された特定のジャンルに属する番組に限定して読み出す読み出し手段と、
読み出された番組内容情報において、キーワードを切り出し、そのキーワード毎に出現頻度を計数する計数手段とを備え、
前記計数手段により計数されたキーワードの出現頻度に基づいて、前記キーワードを表示する
ことを特徴とする視聴装置。
【請求項４５】
番組を記録媒体に記録する番組記録手段と、
前記番組記録手段によって既に記録された番組について、少なくとも番組の番組名を表す番組名情報を含む番組に関する情報を記録する番組関連情報記録手段と、
今後放送予定の番組について、少なくとも番組の番組名を表す番組名情報と番組の放映日時を表す放映日時情報とを含む番組に関する情報を記録しておく記録手段と、
前記番組関連情報記録手段に記録された番組に関する情報の番組名情報を読み出す読み出し手段と、
前記読み出された番組名情報に基づいて番組名毎に出現頻度を計数する計数手段と、
前記計数手段により計数された番組名の出現頻度に基づいて前記番組を録画処理させる録画処理手段と、
前記記録手段に記録された今後放送予定の番組に関する情報から放映日時情報を参照して、前記出現頻度を計数された番組と同一の番組の現在日時から放映予定日時までの予定経過時間を求める手段と、
求められた予定経過時間を基にして、当該番組について、予定経過時間が短いほど値が大きくなる特性を有する重みを求める手段とを備え、
前記計数手段は、前記重みを加味して、番組名毎に出現頻度の計数を行うことを特徴とする録画装置。
【請求項４６】
番組を記録媒体に記録する番組記録手段と、
前記番組記録手段によって既に記録された番組について、少なくとも番組の出演者を表す出演者情報を含む番組に関する情報を記録する番組関連情報記録手段と、
今後放送予定の番組について、少なくとも番組の出演者を表す出演者情報と番組の放映日時を表す放映日時情報とを含む番組に関する情報を記録しておく記録手段と、
前記番組関連情報記録手段に記録された番組に関する情報の出演者情報を読み出す読み出し手段と、
前記読み出された出演者情報に基づいて出演者毎に出現頻度を計数する計数手段と、
前記計数手段により計数された出演者の出現頻度に基づいて前記番組を録画処理させる録画処理手段と、
前記記録手段に記録された今後放送予定の番組に関する情報から放映日時情報を参照して、前記出現頻度を計数された出演者の番組と同一の番組の現在日時から放映予定日時までの予定経過時間を求める手段と、
求められた予定経過時間を基にして、当該番組について、予定経過時間が短いほど値が大きくなる特性を有する重みを求める手段とを備え、
前記計数手段は、前記重みを加味して、出演者毎に出現頻度の計数を行うことを特徴とする録画装置。
【請求項４７】
番組を記録処理する番組記録手段と、
前記番組記録手段によって既に記録された番組について、少なくとも番組内容の概要を表す番組内容情報を含む番組に関する情報を記録する番組関連情報記録手段と、
今後放送予定の番組について、少なくとも番組内容の概要を表す番組内容情報と番組の放映日時を表す放映日時情報とを含む番組に関する情報を記録しておく記録手段と、
前記番組関連情報記録手段に記録された番組に関する情報の番組内容情報を読み出す読み出し手段と、
前記読み出された番組内容情報において、キーワードを切り出し、そのキーワードの出現頻度を計数する計数手段と、
前記計数手段により計数されたキーワードの出現頻度に基づいて前記番組を録画処理させる録画処理手段と、
前記記録手段に記録された今後放送予定の番組に関する情報から放映日時情報を参照して、前記出現頻度を計数されたキーワードの番組と同一の番組の現在日時から放映予定日時までの予定経過時間を求める手段と、
求められた予定経過時間を基にして、当該番組について、予定経過時間が短いほど値が大きくなる特性を有する重みを求める手段とを備え、
前記計数手段は、前記重みを加味して、キーワード毎に出現頻度の計数を行うことを特徴とする録画装置。
【請求項４８】
番組を記録媒体に記録する番組記録手段と、
前記番組記録手段によって既に記録された番組について、少なくとも番組の番組名を表す番組名情報を含む番組に関する情報を記録する番組関連情報記録手段と、
番組の所定期間内の放映回数が特定できる情報を含む番組に関する情報を記録しておく記録手段と、
前記番組関連情報記録手段に記録された番組に関する情報から番組名情報を読み出す読み出し手段と、
読み出された番組名情報の出現頻度を計数する計数手段と、
前記計数手段により計数された出現頻度に基づいて前記番組を録画処理させる録画処理手段と、
前記記録手段に記録された放映回数が特定できる情報から、前記番組記録手段に記録された番組の所定期間内の放映回数を得る手段と、
得られた放映回数に基づいて、当該番組について、所定期間内の放映回数が多いほど値が小さくなる特性を有する重みを求める手段とを備え、
前記計数手段は、前記重みを加味して、番組名毎に出現頻度の計数を行うことを特徴とする録画装置。
【請求項４９】
番組を記録媒体に記録する番組記録手段と、
前記番組記録手段によって既に記録された番組について、少なくとも番組の出演者を表す出演者情報を含む番組に関する情報を記録する番組関連情報記録手段と、
番組の所定期間内の放映回数が特定できる情報を含む番組に関する情報を記録しておく記録手段と、
前記番組関連情報記録手段に記録された番組に関する情報から出演者情報を読み出す読み出し手段と、
読み出された出演者情報の出現頻度を計数する計数手段と、
前記計数手段により計数された出現頻度に基づいて前記番組を録画処理させる録画処理手段と、
前記記録手段に記録された放映回数が特定できる情報から、前記番組記録手段に記録された番組の所定期間内の放映回数を得る手段と、
得られた放映回数に基づいて、当該番組について、所定期間内の放映回数が多いほど値が小さくなる特性を有する重みを求める手段とを備え、
前記計数手段は、前記重みを加味して、出演者毎に出現頻度の計数を行うことを特徴とする録画装置。
【請求項５０】
番組を記録媒体に記録する番組記録手段と、
前記番組記録手段によって既に記録された番組について、少なくとも番組内容の概要を表す番組内容情報を含む番組に関する情報を記録する番組関連情報記録手段と、
番組の所定期間内の放映回数が特定できる情報を含む番組に関する情報を記録しておく記録手段と、
前記番組関連情報記録手段に記録された番組に関する情報から番組関連情報を読み出す読み出し手段と、
読み出された番組内容情報から切り出されたキーワードのいずれかの出現頻度を計数する計数手段と、
前記計数手段により計数された出現頻度に基づいて前記番組を録画処理させる録画処理手段と、
前記記録手段に記録された放映回数が特定できる情報から、前記番組記録手段に記録された番組の所定期間内の放映回数を得る手段と、
得られた放映回数に基づいて、当該番組について、所定期間内の放映回数が多いほど値が小さくなる特性を有する重みを求める手段とを備え、
前記計数手段は、前記重みを加味して、番組内容情報から切り出されたキーワード毎に出現頻度の計数を行うことを特徴とする録画装置。
【請求項５１】
番組を記録媒体に記録する番組記録手段と、
前記番組記録手段によって既に記録された番組について、少なくとも番組の番組名を表す番組名情報を含む番組に関連する情報を記録する番組関連情報記録手段と、
番組の初回放送の日時から現在日時までの経過時間、または再放送回数のいずれかが特定できる情報を含む番組に関する情報を記録しておく記録手段と、
前記番組関連情報記録手段に記録された番組に関する情報から番組名情報を読み出す読み出し手段と、
読み出された番組名情報の出現頻度を計数する計数手段と、
前記計数手段により計数された出現頻度に基づいて前記番組を録画処理させる録画処理手段と、
前記記録手段に記録された初回放送の日時から現在日時までの経過時間、または再放送回数のいずれかが特定できる情報から、前記番組記録手段に記録された番組の初回放送の日時から現在日時までの経過時間、または再放送回数を得る手段と、
得られた経過時間または再放送回数に基づいて、当該番組について、前記経過時間が長いほど、あるいは再放送回数が多いほど値が小さくなる特性を有する重みを求める手段とを備え、
前記計数手段は、前記重みを加味して、番組名毎に出現頻度の計数を行うことを特徴とする録画装置。
【請求項５２】
番組を記録媒体に記録する番組記録手段と、
前記番組記録手段によって既に記録された番組について、少なくとも番組の出演者を表す出演者情報を含む番組に関連する情報を記録する番組関連情報記録手段と、
番組の初回放送の日時から現在日時までの経過時間、または再放送回数のいずれかが特定できる情報を含む番組に関する情報を記録しておく記録手段と、
前記番組関連情報記録手段に記録された番組に関する情報の出演者情報を読み出す読み出し手段と、
読み出された出演者情報の出現頻度を計数する計数手段と、
前記計数手段により計数された出現頻度に基づいて前記番組を録画処理させる録画処理手段と、
前記記録手段に記録された初回放送の日時から現在日時までの経過時間、または再放送回数のいずれかが特定できる情報から、前記番組記録手段に記録された番組の初回放送の日時から現在日時までの経過時間、または再放送回数を得る手段と、
得られた経過時間または再放送回数に基づいて、当該番組について、前記経過時間が長いほど、あるいは再放送回数が多いほど値が小さくなる特性を有する重みを求める手段とを備え、
前記計数手段は、前記重みを加味して、出演者毎に出現頻度の計数を行うことを特徴とする録画装置。
【請求項５３】
番組を記録媒体に記録する番組記録手段と、
前記番組記録手段によって既に記録された番組について、少なくとも番組内容の概要を表す番組内容情報を含む番組に関する情報を記録する番組関連情報記録手段と、
番組の初回放送の日時から現在日時までの経過時間、または再放送回数のいずれかが特定できる情報を含む番組に関する情報を記録しておく記録手段と、
前記番組関連情報記録手段に記録された番組に関する情報の番組内容情報を読み出す読み出し手段と、
読み出された番組内容情報から切り出されたキーワードの出現頻度を計数する計数手段と、
前記計数手段により計数された出現頻度に基づいて前記番組を録画処理させる録画処理手段と、
前記記録手段に記録された初回放送の日時から現在日時までの経過時間、または再放送回数のいずれかが特定できる情報から、前記番組記録手段に記録された番組の初回放送の日時から現在日時までの経過時間、または再放送回数を得る手段と、
得られた経過時間または再放送回数に基づいて、当該番組について、前記経過時間が長いほど、あるいは再放送回数が多いほど値が小さくなる特性を有する重みを求める手段とを備え、
前記計数手段は、前記重みを加味して、番組内容情報から切り出されたキーワード毎に出現頻度の計数を行うことを特徴とする録画装置。
【請求項５４】
番組を記録媒体に記録する番組記録手段と、
前記番組記録手段によって既に記録された番組について、少なくとも番組の番組名を表す番組名情報を含む番組に関する情報を記録する番組関連情報記録手段と、
番組の前回視聴率の情報を含む番組に関する情報を記録しておく記録手段と、
前記番組関連情報記録手段に記録された番組に関する情報の番組名情報を読み出す読み出し手段と、
読み出された番組名情報の出現頻度を計数する計数手段と、
前記計数手段により計数された出現頻度に基づいて前記番組を録画処理させる録画処理手段と、
前記記録手段に記録された番組の前回視聴率の情報から、前記番組記録手段に記録された番組の前回視聴率を得る手段と、
得られた前回視聴率に基づいて、当該番組について、前記前回視聴率が高いほど値が大きくなる特性を有する重みを求める手段とを備え、
前記計数手段は、前記重みを加味して、番組名毎に出現頻度の計数を行うことを特徴とする録画装置。
【請求項５５】
番組を記録媒体に記録する番組記録手段と、
前記番組記録手段によって既に記録された番組について、少なくとも番組の出演者を表す出演者情報を含む番組に関する情報を記録する番組関連情報記録手段と、
番組の前回視聴率の情報を含む番組に関する情報を記録しておく記録手段と、
前記番組関連情報記録手段に記録された番組に関する情報の出演者情報を読み出す読み出し手段と、
読み出された出演者情報の出現頻度を計数する計数手段と、
前記計数手段により計数された出現頻度に基づいて前記番組を録画処理させる録画処理手段と、
前記記録手段に記録された番組の前回視聴率の情報から、前記番組記録手段に記録された番組の前回視聴率を得る手段と、
得られた前回視聴率に基づいて、当該番組について、前記前回視聴率が高いほど値が大きくなる特性を有する重みを求める手段とを備え、
前記計数手段は、前記重みを加味して、出演者毎に出現頻度の計数を行うことを特徴とする録画装置。
【請求項５６】
番組を記録媒体に記録する番組記録手段と、
前記番組記録手段によって既に記録された番組について、少なくとも番組内容の概要を表す番組内容情報を含む番組に関する情報を記録する番組関連情報記録手段と、
番組の前回視聴率の情報を含む番組に関する情報を記録しておく記録手段と、
前記番組関連情報記録手段に記録された番組に関する情報の番組内容情報を読み出す読み出し手段と、
読み出された番組内容情報から切り出されたキーワードの出現頻度を計数する計数手段と、
前記計数手段により計数された出現頻度に基づいて前記番組を録画処理させる録画処理手段と、
前記記録手段に記録された番組の前回視聴率の情報から、前記番組記録手段に記録された番組の前回視聴率を得る手段と、
得られた前回視聴率に基づいて、当該番組について、前記前回視聴率が高いほど値が大きくなる特性を有する重みを求める手段とを備え、
前記計数手段は、前記重みを加味して、番組内容情報から切り出されたキーワード毎に出現頻度の計数を行うことを特徴とする録画装置。
【発明の詳細な説明】
【０００１】
【発明の属する技術分野】
本発明は、番組に付随する情報（番組情報）、例えば、番組名、番組放映日時、放送チャンネル、番組のジャンル、番組の出演者、番組の内容についての概要の情報等の番組情報をも保持して、その番組情報に基づいて視聴あるいは録画予約するように構成された装置に関するものである。対象とする放送はあらゆる放送であるが主にデジタル放送である。また、通信の媒体としては、衛星放送が主であるが、有線放送（ＣＡＴＶ）でも電話回線を利用した放送でも、あるいは地上波放送であってもよい。
【０００２】
【従来の技術】
デジタル多チャンネル放送では数百に及ぶチャンネルが提供されるため、ユーザーが所望の番組を視聴できるようにするには、様々な通信媒体を通じて配信される番組表や番組案内などのサービスが不可欠になる。従来、このような番組案内としてチャンネル名と時間を２軸とした番組表が知られている。この番組表がディスプレイの画面上に表示され、ユーザーはカーソルを移動させて番組を選択すると、その番組の概要、出演者などのより詳しい情報を見ることができる。番組のジャンル、出演者などの情報はあらかじめ番組情報に含まれているので、番組を探し出す際にはそれらを手がかりとして所望の番組を見つけることが可能である。そして、画面上で見つけ出した視聴したい番組を画面上で選択することができ、さらに番組の録画予約もその画面上において簡単に行うことができる。
【０００３】
【発明が解決しようとする課題】
しかしながら、上記の従来の技術に係る装置の番組には、ユーザー自身の嗜好すなわちユーザーの視聴のトレンドといったものが番組情報に反映されていないので、ユーザーがいつも見ている番組であっても非常に多数の番組の中から見つけ出すことは、非常に困難なことであった。
【０００４】
本発明は、このような事情に鑑みて創案されたものであって、ユーザー自身の視聴トレンドに係る番組の情報を自動的に取得するようにすることにより、ユーザー視聴トレンドに係る番組情報を簡単に得ることができる装置を提供することを目的としている。
【０００５】
【課題を解決するための手段】
本発明は、視聴装置に映出された番組、または録画装置に録画された番組について、その番組に関する情報を記録手段に記録しておき、番組毎に、前記記録手段の記録内容における番組に関する情報の出現頻度を計数したり、または、記録手段に記録された番組に関する情報を参照して、映出された番組または録画された番組に対応する出演者情報を読み出し、読み出した出演者情報において、出演者毎に出現頻度を計数したり、あるいは、記録手段に記録された番組に関する情報を参照して、映出された番組または録画された番組に対応する番組内容情報を読み出し、読み出した番組内容情報において、キーワードを切り出し、その出現頻度を計数したりし、計数した出現頻度に応じて、キーワードを表示等をするものである。これにより、ユーザは、非常に多数の番組の中からユーザー自身の視聴トレンドに該当する番組を容易に見つけ出すことができる。
【０００６】
【発明の実施の形態】
本発明の第１態様によれば、番組を映出する映像表示手段と、前記映像表示手段によって既に映出された番組について、少なくとも番組の番組名を表す番組名情報を含む番組に関する情報を記録する番組関連情報記録手段と、今後放送予定の番組について、少なくとも番組の番組名を表す番組名情報と番組の放映日時を表す放映日時情報とを含む番組に関する情報を記録しておく記録手段と、前記映像表示手段に映出された番組について、前記番組関連情報記録手段に記録された番組に関する情報の番組名情報を読み出す読み出し手段と、前記読み出された番組名情報に基づいて番組名毎に出現頻度を計数する計数手段と、前記計数手段により計数された番組名の出現頻度に基づいて前記番組に関する情報のうち少なくとも番組名情報を表示させる表示手段と、前記記録手段に記録された今後放送予定の番組に関する情報から放映日時情報を参照して、前記出現頻度を計数された番組と同一の番組の現在日時から放映予定日時までの予定経過時間を求める手段と、求められた予定経過時間を基にして、当該番組について、予定経過時間が短いほど値が大きくなる特性を有する重みを求める手段とを備え、前記計数手段は、前記重みを加味して、番組名毎に出現頻度の計数を行うことを特徴とする視聴装置を提供する。
【０００７】
本発明の第２態様によれば、番組を映出する映像表示手段と、前記映像表示手段によって既に映出された番組について、少なくとも番組の出演者を表す出演者情報を含む番組に関する情報を記録する番組関連情報記録手段と、今後放送予定の番組について、少なくとも番組の出演者を表す出演者情報と番組の放映日時を表す放映日時情報とを含む番組に関する情報を記録しておく記録手段と、前記映像表示手段に映出された番組について、前記番組関連情報記録手段に記録された番組に関する情報の出演者情報を読み出す読み出し手段と、前記読み出された出演者情報に基づいて出演者毎に出現頻度を計数する計数手段と、前記計数手段により計数された出演者の出現頻度に基づいて前記番組に関する情報のうち少なくとも出演者情報を表示させる表示手段と、前記記録手段に記録された今後放送予定の番組に関する情報から放映日時情報を参照して、前記出現頻度を計数された出演者の番組と同一の番組の現在日時から放映予定日時までの予定経過時間を求める手段と、求められた予定経過時間を基にして、当該番組について、予定経過時間が短いほど値が大きくなる特性を有する重みを求める手段とを備え、前記計数手段は、前記重みを加味して、出演者毎に出現頻度の計数を行うことを特徴とする視聴装置を提供する。
【０００８】
本発明の第３態様によれば、番組を映出する映像表示手段と、前記映像表示手段によって既に映出された番組について、少なくとも番組内容の概要を表す番組内容情報を含む番組に関する情報を記録する番組関連情報記録手段と、今後放送予定の番組について、少なくとも番組内容の概要を表す番組内容情報と番組の放映日時を表す放映日時情報とを含む番組に関する情報を記録しておく記録手段と、前記映像表示手段に映出された番組について、前記番組関連情報記録手段に記録された番組に関する情報の番組内容情報を読み出す読み出し手段と、前記読み出された番組内容情報において、キーワードを切り出し、そのキーワードの出現頻度を計数する計数手段と、前記計数手段により計数されたキーワードの出現頻度に基づいて前記番組に関する情報のうち少なくとも番組内容情報から切り出されたキーワードを表示させる表示手段と、前記記録手段に記録された今後放送予定の番組に関する情報から放映日時情報を参照して、前記出現頻度を計数されたキーワードの番組と同一の番組の現在日時から放映予定日時までの予定経過時間を求める手段と、求められた予定経過時間を基にして、当該番組について、予定経過時間が短いほど値が大きくなる特性を有する重みを求める手段とを備え、前記計数手段は、前記重みを加味して、キーワード毎に出現頻度の計数を行うことを特徴とする視聴装置を提供する。
【０００９】
本発明の第４態様によれば、番組を映出する映像表示手段と、前記映像表示手段によって既に映出された番組について、少なくとも番組の番組名を表す番組名情報を含む番組に関する情報を記録する番組関連情報記録手段と、番組の所定期間内の放映回数が特定できる情報とを含む番組に関する情報を記録しておく記録手段と、前記映像表示手段に映出された番組について、前記番組関連情報記録手段に記録された番組に関する情報から番組名情報を読み出す読み出し手段と、読み出された番組名情報の出現頻度を計数する計数手段と、前記計数手段により計数された出現頻度に基づいて前記番組に関する情報の番組名情報を表示させる表示手段と、前記記録手段に記録された放映回数が特定できる情報から、前記映像表示手段に映出された番組の所定期間内の放映回数を得る手段と、得られた放映回数に基づいて、当該番組について、所定期間内の放映回数が多いほど値が小さくなる特性を有する重みを求める手段とを備え、前記計数手段は、前記重みを加味して、番組名毎に出現頻度の計数を行うことを特徴とする視聴装置を提供する。
【００１０】
本発明の第５態様によれば、番組を映出する映像表示手段と、前記映像表示手段によって既に映出された番組について、少なくとも番組の出演者を表す出演者情報を含む番組に関する情報を記録する番組関連情報記録手段と、番組の所定期間内の放映回数が特定できる情報とを含む番組に関する情報を記録しておく記録手段と、前記映像表示手段に映出された番組について、前記番組関連情報記録手段に記録された番組に関する情報から出演者情報を読み出す読み出し手段と、読み出された出演者情報の出現頻度を計数する計数手段と、前記計数手段により計数された出現頻度に基づいて前記番組に関する情報の出演者情報を表示させる表示手段と、前記記録手段に記録された放映回数が特定できる情報から、前記映像表示手段に映出された番組の所定期間内の放映回数を得る手段と、得られた放映回数に基づいて、当該番組について、所定期間内の放映回数が多いほど値が小さくなる特性を有する重みを求める手段とを備え、前記計数手段は、前記重みを加味して、出演者毎に出現頻度の計数を行うことを特徴とする視聴装置を提供する。
【００１１】
本発明の第６態様によれば、番組を映出する映像表示手段と、前記映像表示手段によって既に映出された番組について、少なくとも番組内容の概要を表す番組内容情報を含む番組に関する情報を記録する番組関連情報記録手段と、番組の所定期間内の放映回数が特定できる情報を含む番組に関する情報を記録しておく記録手段と、前記映像表示手段に映出された番組について、前記番組関連情報記録手段に記録された番組に関する情報から番組関連情報を読み出す読み出し手段と、読み出された番組内容情報から切り出されたキーワードのいずれかの出現頻度を計数する計数手段と、前記計数手段により計数された出現頻度に基づいて前記番組に関する情報の番組内容情報から切り出されたキーワードを表示させる表示手段と、前記記録手段に記録された放映回数が特定できる情報から、前記映像表示手段に映出された番組の所定期間内の放映回数を得る手段と、得られた放映回数に基づいて、当該番組について、所定期間内の放映回数が多いほど値が小さくなる特性を有する重みを求める手段とを備え、前記計数手段は、前記重みを加味して、番組内容情報から切り出されたキーワード毎に出現頻度の計数を行うことを特徴とする視聴装置を提供する。
【００１２】
本発明の第７態様によれば、番組を映出する映像表示手段と、前記映像表示手段によって既に映出された番組について、少なくとも番組の番組名を表す番組名情報を含む番組に関連する情報を記録する番組関連情報記録手段と、番組の初回放送の日時から現在日時までの経過時間、または再放送回数のいずれかが特定できる情報とを含む番組に関する情報を記録しておく記録手段と、前記映像表示手段に映出された番組について、前記番組関連情報記録手段に記録された番組に関する情報から番組名情報を読み出す読み出し手段と、読み出された番組名情報の出現頻度を計数する計数手段と、前記計数手段により計数された出現頻度に基づいて前記番組に関する情報の番組名情報を表示させる表示手段と、前記記録手段に記録された初回放送の日時から現在日時までの経過時間、または再放送回数のいずれかが特定できる情報から、前記映像表示手段に映出された番組の初回放送の日時から現在日時までの経過時間、または再放送回数を得る手段と、得られた経過時間または再放送回数に基づいて、当該番組について、前記経過時間が長いほど、あるいは再放送回数が多いほど値が小さくなる特性を有する重みを求める手段とを備え、前記計数手段は、前記重みを加味して、番組名毎に出現頻度の計数を行うことを特徴とする視聴装置を提供する。
【００１３】
本発明の第８態様によれば、番組を映出する映像表示手段と、前記映像表示手段によって既に映出された番組について、少なくとも番組の出演者を表す出演者情報を含む番組に関連する情報を記録する番組関連情報記録手段と、番組の初回放送の日時から現在日時までの経過時間、または再放送回数のいずれかが特定できる情報とを含む番組に関する情報を記録しておく記録手段と、前記映像表示手段に映出された番組について、前記番組関連情報記録手段に記録された番組に関する情報の出演者情報を読み出す読み出し手段と、読み出された出演者情報の出現頻度を計数する計数手段と、前記計数手段により計数された出現頻度に基づいて前記番組に関する情報の出演者情報を表示させる表示手段と、前記記録手段に記録された初回放送の日時から現在日時までの経過時間、または再放送回数のいずれかが特定できる情報から、前記映像表示手段に映出された番組の初回放送の日時から現在日時までの経過時間、または再放送回数を得る手段と、得られた経過時間または再放送回数に基づいて、当該番組について、前記経過時間が長いほど、あるいは再放送回数が多いほど値が小さくなる特性を有する重みを求める手段とを備え、前記計数手段は、前記重みを加味して、出演者毎に出現頻度の計数を行うことを特徴とする視聴装置を提供する。
【００１４】
本発明の第９態様によれば、番組を映出する映像表示手段と、前記映像表示手段によって既に映出された番組について、少なくとも番組内容の概要を表す番組内容情報を含む番組に関する情報を記録する番組関連情報記録手段と、番組の初回放送の日時から現在日時までの経過時間、または再放送回数のいずれかが特定できる情報とを含む番組に関する情報を記録しておく記録手段と、前記映像表示手段に映出された番組について、前記番組関連情報記録手段に記録された番組に関する情報の番組内容情報を読み出す読み出し手段と、読み出された番組内容情報から切り出されたキーワードの出現頻度を計数する計数手段と、前記計数手段により計数された出現頻度に基づいて前記番組に関する情報の番組内容情報から切り出されたキーワードを表示させる表示手段と、前記記録手段に記録された初回放送の日時から現在日時までの経過時間、または再放送回数のいずれかが特定できる情報から、前記映像表示手段に映出された番組の初回放送の日時から現在日時までの経過時間、または再放送回数を得る手段と、得られた経過時間または再放送回数に基づいて、当該番組について、前記経過時間が長いほど、あるいは再放送回数が多いほど値が小さくなる特性を有する重みを求める手段とを備え、前記計数手段は、前記重みを加味して、番組内容情報から切り出されたキーワード毎に出現頻度の計数を行うことを特徴とする視聴装置を提供する。
【００１５】
本発明の第１０態様によれば、番組を映出する映像表示手段と、前記映像表示手段によって既に映出された番組について、少なくとも番組の番組名を表す番組名情報を含む番組に関する情報を記録する番組関連情報記録手段と、番組の前回視聴率の情報とを含む番組に関する情報を記録しておく記録手段と、前記映像表示手段に映出された番組について、前記番組関連情報記録手段に記録された番組に関する情報の番組名情報を読み出す読み出し手段と、読み出された番組名情報の出現頻度を計数する計数手段と、前記計数手段により計数された出現頻度に基づいて前記番組に関する情報の番組名情報を表示させる表示手段と、前記記録手段に記録された番組の前回視聴率の情報から、前記映像表示手段に映出された番組の前回視聴率を得る手段と、得られた前回視聴率に基づいて、当該番組について、前記前回視聴率が高いほど値が大きくなる特性を有する重みを求める手段とを備え、前記計数手段は、前記重みを加味して、番組名毎に出現頻度の計数を行うことを特徴とする視聴装置を提供する。
【００１６】
本発明の第１１態様によれば、番組を映出する映像表示手段と、前記映像表示手段によって既に映出された番組について、少なくとも番組の出演者を表す出演者情報を含む番組に関する情報を記録する番組関連情報記録手段と、番組の前回視聴率の情報とを含む番組に関する情報を記録しておく記録手段と、前記映像表示手段に映出された番組について、前記番組関連情報記録手段に記録された番組に関する情報の出演者情報を読み出す読み出し手段と、読み出された出演者情報の出現頻度を計数する計数手段と、前記計数手段により計数された出現頻度に基づいて前記番組に関する情報の出演者情報を表示させる表示手段と、前記記録手段に記録された番組の前回視聴率の情報から、前記映像表示手段に映出された番組の前回視聴率を得る手段と、得られた前回視聴率に基づいて、当該番組について、前記前回視聴率が高いほど値が大きくなる特性を有する重みを求める手段とを備え、前記計数手段は、前記重みを加味して、出演者毎に出現頻度の計数を行うことを特徴とする視聴装置を提供する。
【００１７】
本発明の第１２態様によれば、番組を映出する映像表示手段と、前記映像表示手段によって既に映出された番組について、少なくとも番組内容の概要を表す番組内容情報を含む番組に関する情報を記録する番組関連情報記録手段と、番組の前回視聴率の情報とを含む番組に関する情報を記録しておく記録手段と、前記映像表示手段に映出された番組について、前記番組関連情報記録手段に記録された番組に関する情報の番組内容情報を読み出す読み出し手段と、読み出された番組内容情報から切り出されたキーワードの出現頻度を計数する計数手段と、前記計数手段により計数された出現頻度に基づいて前記番組に関する情報の番組内容情報から切り出されたキーワードを表示させる表示手段と、前記記録手段に記録された番組の前回視聴率の情報から、前記映像表示手段に映出された番組の前回視聴率を得る手段と、得られた前回視聴率に基づいて、当該番組について、前記前回視聴率が高いほど値が大きくなる特性を有する重みを求める手段とを備え、前記計数手段は、前記重みを加味して、番組内容情報から切り出されたキーワード毎に出現頻度の計数を行うことを特徴とする視聴装置を提供する。
【００１８】
本発明の第１３態様によれば、番組を映出する映像表示手段と、前記映像表示手段によって既に映出された番組について、少なくとも番組の出演者を表す出演者情報を含む番組に関する情報を記録しておく記録手段と、前記記録手段に記録された番組に関する情報の出演者情報を読み出す読み出し手段と、前記読み出された出演者情報に基づいて出演者毎に出現頻度を計数する計数手段と、前記計数手段により計数された出演者の出現頻度が高い順にソートされた出演者の一覧を表示するトレンド情報表示手段を備えている視聴装置を提供する。
【００１９】
本発明の第１４態様によれば、番組を映出する映像表示手段と、前記映像表示手段によって既に映出された番組について、少なくとも番組の出演者を表す出演者情報とジャンルの情報を含む番組に関する情報を記録しておく記録手段と、前記記録手段に記録された番組に関する情報の出演者情報を、あらかじめ定義された特定のジャンルに属する番組に限定して読み出す読み出し手段と、前記読み出された出演者情報に基づいて出演者毎に出現頻度を計数する計数手段とを備え、前記計数手段により計数された出演者の出現頻度に基づいて、前記出演者情報を表示することを特徴とする視聴装置を提供する。
【００２０】
本発明の第１５態様によれば、番組を映出する映像表示手段と、前記映像表示手段によって既に映出された番組について、少なくとも番組内容の概要を表す番組内容情報を含む番組に関する情報を記録しておく記録手段と、前記記録手段に記録された番組に関する情報の番組内容情報を読み出す読み出し手段と、読み出された番組内容情報において、キーワードを切り出し、そのキーワード毎に出現頻度を計数する計数手段と、前記計数手段により計数されたキーワードの出現頻度が高い順にソートされたキーワードの一覧を表示するトレンド情報表示手段を備えている視聴装置を提供する。
【００２１】
本発明の第１６態様によれば、番組を映出する映像表示手段と、前記映像表示手段によって既に映出された番組について、少なくとも番組内容の概要を表す番組内容情報とジャンルの情報を含む番組に関する情報を記録しておく記録手段と、前記記録手段に記録された番組に関する情報の番組内容情報を、あらかじめ定義された特定のジャンルに属する番組に限定して読み出す読み出し手段と、読み出された番組内容情報において、キーワードを切り出し、そのキーワード毎に出現頻度を計数する計数手段とを備え、前記計数手段により計数されたキーワードの出現頻度に基づいて、前記キーワードを表示することを特徴とする視聴装置を提供する。
【００２２】
本発明の第１７態様によれば、番組を映出する映像表示手段と、前記映像表示手段によって既に映出された番組について、少なくとも番組の番組名を表す番組名情報を含む番組に関する情報を記録する番組関連情報記録手段と、今後放送予定の番組について、少なくとも番組の番組名を表す番組名情報と番組の放映日時を表す放映日時情報とを含む番組に関する情報を記録しておく記録手段と、前記映像表示手段に映出された番組について、前記番組関連情報記録手段に記録された番組に関する情報の番組名情報を読み出す読み出し手段と、前記読み出された番組名情報に基づいて番組名毎に出現頻度を計数する計数手段と、前記計数手段により計数された番組名の出現頻度に基づいて前記番組を録画処理させる録画処理手段と、前記記録手段に記録された今後放送予定の番組に関する情報から放映日時情報を参照して、前記出現頻度を計数された番組と同一の番組の現在日時から放映予定日時までの予定経過時間を求める手段と、求められた予定経過時間を基にして、当該番組について、予定経過時間が短いほど値が大きくなる特性を有する重みを求める手段とを備え、前記計数手段は、前記重みを加味して、番組名毎に出現頻度の計数を行うことを特徴とする録画装置を提供する。
【００２３】
本発明の第１８態様によれば、番組を映出する映像表示手段と、前記映像表示手段によって既に映出された番組について、少なくとも番組の出演者を表す出演者情報を含む番組に関する情報を記録する番組関連情報記録手段と、今後放送予定の番組について、少なくとも番組の出演者を表す出演者情報と番組の放映日時を表す放映日時情報とを含む番組に関する情報を記録しておく記録手段と、前記映像表示手段に映出された番組について、前記番組関連情報記録手段に記録された番組に関する情報の出演者情報を読み出す読み出し手段と前記読み出された出演者情報に基づいて出演者毎に出現頻度を計数する計数手段と、前記計数手段により計数された出演者の出現頻度に基づいて前記番組を録画処理させる録画処理手段と、前記記録手段に記録された今後放送予定の番組に関する情報から放映日時情報を参照して、前記出現頻度を計数された出演者の番組と同一の番組の現在日時から放映予定日時までの予定経過時間を求める手段と、求められた予定経過時間を基にして、当該番組について、予定経過時間が短いほど値が大きくなる特性を有する重みを求める手段とを備え、前記計数手段は、前記重みを加味して、出演者毎に出現頻度の計数を行うことを特徴とする録画装置を提供する。
【００２４】
本発明の第１９態様によれば、番組を映出する映像表示手段と、前記映像表示手段によって既に映出された番組について、少なくとも番組内容の概要を表す番組内容情報を含む番組に関する情報を記録する番組関連情報記録手段と、今後放送予定の番組について、少なくとも番組内容の概要を表す番組内容情報と番組の放映日時を表す放映日時情報とを含む番組に関する情報を記録しておく記録手段と、前記映像表示手段に映出された番組について、前記番組関連情報記録手段に記録された番組に関する情報の番組内容情報を読み出す読み出し手段と、前記読み出された番組内容情報において、キーワードを切り出し、そのキーワードの出現頻度を計数する計数手段と、前記計数手段により計数されたキーワードの出現頻度に基づいて前記番組を録画処理させる録画処理手段と、前記記録手段に記録された今後放送予定の番組に関する情報から放映日時情報を参照して、前記出現頻度を計数されたキーワードの番組と同一の番組の現在日時から放映予定日時までの予定経過時間を求める手段と、求められた予定経過時間を基にして、当該番組について、予定経過時間が短いほど値が大きくなる特性を有する重みを求める手段とを備え、前記計数手段は、前記重みを加味して、キーワード毎に出現頻度の計数を行うことを特徴とする録画装置を提供する。
【００２５】
本発明の第２０態様によれば、番組を映出する映像表示手段と、前記映像表示手段によって既に映出された番組について、少なくとも番組の番組名を表す番組名情報を含む番組に関する情報を記録する番組関連情報記録手段と、番組の所定期間内の放映回数が特定できる情報とを含む番組に関する情報を記録しておく記録手段と、前記映像表示手段に映出された番組について、前記番組関連情報記録手段に記録された番組に関する情報から番組名情報を読み出す読み出し手段と、読み出された番組名情報の出現頻度を計数する計数手段と、前記計数手段により計数された出現頻度に基づいて前記番組を録画処理させる録画処理手段と、前記記録手段に記録された放映回数が特定できる情報から、前記映像表示手段に映出された番組の所定期間内の放映回数を得る手段と、得られた放映回数に基づいて、当該番組について、所定期間内の放映回数が多いほど値が小さくなる特性を有する重みを求める手段とを備え、前記計数手段は、前記重みを加味して、番組名毎に出現頻度の計数を行うことを特徴とする録画装置を提供する。
【００２６】
本発明の第２１態様によれば、番組を映出する映像表示手段と、前記映像表示手段によって既に映出された番組について、少なくとも番組の出演者を表す出演者情報を含む番組に関する情報を記録する番組関連情報記録手段と、番組の所定期間内の放映回数が特定できる情報とを含む番組に関する情報を記録しておく記録手段と、前記映像表示手段に映出された番組について、前記番組関連情報記録手段に記録された番組に関する情報から出演者情報を読み出す読み出し手段と、読み出された出演者情報の出現頻度を計数する計数手段と、前記計数手段により計数された出現頻度に基づいて前記番組を録画処理させる録画処理手段と、前記記録手段に記録された放映回数が特定できる情報から、前記映像表示手段に映出された番組の所定期間内の放映回数を得る手段と、得られた放映回数に基づいて、当該番組について、所定期間内の放映回数が多いほど値が小さくなる特性を有する重みを求める手段とを備え、前記計数手段は、前記重みを加味して、出演者毎に出現頻度の計数を行うことを特徴とする録画装置を提供する。
【００２７】
本発明の第２２態様によれば、番組を映出する映像表示手段と、前記映像表示手段によって既に映出された番組について、少なくとも番組内容の概要を表す番組内容情報を含む番組に関する情報を記録する番組関連情報記録手段と、番組の所定期間内の放映回数が特定できる情報を含む番組に関する情報を記録しておく記録手段と、前記映像表示手段に映出された番組について、前記番組関連情報記録手段に記録された番組に関する情報から番組関連情報を読み出す読み出し手段と、読み出された番組内容情報から切り出されたキーワードのいずれかの出現頻度を計数する計数手段と、前記計数手段により計数された出現頻度に基づいて前記番組を録画処理させる録画処理手段と、前記記録手段に記録された放映回数が特定できる情報から、前記映像表示手段に映出された番組の所定期間内の放映回数を得る手段と、得られた放映回数に基づいて、当該番組について、所定期間内の放映回数が多いほど値が小さくなる特性を有する重みを求める手段とを備え、前記計数手段は、前記重みを加味して、番組内容情報から切り出されたキーワード毎に出現頻度の計数を行うことを特徴とする録画装置を提供する。
【００２８】
本発明の第２３態様によれば、番組を映出する映像表示手段と、前記映像表示手段によって既に映出された番組について、少なくとも番組の番組名を表す番組名情報を含む番組に関連する情報を記録する番組関連情報記録手段と、番組の初回放送の日時から現在日時までの経過時間、または再放送回数のいずれかが特定できる情報とを含む番組に関する情報を記録しておく記録手段と、前記映像表示手段に映出された番組について、前記番組関連情報記録手段に記録された番組に関する情報から番組名情報を読み出す読み出し手段と、読み出された番組名情報の出現頻度を計数する計数手段と、前記計数手段により計数された出現頻度に基づいて前記番組を録画処理させる録画処理手段と、前記記録手段に記録された初回放送の日時から現在日時までの経過時間、または再放送回数のいずれかが特定できる情報から、前記映像表示手段に映出された番組の初回放送の日時から現在日時までの経過時間、または再放送回数を得る手段と、得られた経過時間または再放送回数に基づいて、当該番組について、前記経過時間が長いほど、あるいは再放送回数が多いほど値が小さくなる特性を有する重みを求める手段とを備え、前記計数手段は、前記重みを加味して、番組名毎に出現頻度の計数を行うことを特徴とする録画装置を提供する。
【００２９】
本発明の第２４態様によれば、番組を映出する映像表示手段と、前記映像表示手段によって既に映出された番組について、少なくとも番組の出演者を表す出演者情報を含む番組に関連する情報を記録する番組関連情報記録手段と、番組の初回放送の日時から現在日時までの経過時間、または再放送回数のいずれかが特定できる情報とを含む番組に関する情報を記録しておく記録手段と、前記映像表示手段に映出された番組について、前記番組関連情報記録手段に記録された番組に関する情報の出演者情報を読み出す読み出し手段と、読み出された出演者情報の出現頻度を計数する計数手段と、前記計数手段により計数された出現頻度に基づいて前記番組を録画処理させる録画処理手段と、前記記録手段に記録された初回放送の日時から現在日時までの経過時間、または再放送回数のいずれかが特定できる情報から、前記映像表示手段に映出された番組の初回放送の日時から現在日時までの経過時間、または再放送回数を得る手段と、得られた経過時間または再放送回数に基づいて、当該番組について、前記経過時間が長いほど、あるいは再放送回数が多いほど値が小さくなる特性を有する重みを求める手段とを備え、前記計数手段は、前記重みを加味して、出演者毎に出現頻度の計数を行うことを特徴とする録画装置を提供する。
【００３０】
本発明の第２５態様によれば、番組を映出する映像表示手段と、前記映像表示手段によって既に映出された番組について、少なくとも番組内容の概要を表す番組内容情報を含む番組に関する情報を記録する番組関連情報記録手段と、番組の初回放送の日時から現在日時までの経過時間、または再放送回数のいずれかが特定できる情報とを含む番組に関する情報を記録しておく記録手段と、前記映像表示手段に映出された番組について、前記番組関連情報記録手段に記録された番組に関する情報の番組内容情報を読み出す読み出し手段と、読み出された番組内容情報から切り出されたキーワードの出現頻度を計数する計数手段と、前記計数手段により計数された出現頻度に基づいて前記番組を録画処理させる録画処理手段と、前記記録手段に記録された初回放送の日時から現在日時までの経過時間、または再放送回数のいずれかが特定できる情報から、前記映像表示手段に映出された番組の初回放送の日時から現在日時までの経過時間、または再放送回数を得る手段と、得られた経過時間または再放送回数に基づいて、当該番組について、前記経過時間が長いほど、あるいは再放送回数が多いほど値が小さくなる特性を有する重みを求める手段とを備え、前記計数手段は、前記重みを加味して、番組内容情報から切り出されたキーワード毎に出現頻度の計数を行うことを特徴とする録画装置を提供する。
【００３１】
本発明の第２６態様によれば、番組を映出する映像表示手段と、前記映像表示手段によって既に映出された番組について、少なくとも番組の番組名を表す番組名情報を含む番組に関する情報を記録する番組関連情報記録手段と、番組の前回視聴率の情報とを含む番組に関する情報を記録しておく記録手段と、前記映像表示手段に映出された番組について、前記番組関連情報記録手段に記録された番組に関する情報の番組名情報を読み出す読み出し手段と、読み出された番組名情報の出現頻度を計数する計数手段と、前記計数手段により計数された出現頻度に基づいて前記番組を録画処理させる録画処理手段と、前記記録手段に記録された番組の前回視聴率の情報から、前記映像表示手段に映出された番組の前回視聴率を得る手段と、得られた前回視聴率に基づいて、当該番組について、前記前回視聴率が高いほど値が大きくなる特性を有する重みを求める手段とを備え、前記計数手段は、前記重みを加味して、番組名毎に出現頻度の計数を行うことを特徴とする録画装置を提供する。
【００３２】
本発明の第２７態様によれば、番組を映出する映像表示手段と、前記映像表示手段によって既に映出された番組について、少なくとも番組の出演者を表す出演者情報を含む番組に関する情報を記録する番組関連情報記録手段と、番組の前回視聴率の情報とを含む番組に関する情報を記録しておく記録手段と、前記映像表示手段に映出された番組について、前記番組関連情報記録手段に記録された番組に関する情報の出演者情報を読み出す読み出し手段と、読み出された出演者情報の出現頻度を計数する計数手段と、前記計数手段により計数された出現頻度に基づいて前記番組を録画処理させる録画処理手段と、前記記録手段に記録された番組の前回視聴率の情報から、前記映像表示手段に映出された番組の前回視聴率を得る手段と、得られた前回視聴率に基づいて、当該番組について、前記前回視聴率が高いほど値が大きくなる特性を有する重みを求める手段とを備え、前記計数手段は、前記重みを加味して、出演者毎に出現頻度の計数を行うことを特徴とする録画装置を提供する。
【００３３】
本発明の第２８態様によれば、番組を映出する映像表示手段と、前記映像表示手段によって既に映出された番組について、少なくとも番組内容の概要を表す番組内容情報を含む番組に関する情報を記録する番組関連情報記録手段と、番組の前回視聴率の情報とを含む番組に関する情報を記録しておく記録手段と、前記映像表示手段に映出された番組について、前記番組関連情報記録手段に記録された番組に関する情報の番組内容情報を読み出す読み出し手段と、読み出された番組内容情報から切り出されたキーワードの出現頻度を計数する計数手段と、前記計数手段により計数された出現頻度に基づいて前記番組を録画処理させる録画処理手段と、前記記録手段に記録された番組の前回視聴率の情報から、前記映像表示手段に映出された番組の前回視聴率を得る手段と、得られた前回視聴率に基づいて、当該番組について、前記前回視聴率が高いほど値が大きくなる特性を有する重みを求める手段とを備え、前記計数手段は、前記重みを加味して、番組内容情報から切り出されたキーワード毎に出現頻度の計数を行うことを特徴とする録画装置を提供する。
【００３４】
本発明の第２９態様によれば、番組を記録媒体に記録する番組記録手段と、前記番組記録手段によって既に記録された番組について、少なくとも番組の番組名を表す番組名情報を含む番組に関する情報を記録する番組関連情報記録手段と、今後放送予定の番組について、少なくとも番組の番組名を表す番組名情報と番組の放映日時を表す放映日時情報とを含む番組に関する情報を記録しておく記録手段と、前記番組関連情報記録手段に記録された番組に関する情報の番組名情報を読み出す読み出し手段と、前記読み出された番組名情報に基づいて番組名毎に出現頻度を計数する計数手段と、前記計数手段により計数された番組名の出現頻度に基づいて前記番組に関する情報のうち少なくとも番組名情報を表示させる表示手段と、前記記録手段に記録された今後放送予定の番組に関する情報から放映日時情報を参照して、前記出現頻度を計数された番組と同一の番組の現在日時から放映予定日時までの予定経過時間を求める手段と、求められた予定経過時間を基にして、当該番組について、予定経過時間が短いほど値が大きくなる特性を有する重みを求める手段とを備え、前記計数手段は、前記重みを加味して、番組名毎に出現頻度の計数を行うことを特徴とする視聴装置を提供する。
【００３５】
本発明の第３０態様によれば、番組を記録媒体に記録する番組記録手段と、前記番組記録手段によって既に記録された番組について、少なくとも番組の出演者を表す出演者情報を含む番組に関する情報を記録する番組関連情報記録手段と、今後放送予定の番組について、少なくとも番組の出演者を表す出演者情報と番組の放映日時を表す放映日時情報とを含む番組に関する情報を記録しておく記録手段と、前記番組関連情報記録手段に記録された番組に関する情報の出演者情報を読み出す読み出し手段と、前記読み出された出演者情報に基づいて出演者毎に出現頻度を計数する計数手段と、前記計数手段により計数された出演者の出現頻度に基づいて前記番組に関する情報のうち少なくとも出演者情報を表示させる表示手段と、前記記録手段に記録された今後放送予定の番組に関する情報から放映日時情報を参照して、前記出現頻度を計数された出演者の番組と同一の番組の現在日時から放映予定日時までの予定経過時間を求める手段と、求められた予定経過時間を基にして、当該番組について、予定経過時間が短いほど値が大きくなる特性を有する重みを求める手段とを備え、前記計数手段は、前記重みを加味して、出演者毎に出現頻度の計数を行うことを特徴とする視聴装置を提供する。
【００３６】
本発明の第３１態様によれば、番組を記録媒体に記録する番組記録手段と、前記番組記録手段によって既に記録された番組について、少なくとも番組内容の概要を表す番組内容情報を含む番組に関する情報を記録する番組関連情報記録手段と、今後放送予定の番組について、少なくとも番組内容の概要を表す番組内容情報と番組の放映日時を表す放映日時情報とを含む番組に関する情報を記録しておく記録手段と、前記番組関連情報記録手段に記録された番組に関する情報の番組内容情報を読み出す読み出し手段と、前記読み出された番組内容情報において、キーワードを切り出し、そのキーワードの出現頻度を計数する計数手段と、前記計数手段により計数されたキーワードの出現頻度に基づいて前記番組に関する情報のうち少なくとも番組内容情報から切り出されたキーワードを表示させる表示手段と、前記記録手段に記録された今後放送予定の番組に関する情報から放映日時情報を参照して、前記出現頻度を計数されたキーワードの番組と同一の番組の現在日時から放映予定日時までの予定経過時間を求める手段と、求められた予定経過時間を基にして、当該番組について、予定経過時間が短いほど値が大きくなる特性を有する重みを求める手段とを備え、前記計数手段は、前記重みを加味して、キーワード毎に出現頻度の計数を行うことを特徴とする視聴装置を提供する。
【００３７】
本発明の第３２態様によれば、番組を記録媒体に記録する番組記録手段と、前記番組記録手段によって既に記録された番組について、少なくとも番組の番組名を表す番組名情報を含む番組に関する情報を記録する番組関連情報記録手段と、番組の所定期間内の放映回数が特定できる情報とを含む番組に関する情報を記録しておく記録手段と、前記番組関連情報記録手段に記録された番組に関する情報から番組名情報を読み出す読み出し手段と、
読み出された番組名情報の出現頻度を計数する計数手段と、前記計数手段により計数された出現頻度に基づいて前記番組に関する情報の番組名情報を表示させる表示手段と、前記記録手段に記録された放映回数が特定できる情報から、前記番組記録手段に記録された番組の所定期間内の放映回数を得る手段と、得られた放映回数に基づいて、当該番組について、所定期間内の放映回数が多いほど値が小さくなる特性を有する重みを求める手段とを備え、前記計数手段は、前記重みを加味して、番組名毎に出現頻度の計数を行うことを特徴とする視聴装置を提供する。
【００３８】
本発明の第３３態様によれば、番組を記録媒体に記録する番組記録手段と、前記番組記録手段によって既に記録された番組について、少なくとも番組の出演者を表す出演者情報を含む番組に関する情報を記録する番組関連情報記録手段と、番組の所定期間内の放映回数が特定できる情報とを含む番組に関する情報を記録しておく記録手段と、前記番組関連情報記録手段に記録された番組に関する情報から出演者情報を読み出す読み出し手段と、読み出された出演者情報の出現頻度を計数する計数手段と、前記計数手段により計数された出現頻度に基づいて前記番組に関する情報の出演者情報を表示させる表示手段と、前記記録手段に記録された放映回数が特定できる情報から、前記番組記録手段に記録された番組の所定期間内の放映回数を得る手段と、得られた放映回数に基づいて、当該番組について、所定期間内の放映回数が多いほど値が小さくなる特性を有する重みを求める手段とを備え、前記計数手段は、前記重みを加味して、出演者毎に出現頻度の計数を行うことを特徴とする視聴装置を提供する。
【００３９】
本発明の第３４態様によれば、番組を記録媒体に記録する番組記録手段と、前記番組記録手段によって既に記録された番組について、少なくとも番組内容の概要を表す番組内容情報を含む番組に関する情報を記録する番組関連情報記録手段と、番組の所定期間内の放映回数が特定できる情報を含む番組に関する情報を記録しておく記録手段と、前記番組関連情報記録手段に記録された番組に関する情報から番組関連情報を読み出す読み出し手段と、読み出された番組内容情報から切り出されたキーワードのいずれかの出現頻度を計数する計数手段と、前記計数手段により計数された出現頻度に基づいて前記番組に関する情報の番組内容情報から切り出されたキーワードを表示させる表示手段と、前記記録手段に記録された放映回数が特定できる情報から、前記番組記録手段に記録された番組の所定期間内の放映回数を得る手段と、得られた放映回数に基づいて、当該番組について、所定期間内の放映回数が多いほど値が小さくなる特性を有する重みを求める手段とを備え、前記計数手段は、前記重みを加味して、番組内容情報から切り出されたキーワード毎に出現頻度の計数を行うことを特徴とする視聴装置を提供する。
【００４０】
本発明の第３５態様によれば、番組を記録媒体に記録する番組記録手段と、前記番組記録手段によって既に記録された番組について、少なくとも番組の番組名を表す番組名情報を含む番組に関連する情報を記録する番組関連情報記録手段と、番組の初回放送の日時から現在日時までの経過時間、または再放送回数のいずれかが特定できる情報とを含む番組に関する情報を記録しておく記録手段と、前記番組関連情報記録手段に記録された番組に関する情報から番組名情報を読み出す読み出し手段と、読み出された番組名情報の出現頻度を計数する計数手段と、前記計数手段により計数された出現頻度に基づいて前記番組に関する情報の番組名情報を表示させる表示手段と、前記記録手段に記録された初回放送の日時から現在日時までの経過時間、または再放送回数のいずれかが特定できる情報から、前記番組記録手段に記録された番組の初回放送の日時から現在日時までの経過時間、または再放送回数を得る手段と、得られた経過時間または再放送回数に基づいて、当該番組について、前記経過時間が長いほど、あるいは再放送回数が多いほど値が小さくなる特性を有する重みを求める手段とを備え、前記計数手段は、前記重みを加味して、番組名毎に出現頻度の計数を行うことを特徴とする視聴装置を提供する。
【００４１】
本発明の第３６態様によれば、番組を記録媒体に記録する番組記録手段と、前記番組記録手段によって既に記録された番組について、少なくとも番組の出演者を表す出演者情報を含む番組に関連する情報を記録する番組関連情報記録手段と、番組の初回放送の日時から現在日時までの経過時間、または再放送回数のいずれかが特定できる情報とを含む番組に関する情報を記録しておく記録手段と、前記番組関連情報記録手段に記録された番組に関する情報の出演者情報を読み出す読み出し手段と、読み出された出演者情報の出現頻度を計数する計数手段と、前記計数手段により計数された出現頻度に基づいて前記番組に関する情報の出演者情報を表示させる表示手段と、前記記録手段に記録された初回放送の日時から現在日時までの経過時間、または再放送回数のいずれかが特定できる情報から、前記番組記録手段に記録された番組の初回放送の日時から現在日時までの経過時間、または再放送回数を得る手段と、得られた経過時間または再放送回数に基づいて、当該番組について、前記経過時間が長いほど、あるいは再放送回数が多いほど値が小さくなる特性を有する重みを求める手段とを備え、前記計数手段は、前記重みを加味して、出演者毎に出現頻度の計数を行うことを特徴とする視聴装置を提供する。
【００４２】
本発明の第３７態様によれば、番組を記録媒体に記録する番組記録手段と、前記番組記録手段によって既に記録された番組について、少なくとも番組内容の概要を表す番組内容情報を含む番組に関する情報を記録する番組関連情報記録手段と、番組の初回放送の日時から現在日時までの経過時間、または再放送回数のいずれかが特定できる情報とを含む番組に関する情報を記録しておく記録手段と、前記番組関連情報記録手段に記録された番組に関する情報の番組内容情報を読み出す読み出し手段と、読み出された番組内容情報から切り出されたキーワードの出現頻度を計数する計数手段と、前記計数手段により計数された出現頻度に基づいて前記番組に関する情報の番組内容情報から切り出されたキーワードを表示させる表示手段と、前記記録手段に記録された初回放送の日時から現在日時までの経過時間、または再放送回数のいずれかが特定できる情報から、前記番組記録手段に記録された番組の初回放送の日時から現在日時までの経過時間、または再放送回数を得る手段と、得られた経過時間または再放送回数に基づいて、当該番組について、前記経過時間が長いほど、あるいは再放送回数が多いほど値が小さくなる特性を有する重みを求める手段とを備え、前記計数手段は、前記重みを加味して、番組内容情報から切り出されたキーワード毎に出現頻度の計数を行うことを特徴とする視聴装置を提供する。
【００４３】
本発明の第３８態様によれば、番組を記録媒体に記録する番組記録手段と、前記番組記録手段によって既に記録された番組について、少なくとも番組の番組名を表す番組名情報を含む番組に関する情報を記録する番組関連情報記録手段と、番組の前回視聴率の情報とを含む番組に関する情報を記録しておく記録手段と、前記番組関連情報記録手段に記録された番組に関する情報の番組名情報を読み出す読み出し手段と、読み出された番組名情報の出現頻度を計数する計数手段と、前記計数手段により計数された出現頻度に基づいて前記番組に関する情報の番組名情報を表示させる表示手段と、前記記録手段に記録された番組の前回視聴率の情報から、前記番組記録手段に記録された番組の前回視聴率を得る手段と、得られた前回視聴率に基づいて、当該番組について、前記前回視聴率が高いほど値が大きくなる特性を有する重みを求める手段とを備え、前記計数手段は、前記重みを加味して、番組名毎に出現頻度の計数を行うことを特徴とする視聴装置を提供する。
【００４４】
本発明の第３９態様によれば、番組を記録媒体に記録する番組記録手段と、前記番組記録手段によって既に記録された番組について、少なくとも番組の出演者を表す出演者情報を含む番組に関する情報を記録する番組関連情報記録手段と、番組の前回視聴率の情報とを含む番組に関する情報を記録しておく記録手段と、前記番組関連情報記録手段に記録された番組に関する情報の出演者情報を読み出す読み出し手段と、読み出された出演者情報の出現頻度を計数する計数手段と、前記計数手段により計数された出現頻度に基づいて前記番組に関する情報の出演者情報を表示させる表示手段と、前記記録手段に記録された番組の前回視聴率の情報から、前記番組記録手段に記録された番組の前回視聴率を得る手段と、得られた前回視聴率に基づいて、当該番組について、前記前回視聴率が高いほど値が大きくなる特性を有する重みを求める手段とを備え、前記計数手段は、前記重みを加味して、出演者毎に出現頻度の計数を行うことを特徴とする視聴装置を提供する。
【００４５】
本発明の第４０態様によれば、番組を記録媒体に記録する番組記録手段と、前記番組記録手段によって既に記録された番組について、少なくとも番組内容の概要を表す番組内容情報を含む番組に関する情報を記録する番組関連情報記録手段と、番組の前回視聴率の情報とを含む番組に関する情報を記録しておく記録手段と、前記番組関連情報記録手段に記録された番組に関する情報の番組内容情報を読み出す読み出し手段と、読み出された番組内容情報から切り出されたキーワードの出現頻度を計数する計数手段と、前記計数手段により計数された出現頻度に基づいて前記番組に関する情報の番組内容情報から切り出されたキーワードを表示させる表示手段と、前記記録手段に記録された番組の前回視聴率の情報から、前記番組記録手段に記録された番組の前回視聴率を得る手段と、得られた前回視聴率に基づいて、当該番組について、前記前回視聴率が高いほど値が大きくなる特性を有する重みを求める手段とを備え、前記計数手段は、前記重みを加味して、番組内容情報から切り出されたキーワード毎に出現頻度の計数を行うことを特徴とする視聴装置を提供する。
【００４６】
本発明の第４１態様によれば、番組を記録媒体に記録する番組記録手段と、前記番組記録手段によって既に記録された番組について、少なくとも番組の出演者を表す出演者情報を含む番組に関する情報を記録しておく記録手段と、前記記録手段に記録された番組に関する情報の出演者情報を読み出す読み出し手段と、前記読み出された出演者情報に基づいて出演者毎に出現頻度を計数する計数手段と、前記計数手段により計数された出演者の出現頻度が高い順にソートされた出演者の一覧を表示するトレンド情報表示手段を備えている視聴装置を提供する。
【００４７】
本発明の第４２態様によれば、番組を記録媒体に記録する番組記録手段と、前記番組記録手段によって既に記録された番組について、少なくとも番組の出演者を表す出演者情報とジャンルの情報を含む番組に関する情報を記録しておく記録手段と、前記記録手段に記録された番組に関する情報の出演者情報を、あらかじめ定義された特定のジャンルに属する番組に限定して読み出す読み出し手段と、前記読み出された出演者情報に基づいて出演者毎に出現頻度を計数する計数手段とを備え、前記計数手段により計数された出演者の出現頻度に基づいて、前記出演者情報を表示する視聴装置を提供する。
【００４８】
本発明の第４３態様によれば、番組を記録媒体に記録する番組記録手段と、前記番組記録手段によって既に記録された番組について、少なくとも番組内容の概要を表す番組内容情報を含む番組に関する情報を記録しておく記録手段と、前記記録手段に記録された番組に関する情報の番組内容情報を読み出す読み出し手段と、読み出された番組内容情報において、キーワードを切り出し、そのキーワード毎に出現頻度を計数する計数手段と、前記計数手段により計数されたキーワードの出現頻度が高い順にソートされたキーワードの一覧を表示するトレンド情報表示手段を備えている視聴装置を提供する。
【００４９】
本発明の第４４態様によれば、番組を記録媒体に記録する番組記録手段と、前記番組記録手段によって既に記録された番組について、少なくとも番組内容の概要を表す番組内容情報とジャンルの情報を含む番組に関する情報を記録しておく記録手段と、前記記録手段に記録された番組に関する情報の番組内容情報を、あらかじめ定義された特定のジャンルに属する番組に限定して読み出す読み出し手段と、読み出された番組内容情報において、キーワードを切り出し、そのキーワード毎に出現頻度を計数する計数手段とを備え、前記計数手段により計数されたキーワードの出現頻度に基づいて、前記キーワードを表示することを特徴とする視聴装置を提供する。
【００５０】
本発明の第４５態様によれば、番組を記録媒体に記録する番組記録手段と、前記番組記録手段によって既に記録された番組について、少なくとも番組の番組名を表す番組名情報を含む番組に関する情報を記録する番組関連情報記録手段と、今後放送予定の番組について、少なくとも番組の番組名を表す番組名情報と番組の放映日時を表す放映日時情報とを含む番組に関する情報を記録しておく記録手段と、前記番組関連情報記録手段に記録された番組に関する情報の番組名情報を読み出す読み出し手段と、前記読み出された番組名情報に基づいて番組名毎に出現頻度を計数する計数手段と、前記計数手段により計数された番組名の出現頻度に基づいて前記番組を録画処理させる録画処理手段と、前記記録手段に記録された今後放送予定の番組に関する情報から放映日時情報を参照して、前記出現頻度を計数された番組と同一の番組の現在日時から放映予定日時までの予定経過時間を求める手段と、求められた予定経過時間を基にして、当該番組について、予定経過時間が短いほど値が大きくなる特性を有する重みを求める手段とを備え、前記計数手段は、前記重みを加味して、番組名毎に出現頻度の計数を行うことを特徴とする録画装置を提供する。
【００５１】
本発明の第４６態様によれば、番組を記録媒体に記録する番組記録手段と、前記番組記録手段によって既に記録された番組について、少なくとも番組の出演者を表す出演者情報を含む番組に関する情報を記録する番組関連情報記録手段と、今後放送予定の番組について、少なくとも番組の出演者を表す出演者情報と番組の放映日時を表す放映日時情報とを含む番組に関する情報を記録しておく記録手段と、前記番組関連情報記録手段に記録された番組に関する情報の出演者情報を読み出す読み出し手段と、前記読み出された出演者情報に基づいて出演者毎に出現頻度を計数する計数手段と、前記計数手段により計数された出演者の出現頻度に基づいて前記番組を録画処理させる録画処理手段と、前記記録手段に記録された今後放送予定の番組に関する情報から放映日時情報を参照して、前記出現頻度を計数された出演者の番組と同一の番組の現在日時から放映予定日時までの予定経過時間を求める手段と、求められた予定経過時間を基にして、当該番組について、予定経過時間が短いほど値が大きくなる特性を有する重みを求める手段とを備え、前記計数手段は、前記重みを加味して、出演者毎に出現頻度の計数を行うことを特徴とする録画装置を提供する。
【００５２】
本発明の第４７態様によれば、番組を記録処理する番組記録手段と、前記番組記録手段によって既に記録された番組について、少なくとも番組内容の概要を表す番組内容情報を含む番組に関する情報を記録する番組関連情報記録手段と、今後放送予定の番組について、少なくとも番組内容の概要を表す番組内容情報と番組の放映日時を表す放映日時情報とを含む番組に関する情報を記録しておく記録手段と、前記番組関連情報記録手段に記録された番組に関する情報の番組内容情報を読み出す読み出し手段と、前記読み出された番組内容情報において、キーワードを切り出し、そのキーワードの出現頻度を計数する計数手段と、前記計数手段により計数されたキーワードの出現頻度に基づいて前記番組を録画処理させる録画処理手段と、前記記録手段に記録された今後放送予定の番組に関する情報から放映日時情報を参照して、前記出現頻度を計数されたキーワードの番組と同一の番組の現在日時から放映予定日時までの予定経過時間を求める手段と、求められた予定経過時間を基にして、当該番組について、予定経過時間が短いほど値が大きくなる特性を有する重みを求める手段とを備え、前記計数手段は、前記重みを加味して、キーワード毎に出現頻度の計数を行うことを特徴とする録画装置を提供する。
【００５３】
本発明の第４８態様によれば、番組を記録媒体に記録する番組記録手段と、前記番組記録手段によって既に記録された番組について、少なくとも番組の番組名を表す番組名情報を含む番組に関する情報を記録する番組関連情報記録手段と、番組の所定期間内の放映回数が特定できる情報とを含む番組に関する情報を記録しておく記録手段と、前記番組関連情報記録手段に記録された番組に関する情報から番組名情報を読み出す読み出し手段と、読み出された番組名情報の出現頻度を計数する計数手段と、前記計数手段により計数された出現頻度に基づいて前記番組を録画処理させる録画処理手段と、前記記録手段に記録された放映回数が特定できる情報から、前記番組記録手段に記録された番組の所定期間内の放映回数を得る手段と、得られた放映回数に基づいて、当該番組について、所定期間内の放映回数が多いほど値が小さくなる特性を有する重みを求める手段とを備え、前記計数手段は、前記重みを加味して、番組名毎に出現頻度の計数を行うことを特徴とする録画装置を提供する。
【００５４】
本発明の第４９態様によれば、番組を記録媒体に記録する番組記録手段と、前記番組記録手段によって既に記録された番組について、少なくとも番組の出演者を表す出演者情報を含む番組に関する情報を記録する番組関連情報記録手段と、番組の所定期間内の放映回数が特定できる情報とを含む番組に関する情報を記録しておく記録手段と、前記番組関連情報記録手段に記録された番組に関する情報から出演者情報を読み出す読み出し手段と、読み出された出演者情報の出現頻度を計数する計数手段と、前記計数手段により計数された出現頻度に基づいて前記番組を録画処理させる録画処理手段と、前記記録手段に記録された放映回数が特定できる情報から、前記番組記録手段に記録された番組の所定期間内の放映回数を得る手段と、得られた放映回数に基づいて、当該番組について、所定期間内の放映回数が多いほど値が小さくなる特性を有する重みを求める手段とを備え、前記計数手段は、前記重みを加味して、出演者毎に出現頻度の計数を行うことを特徴とする録画装置を提供する。
【００５５】
本発明の第５０態様によれば、番組を記録媒体に記録する番組記録手段と、前記番組記録手段によって既に記録された番組について、少なくとも番組内容の概要を表す番組内容情報を含む番組に関する情報を記録する番組関連情報記録手段と、番組の所定期間内の放映回数が特定できる情報を含む番組に関する情報を記録しておく記録手段と、前記番組関連情報記録手段に記録された番組に関する情報から番組関連情報を読み出す読み出し手段と、読み出された番組内容情報から切り出されたキーワードのいずれかの出現頻度を計数する計数手段と、前記計数手段により計数された出現頻度に基づいて前記番組を録画処理させる録画処理手段と、前記記録手段に記録された放映回数が特定できる情報から、前記番組記録手段に記録された番組の所定期間内の放映回数を得る手段と、得られた放映回数に基づいて、当該番組について、所定期間内の放映回数が多いほど値が小さくなる特性を有する重みを求める手段とを備え、前記計数手段は、前記重みを加味して、番組内容情報から切り出されたキーワード毎に出現頻度の計数を行うことを特徴とする録画装置を提供する。
【００５６】
本発明の第５１態様によれば、番組を記録媒体に記録する番組記録手段と、前記番組記録手段によって既に記録された番組について、少なくとも番組の番組名を表す番組名情報を含む番組に関連する情報を記録する番組関連情報記録手段と、番組の初回放送の日時から現在日時までの経過時間、または再放送回数のいずれかが特定できる情報とを含む番組に関する情報を記録しておく記録手段と、前記番組関連情報記録手段に記録された番組に関する情報から番組名情報を読み出す読み出し手段と、読み出された番組名情報の出現頻度を計数する計数手段と、前記計数手段により計数された出現頻度に基づいて前記番組を録画処理させる録画処理手段と、前記記録手段に記録された初回放送の日時から現在日時までの経過時間、または再放送回数のいずれかが特定できる情報から、前記番組記録手段に記録された番組の初回放送の日時から現在日時までの経過時間、または再放送回数を得る手段と、得られた経過時間または再放送回数に基づいて、当該番組について、前記経過時間が長いほど、あるいは再放送回数が多いほど値が小さくなる特性を有する重みを求める手段とを備え、前記計数手段は、前記重みを加味して、番組名毎に出現頻度の計数を行うことを特徴とする録画装置を提供する。
【００５７】
本発明の第５２態様によれば、番組を記録媒体に記録する番組記録手段と、前記番組記録手段によって既に記録された番組について、少なくとも番組の出演者を表す出演者情報を含む番組に関連する情報を記録する番組関連情報記録手段と、番組の初回放送の日時から現在日時までの経過時間、または再放送回数のいずれかが特定できる情報とを含む番組に関する情報を記録しておく記録手段と、前記番組関連情報記録手段に記録された番組に関する情報の出演者情報を読み出す読み出し手段と、読み出された出演者情報の出現頻度を計数する計数手段と、前記計数手段により計数された出現頻度に基づいて前記番組を録画処理させる録画処理手段と、前記記録手段に記録された初回放送の日時から現在日時までの経過時間、または再放送回数のいずれかが特定できる情報から、前記番組記録手段に記録された番組の初回放送の日時から現在日時までの経過時間、または再放送回数を得る手段と、得られた経過時間または再放送回数に基づいて、当該番組について、前記経過時間が長いほど、あるいは再放送回数が多いほど値が小さくなる特性を有する重みを求める手段とを備え、前記計数手段は、前記重みを加味して、出演者毎に出現頻度の計数を行うことを特徴とする録画装置を提供する。
【００５８】
本発明の第５３態様によれば、番組を記録媒体に記録する番組記録手段と、前記番組記録手段によって既に記録された番組について、少なくとも番組内容の概要を表す番組内容情報を含む番組に関する情報を記録する番組関連情報記録手段と、番組の初回放送の日時から現在日時までの経過時間、または再放送回数のいずれかが特定できる情報とを含む番組に関する情報を記録しておく記録手段と、前記番組関連情報記録手段に記録された番組に関する情報の番組内容情報を読み出す読み出し手段と、読み出された番組内容情報から切り出されたキーワードの出現頻度を計数する計数手段と、前記計数手段により計数された出現頻度に基づいて前記番組を録画処理させる録画処理手段と、前記記録手段に記録された初回放送の日時から現在日時までの経過時間、または再放送回数のいずれかが特定できる情報から、前記番組記録手段に記録された番組の初回放送の日時から現在日時までの経過時間、または再放送回数を得る手段と、得られた経過時間または再放送回数に基づいて、当該番組について、前記経過時間が長いほど、あるいは再放送回数が多いほど値が小さくなる特性を有する重みを求める手段とを備え、前記計数手段は、前記重みを加味して、番組内容情報から切り出されたキーワード毎に出現頻度の計数を行うことを特徴とする録画装置を提供する。
【００５９】
本発明の第５４態様によれば、番組を記録媒体に記録する番組記録手段と、前記番組記録手段によって既に記録された番組について、少なくとも番組の番組名を表す番組名情報を含む番組に関する情報を記録する番組関連情報記録手段と、番組の前回視聴率の情報とを含む番組に関する情報を記録しておく記録手段と、前記番組関連情報記録手段に記録された番組に関する情報の番組名情報を読み出す読み出し手段と、読み出された番組名情報の出現頻度を計数する計数手段と、前記計数手段により計数された出現頻度に基づいて前記番組を録画処理させる録画処理手段と、前記記録手段に記録された番組の前回視聴率の情報から、前記番組記録手段に記録された番組の前回視聴率を得る手段と、得られた前回視聴率に基づいて、当該番組について、前記前回視聴率が高いほど値が大きくなる特性を有する重みを求める手段とを備え、前記計数手段は、前記重みを加味して、番組名毎に出現頻度の計数を行うことを特徴とする録画装置を提供する。
【００６０】
本発明の第５５態様によれば、番組を記録媒体に記録する番組記録手段と、前記番組記録手段によって既に記録された番組について、少なくとも番組の出演者を表す出演者情報を含む番組に関する情報を記録する番組関連情報記録手段と、番組の前回視聴率の情報とを含む番組に関する情報を記録しておく記録手段と、前記番組関連情報記録手段に記録された番組に関する情報の出演者情報を読み出す読み出し手段と、読み出された出演者情報の出現頻度を計数する計数手段と、前記計数手段により計数された出現頻度に基づいて前記番組を録画処理させる録画処理手段と、前記記録手段に記録された番組の前回視聴率の情報から、前記番組記録手段に記録された番組の前回視聴率を得る手段と、得られた前回視聴率に基づいて、当該番組について、前記前回視聴率が高いほど値が大きくなる特性を有する重みを求める手段とを備え、前記計数手段は、前記重みを加味して、出演者毎に出現頻度の計数を行うことを特徴とする録画装置を提供する。
【００６１】
本発明の第５６態様によれば、番組を記録媒体に記録する番組記録手段と、前記番組記録手段によって既に記録された番組について、少なくとも番組内容の概要を表す番組内容情報を含む番組に関する情報を記録する番組関連情報記録手段と、番組の前回視聴率の情報とを含む番組に関する情報を記録しておく記録手段と、前記番組関連情報記録手段に記録された番組に関する情報の番組内容情報を読み出す読み出し手段と、読み出された番組内容情報から切り出されたキーワードの出現頻度を計数する計数手段と、前記計数手段により計数された出現頻度に基づいて前記番組を録画処理させる録画処理手段と、前記記録手段に記録された番組の前回視聴率の情報から、前記番組記録手段に記録された番組の前回視聴率を得る手段と、得られた前回視聴率に基づいて、当該番組について、前記前回視聴率が高いほど値が大きくなる特性を有する重みを求める手段とを備え、前記計数手段は、前記重みを加味して、番組内容情報から切り出されたキーワード毎に出現頻度の計数を行うことを特徴とする録画装置を提供する。
【００６２】
以下、本発明に係る受信端末装置の実施の形態について、図面に基づいて詳細に説明する。
【００６３】
〔実施の形態１〕
図１は本発明の実施の形態１に係る視聴装置または録画装置としての受信端末装置の構成を示すブロック図である。図１において、１０は例えば放送衛星から送信されてくる番組を受信する番組受信手段、１１は受信した番組を視聴するためにＣＲＴなどの画面に表示する映像表示手段、１２は受信した番組を記録（録画）するための番組記録手段、１３は番組記録手段１２によって記録が行われた番組を記録しておく番組記録媒体である。番組記録媒体１３としては、ハードディスクや半導体メモリのほかにフロッピーディスクや磁気テープなどでもよい。また、１４は例えば放送衛星から定期的または不定期的に送信されてくる番組情報を受信する番組情報受信手段、１５は受信した番組情報を記録媒体に記録する番組情報記録手段、１６は番組情報を記録しておく番組情報記録媒体である。番組情報記録媒体１６としては、ハードディスクや半導体メモリのほかにフロッピーディスクや磁気テープなどでもよい。ハードディスクや半導体メモリを用いるときは、番組記録媒体１３と番組情報記録媒体１６とに兼用することも可能である。さらに、１７は番組記録媒体１３に記録された番組の番組特定情報としての番組名および映像表示手段１１に表示された番組の番組特定情報としての番組名を記録していく記録手段としての番組名記録手段、１８は番組名記録手段１７に記録されている番組名の出現頻度をカウントする計数手段としての番組名出現頻度計数手段、１９はカウントされたユーザー視聴トレンドに係る番組名出現頻度情報を出現頻度に応じて記憶し管理するトレンド情報管理手段、２０は出現頻度順に従って図４のようにユーザー自身の視聴トレンドとなっている番組名であるトレンド番組名情報２２を画面２００に表示するためのトレンド情報表示手段、２１は画面に表示されているユーザー自身に係るトレンド番組名情報２２の中からユーザーがリモコン操作などによる選択番号入力によって視聴したいと思う番組名であるトレンド番組名情報２２を選択するためのトレンド情報選択手段である。
【００６４】
図２は多種多様の番組情報のうちで本実施の形態１の場合に必要とされる番組情報を表すとともに、また番組情報記録媒体１６においてその番組情報を格納している１番組についての番組情報テーブル１６ａでの番組情報格納状態図である。本実施の形態１の場合、番組情報テーブル１６ａには、個々の番組についての番組名、番組放映日時、放送チャンネルが格納されている。ただし、これ以外の番組情報、例えば出演者（氏名）、番組のジャンルなどを含むことを除外するものではない。番組情報記録媒体１６には、上記のような番組情報テーブル１６ａが非常に多数存在している。
【００６５】
以上のように構成された実施の形態１の受信端末装置の動作を図３に示すフローチャートに従って、以下に説明する。
【００６６】
処理を開始する前に、すでに、番組名記録手段１７には、ユーザーが過去に番組記録媒体１３に記録した番組の番組名と、過去に映像表示手段１１によって表示して視聴した番組の番組名とが格納されているものとする。番組の記録は番組記録手段１２によって番組記録媒体１３に対して行われるが、このとき番組名記録手段１７がその記録した番組の番組名を自動的に記録していくのである。また、視聴のための番組の表示は表示映像表示手段１１での番組映出によって行われるが、このとき番組名記録手段１７がその表示した番組の番組名を自動的に記録していくのである。これらの番組名の記録処理に際して、番組情報記録媒体１６の番組情報から現在時刻と受信チャンネルに従って番組名を抽出する。したがって、この番組名記録手段１７には、ユーザー自身の視聴番組の嗜好の傾向すなわちユーザー視聴トレンドの番組の番組名が記録されていることになる。
【００６７】
ユーザーによるリモコン操作によりトレンド情報表示モードが選択されると、ステップＳ１からの動作がスタートし、ステップＳ１で図示しないＣＰＵ（中央演算処理装置）は番組名記録手段１７からそれに記録されている番組視聴・録画に係る記録データを読み出し、番組名キーワードを抽出する。ステップＳ２〜Ｓ５は番組名出現頻度計数手段１８とトレンド情報管理手段１９の協働によって処理される。ステップＳ２で前記の抽出した本実施の形態１の場合のトレンドキーワードであるユーザー視聴トレンドに係る番組名キーワードが番組名テーブルにすでに存在しているかどうかを判断する。その番組名キーワードが初回に抽出されたものであるときは、まだ番組名テーブルには存在していないから、ステップＳ３に進んで新キーワードとして番組名テーブルに追加する。この番組名テーブルは番組名出現頻度計数手段１８とトレンド情報管理手段１９とに共通のものとして設定されている。
【００６８】
ステップＳ３において新キーワードとして番組名テーブルに追加された場合、あるいは、抽出した番組名キーワードがすでに番組名テーブルに存在している場合、いずれも、ステップＳ４に進んで、その番組名キーワードに出現頻度としてのポイントを与える。すなわち、その番組名キーワードのカウント値を１だけインクリメントする。次いで、ステップＳ５に進んでこのルーチンにおいてＣＰＵによってまだ読み出されていない番組視聴・録画に係る記録データが番組名記録手段１７に存在しているかどうかを判断し、すべての番組視聴・録画に係る記録データについての読み出し・計数処理が終了していないときはステップＳ１に戻り、以下、同様の処理を繰り返し実行する。以上により、番組名記録手段１７に記録されているすべての番組視聴・録画に係る記録データの中から番組視聴・録画に係る番組名の出現回数をカウントする。
【００６９】
番組名記録手段１７に記憶されているすべての番組視聴・録画に係る記録データについて読み出し・計数処理が終了したときは、ステップＳ６に進んでトレンド情報管理手段１９は番組名テーブルにおいてポイントすなわち出現頻度の高い順に従って番組名キーワードをソートし、その結果を受け取ったトレンド情報表示手段２０はステップＳ７においてユーザー視聴トレンド情報としてのトレンド番組名情報２２を出現頻度の高い順にディスプレイの画面２００に表示する。出現頻度の高いものほど、その端末の現在のユーザー視聴トレンドといえる。
【００７０】
以上のようにして得られたユーザー視聴トレンドに係るトレンド番組名情報２２の表示状態の一例を図４に示す。トレンド番組名情報２２は、トレンド順位の高いものから降順で、トレンド順位番号と番組名とが対になって表示される。
【００７１】
なお、ユーザーは、このあと、リモコンなどのトレンド情報選択手段２１によって所望のトレンド順位番号を入力すると、その入力によって選択されたトレンド番組名に関係のある番組に関する各種の情報が画面に表示される。また、その選択により、録画予約や視聴予約を設定するようにすることも可能である。
【００７２】
本実施の形態１の受信端末装置によれば、画面２００に、ユーザー視聴トレンドに係るトレンド番組名情報２２を出現頻度の高い順に一覧的に表示するので、非常に多数の番組の中からユーザー自身の視聴トレンドに該当する番組の番組名を容易に見つけ出すことができる。
【００７３】
なお、トレンド情報表示手段２０が出現頻度順に従って表示するトレンド番組名情報２２は、通常は、その番組の番組名自体（文字列）であるが、これ以外で、番組名が判る状態での番組のタイトル画面の画像であってもよい。
【００７４】
また、出現頻度順に従って表示されたトレンド番組名情報２２を選択するためのトレンド情報選択手段２１は、ユーザー視聴トレンドに係るトレンド番組名の検索・表示をエッセンスとする本発明そのものとしては必須の要件ではなく、実機においては本発明が対象とする技術的範囲の外部において設けられていれば充分である。
【００７５】
また、番組情報受信手段１４と番組情報記録手段１５も本発明そのものとしては必須の要件ではない。番組情報記録媒体１６に対して何らかの方法で番組名を含む番組情報を格納すればよく、広義には番組情報を記録している番組情報記録媒体１６を何らかの手段で実機に接続するのでもよい。
【００７６】
〔実施の形態２〕
図５は本発明の実施の形態２に係る受信端末装置の構成を示すブロック図である。図５において、符号の１０から１９までは実施の形態１に係る図１と同一符号は同一構成を示すが、再度説明すると、１０は送信されてくる番組を受信する番組受信手段、１１は受信した番組を視聴するために画面に表示する映像表示手段、１２は受信した番組を記録（録画）するための番組記録手段、１３は番組記録手段１２によって記録が行われた番組を記録しておく番組記録媒体、１４は送信されてくる番組情報を受信する番組情報受信手段、１５は受信した番組情報を記録媒体に記録する番組情報記録手段、１６は番組情報を記録しておく番組情報記録媒体、１７は番組記録媒体１３に記録された番組の番組名および映像表示手段１１に表示された番組の番組名を記録していく番組名記録手段、１８は番組名記録手段１７に記録されているユーザー視聴トレンドに係る番組名の出現頻度をカウントする番組名出現頻度計数手段、１９はカウントされたユーザー視聴トレンドに係る番組名出現頻度情報を出現頻度に応じて記憶し管理するトレンド情報管理手段である。本実施の形態２においては、実施の形態１（図１）の場合のトレンド情報表示手段２０およびトレンド情報選択手段２１は設けられていない。代わりとして、符号３１，３２で示す要素が設けられている。３１は図７、図８のように番組情報３３を画面２００に表示する番組情報表示手段、３２は表示中の番組情報３３にユーザー視聴トレンドに係るトレンド番組名情報が含まれていることを画面２００に表示するためのトレンド情報表示手段としてのトレンド情報含有表示手段である。
【００７７】
番組情報として得られるものは、番組名、番組放映日時、放送チャンネルであり、これらが実施の形態１（図２）の番組情報テーブル１６ａと同様の番組情報テーブルに格納されている。
【００７８】
以上のように構成された実施の形態２の受信端末装置の動作を図６に示すフローチャートに従って、以下に説明する。
【００７９】
ユーザーによるリモコン操作によりトレンド情報表示モードが選択されると、ステップＳ１１からの動作がスタートする。ステップＳ１１〜Ｓ１６は、実施の形態１（図３）の場合のステップＳ１〜Ｓ６と同様である。簡単に説明すると、番組名記録手段１７にあらかじめユーザー視聴トレンドに係る番組視聴・録画の記録データが記録されているが、ここから番組視聴・録画に係る記録データを読み出し、番組名キーワードを抽出し、番組名出現頻度計数手段１８によって番組名キーワードをカウントし、トレンド情報管理手段１９において出現頻度順に従って番組名キーワードをソートし、記憶・管理している。
【００８０】
トレンド情報管理手段１９によるソートの次のステップＳ１７で番組情報表示手段３１は図７に示すようにディスプレイの画面２００に番組情報３３を表示する。そして、ステップＳ１８でトレンド情報管理手段１９は画面２００に表示中の番組情報３３に出現頻度が一定以上上位の番組名情報が存在しているかどうかを判断し、存在しているときはステップＳ１９でトレンド情報含有表示手段３２が図７の画面２００の右上（これは特に限定するものではなく、表示位置は任意である）に示すようにその表示中の番組情報３３に係るユーザー視聴トレンドに係るトレンド番組名のトレンド順位情報３４を表示する。図７の例ではトレンド順位情報３４として「トレンドNo.1」と表示されている。
【００８１】
トレンド情報含有表示手段３２は、トレンド順位情報３４を表示することに代えて、画面２００に表示中の番組情報３３に出現頻度が一定以上上位の番組名情報が存在しているときに、図８に示すようにトレンド番組名情報が含まれていることを示す絵記号などのユーザー視聴トレンドに係るトレンド情報含有表示マーク３５を表示するようにしてもよい。あるいは、該当する番組情報の表示色を該当しない場合の表示色とは明らかに異なる色にして表示するようにしてもよい。この場合に、画面の全体をそのような表示色にしてもよいし、ユーザー視聴トレンドに係るトレンド番組名の表示をそのような表示色にしてもよい。
【００８２】
本実施の形態２の受信端末装置によれば、画面表示した番組情報がユーザー視聴トレンドに係るトレンド番組名に係る番組情報である場合には、その画面に、ユーザー視聴トレンドに係るトレンド順位情報３４またはトレンド情報含有表示マーク３５を表示しあるいはその番組情報を他の場合とは異なる表示色で表示するので、非常に多数の番組の中からユーザー自身の視聴トレンドに該当する番組の番組名を容易に見つけ出すことができる。
【００８３】
なお、番組情報受信手段１４と番組情報記録手段１５は本発明そのものとしては必須の要件ではない。番組情報記録媒体１６に対して何らかの方法で番組名を含む番組情報を格納すればよく、広義には番組情報を記録している番組情報記録媒体１６を何らかの手段で実機に接続するのでもよい。
【００８４】
〔実施の形態３〕
図９は本発明の実施の形態３に係る受信端末装置の構成を示すブロック図である。図９において、符号の１０から１９までは実施の形態１に係る図１と同一符号は同一構成を示すが、再度説明すると、１０は送信されてくる番組を受信する番組受信手段、１１は受信した番組を視聴するために画面に表示する映像表示手段、１２は受信した番組を記録（録画）するための番組記録手段、１３は番組記録手段１２によって記録が行われた番組を記録しておく番組記録媒体、１４は送信されてくる番組情報を受信する番組情報受信手段、１５は受信した番組情報を記録媒体に記録する番組情報記録手段、１６は番組情報を記録しておく番組情報記録媒体、１７は番組記録媒体１３に記録された番組の番組名および映像表示手段１１に表示された番組の番組名を記録していく番組名記録手段、１８は番組名記録手段１７に記録されているユーザー視聴トレンドに係る番組名の出現頻度をカウントする番組名出現頻度計数手段、１９はカウントされたユーザー視聴トレンドに係る番組名出現頻度情報を出現頻度に応じて記憶し管理するトレンド情報管理手段である。また、４１は図１１、図１２のように番組表４３を画面２００に表示する番組表表示手段、４２は表示中の番組表４３にユーザー視聴トレンドに係るトレンド番組名情報が含まれていることを表示するトレンド情報表示手段としてのトレンド情報含有表示手段である。
【００８５】
番組情報として得られるものは、番組名、番組放映日時、放送チャンネルであり、これらが実施の形態１（図２）の番組情報テーブル１６ａと同様の番組情報テーブルに格納されている。
【００８６】
以上のように構成された実施の形態３の受信端末装置の動作を図１０に示すフローチャートに従って、以下に説明する。
【００８７】
ユーザーによるリモコン操作によりトレンド情報表示モードが選択されると、ステップＳ２１からの動作がスタートする。ステップＳ２１〜Ｓ２６は、実施の形態１（図３）の場合のステップＳ１〜Ｓ６と同様である。簡単に説明すると、番組名記録手段１７にあらかじめユーザー視聴トレンドに係る番組視聴・録画の記録データが記録されているが、ここから番組視聴・録画に係る記録データを読み出し、番組名キーワードを抽出し、番組名出現頻度計数手段１８によって番組名キーワードをカウントし、トレンド情報管理手段１９において出現頻度順に従って番組名キーワードをソートし、記憶・管理している。
【００８８】
トレンド情報管理手段１９によるソートの次のステップＳ２７で番組表表示手段４１は図１１に示すようにディスプレイの画面２００に番組表４３を表示する。番組表４３は、縦軸をチャンネル軸に、横軸を時間軸にした番組一覧表表示の形態をとる。そして、ステップＳ２８でトレンド情報管理手段１９は画面２００に表示中の番組表４３中のセルに出現頻度が一定以上上位の番組名情報が存在しているかどうかを判断し、存在しているときはトレンド情報含有表示手段４２が図１１の画面２００上の番組表４３内の該当するセルにおいてそのセルの番組情報に係るユーザー視聴トレンドに係るトレンド番組名のトレンド順位情報４４を表示する。図１１の例ではトレンド順位情報４４として「トレンドNo.1」、「トレンドNo.3」と表示されている。
【００８９】
トレンド情報含有表示手段４２は、トレンド順位情報４４を表示することに代えて、画面２００に表示中の番組表４３中のセルに出現頻度が一定以上上位の番組名情報が存在しているときに、図１２に示すようにトレンド番組名情報が含まれていることを示す絵記号などのユーザー視聴トレンドに係るトレンド情報含有表示マーク４５を表示するようにしてもよい。あるいは、該当するセルの表示色を他のセルの表示色とは明らかに異なる色にして、そのセルを表示するようにしてもよい。
【００９０】
本実施の形態３の受信端末装置によれば、画面表示した番組表中において、ユーザー視聴トレンドに係るトレンド番組名を含む番組情報のセルがある場合には、そのセル中に、ユーザー視聴トレンドに係るトレンド順位情報４４またはトレンド情報含有表示マーク３５を表示しあるいは該当するセルを他のセルとは異なる表示色で表示するので、非常に多数の番組の中からユーザー自身の視聴トレンドに該当する番組の番組名を容易に見つけ出すことができる。
【００９１】
なお、番組情報受信手段１４と番組情報記録手段１５は本発明そのものとしては必須の要件ではない。番組情報記録媒体１６に対して何らかの方法で番組名を含む番組情報を格納すればよく、広義には番組情報を記録している番組情報記録媒体１６を何らかの手段で実機に接続するのでもよい。
【００９２】
〔実施の形態４〕
図１３は本発明の実施の形態４に係る受信端末装置の構成を示すブロック図である。図１３において、符号の１０から１９までは実施の形態１に係る図１と同一符号は同一構成を示すが、再度説明すると、１０は送信されてくる番組を受信する番組受信手段、１１は受信した番組を視聴するために画面に表示する映像表示手段、１２は受信した番組を記録（録画）するための番組記録手段、１３は番組記録手段１２によって記録が行われた番組を記録しておく番組記録媒体、１４は送信されてくる番組情報を受信する番組情報受信手段、１５は受信した番組情報を記録媒体に記録する番組情報記録手段、１６は番組情報を記録しておく番組情報記録媒体、１７は番組記録媒体１３に記録された番組の番組名および映像表示手段１１に表示された番組の番組名を記録していく番組名記録手段、１８は番組名記録手段１７に記録されているユーザー視聴トレンドに係る番組名の出現頻度をカウントする番組名出現頻度計数手段、１９はカウントされたユーザー視聴トレンドに係る番組名出現頻度情報を出現頻度に応じて記憶し管理するトレンド情報管理手段である。構成の要素としては実施の形態１の場合と同一であるが、トレンド情報管理手段１９が番組記録手段１２を制御するようになっているところが相違する。すなわち、トレンド情報管理手段１９はユーザー視聴トレンドに係るトレンド番組名情報に基づいて番組記録手段１２を制御し、ユーザー視聴トレンドに係るトレンド番組名の番組を番組記録媒体１３に記録するように構成されている。
【００９３】
番組情報として得られるものは、番組名、番組放映日時、放送チャンネルであり、これらが実施の形態１（図２）の番組情報テーブル１６ａと同様の番組情報テーブルに格納されている。
【００９４】
以上のように構成された実施の形態４の受信端末装置の動作を図１４に示すフローチャートに従って、以下に説明する。
【００９５】
ユーザーによるリモコン操作によりトレンド情報表示モードが選択されると、ステップＳ３１からの動作がスタートする。ステップＳ３１〜Ｓ３６は、実施の形態１（図３）の場合のステップＳ１〜Ｓ６と同様である。簡単に説明すると、番組名記録手段１７にあらかじめユーザー視聴トレンドに係る番組視聴・録画の記録データが記録されているが、ここから番組視聴・録画に係る記録データを読み出し、番組名キーワードを抽出し、番組名出現頻度計数手段１８によって番組名キーワードをカウントし、トレンド情報管理手段１９において出現頻度順に従って番組名キーワードをソートし、記憶・管理している。
【００９６】
トレンド情報管理手段１９によるソートの次のステップＳ３７でトレンド情報管理手段１９は、番組記録手段１２の状態が録画する番組をユーザーが指定しない自動録画モードとなっているとき、カレントキーワードとして出現頻度の最も高いユーザー視聴トレンドに係る番組名キーワードを設定し、ステップＳ３８で番組記録手段１２はカレントキーワードを含む番組を番組記録媒体１３の現在の空き領域に記録することができるかどうかを判断し、その空き領域に記憶できるときにはステップＳ３９に進んで録画予約を設定し、ユーザー視聴トレンドに係るトレンド番組名に係る該当の番組を番組受信手段１０が受信する時間帯になると、番組記録手段１２はその受信したユーザー視聴トレンドに係る番組を自動的に番組記録媒体１３に記録する。
【００９７】
そして、その番組の記録が終了すると、カレントキーワードとして次に出現頻度の高いユーザー視聴トレンドに係る番組名キーワードを設定して、ステップＳ３８に進み、以下同様の動作を繰り返す。番組記録媒体１３において空き領域がなくなったときは、このルーチンを終了する。
【００９８】
以上のようにして、ユーザー視聴トレンドに係るトレンド順位の高い番組名に係る番組を優先的に録画する。
【００９９】
本実施の形態４の受信端末装置によれば、ユーザー視聴トレンドに係るトレンド番組名の番組情報がある場合には、そのユーザー視聴トレンドに係るトレンド番組名の番組を自動的に録画するので、ユーザー自身が日頃からよく視聴しているユーザー視聴トレンドに係る番組を見落とすのを防止することができる。
【０１００】
なお、番組情報受信手段１４と番組情報記録手段１５は本発明そのものとしては必須の要件ではない。番組情報記録媒体１６に対して何らかの方法で番組名を含む番組情報を格納すればよく、広義には番組情報を記録している番組情報記録媒体１６を何らかの手段で実機に接続するのでもよい。
【０１０１】
〔実施の形態５〕
図１５は本発明の実施の形態５に係る受信端末装置の構成を示すブロック図である。図１５において、符号の１０から１９までは実施の形態１に係る図１と同一符号は同一構成を示すが、再度説明すると、１０は送信されてくる番組を受信する番組受信手段、１１は受信した番組を視聴するために画面に表示する映像表示手段、１２は受信した番組を記録（録画）するための番組記録手段、１３は番組記録手段１２によって記録が行われた番組を記録しておく番組記録媒体、１４は送信されてくる番組情報を受信する番組情報受信手段、１５は受信した番組情報を記録媒体に記録する番組情報記録手段、１６は番組情報を記録しておく番組情報記録媒体、１７は番組記録媒体１３に記録された番組の番組名および映像表示手段１１に表示された番組の番組名を記録していく番組名記録手段、１８は番組名記録手段１７に記録されているユーザー視聴トレンドに係る番組名の出現頻度をカウントする番組名出現頻度計数手段、１９はカウントされたユーザー視聴トレンドに係る番組名出現頻度情報を出現頻度に応じて記憶し管理するトレンド情報管理手段である。また、５１は記録モードに入ったときに番組記録媒体１３の空き領域が充分でないときに、番組記録媒体１３にすでに記録されている番組であってユーザー視聴トレンドのトレンド順位が下位であった番組名の番組を番組記録媒体１３から消去廃棄する番組廃棄手段である。
【０１０２】
番組情報として得られるものは、番組名、番組放映日時、放送チャンネルであり、これらが実施の形態１（図２）の番組情報テーブル１６ａと同様の番組情報テーブルに格納されている。
【０１０３】
以上のように構成された実施の形態５の受信端末装置の動作を図１６に示すフローチャートに従って、以下に説明する。
【０１０４】
ステップＳ４１〜Ｓ４６は、実施の形態１（図３）の場合のステップＳ１〜Ｓ６と同様である。簡単に説明すると、番組名記録手段１７にあらかじめユーザー視聴トレンドに係る番組視聴・録画の記録データが記録されているが、ここから番組視聴・録画に係る記録データを読み出し、番組名キーワードを抽出し、番組名出現頻度計数手段１８によって番組名キーワードをカウントし、トレンド情報管理手段１９において出現頻度順に従って番組名キーワードをソートし、記憶・管理している。
【０１０５】
ただし、実施の形態４の自動記録モードの場合に、番組記録媒体１３の空き領域が充分でないとの判断がなされたときに、ステップＳ４１からの動作がスタートする。
【０１０６】
トレンド情報管理手段１９によるソートの次のステップＳ４７でトレンド情報管理手段１９はカレントキーワードとして出現頻度の最も低いユーザー視聴トレンドに係る番組名キーワードを設定し、ステップＳ４８で番組廃棄手段５１はカレントキーワードを含む番組を番組記録媒体１３から消去廃棄する。次いで、ステップＳ４９で図１４のステップＳ３９の番組の記録を行うのに充分な空き領域が番組記録媒体１３に確保されたか否かを判断し、まだ充分でないと判断したときはカレントキーワードとして次に出現頻度の低いユーザー視聴トレンドに係る番組名キーワードを設定して、ステップＳ４８に進み、以下同様の動作を繰り返す。番組記録媒体１３において空き領域が充分に確保されたときには、このルーチンを終了する。
【０１０７】
以上のようにして、番組記録媒体１３において空き領域が不足している場合には、ユーザー視聴トレンドに係るトレンド順位の低い番組名の番組を優先して消去廃棄する。
【０１０８】
本実施の形態５の受信端末装置によれば、自動記録モードになったときに、番組記録媒体１３に空き領域が充分に確保されていないときは、ユーザー視聴トレンドに係るトレンド順位の低い番組名の番組から順に番組記録媒体１３から消去廃棄するので、番組記録媒体１３において空き領域を充分に確保して、次に放送されるユーザー視聴トレンドに係るトレンド順位の高い番組名の番組を自動的に番組記録媒体１３に記録することができ、ユーザー視聴トレンドに係る番組を見落とすのを確実に防止することができる。
【０１０９】
〔実施の形態６〕
図１７は本発明の実施の形態６に係る受信端末装置の構成を示すブロック図である。図１７において、１０は例えば放送衛星から送信されてくる番組を受信する番組受信手段、１１は受信した番組を視聴するためにＣＲＴなどの画面に表示する映像表示手段、１２は受信した番組を記録（録画）するための番組記録手段、１３は番組記録手段１２によって記録が行われた番組を記録しておくためのハードディスクや半導体メモリなどの番組記録媒体、１４は例えば放送衛星から定期的または不定期的に送信されてくる番組情報を受信する番組情報受信手段、１５は受信した番組情報を記録媒体に記録する番組情報記録手段、１６は番組情報を記録しておくためのハードディスクや半導体メモリなどの番組情報記録媒体、１７は番組記録媒体１３に記録された番組の番組名および映像表示手段１１に表示された番組の番組名を記録していく番組名記録手段である。また、６１は番組名記録手段１７に番組名が記録されているユーザー視聴トレンドに係る番組の番組情報からその番組のジャンルがドラマ、歌番組など、その番組の出演者が時代のトレンドを表すジャンルに属する番組情報だけを選別する読み出し手段としての番組情報選別手段、６２は選別された番組情報の出演者情報からユーザー視聴トレンドに係る番組の出演者の出現頻度をカウントする計数手段としての出演者出現頻度計数手段、６３はカウントされたユーザー視聴トレンドに係る出演者出現頻度情報を出現頻度に応じて記憶し管理するトレンド情報管理手段、６４は出現頻度順に従って図２０のようにユーザー視聴トレンドに係る番組のトレンド出演者の氏名であるトレンド出演者情報６６を画面２００に表示するためのトレンド情報表示手段、６５は画面に表示されているユーザー視聴トレンドに係るトレンド出演者情報６６の中からユーザーがリモコン操作などによる選択番号入力によって視聴したいと思う出演者（氏名）であるトレンド出演者情報６６を選択するためのトレンド情報選択手段である。
【０１１０】
図１８は多種多様の番組情報のうちで本実施の形態６の場合に必要とされる番組情報を表すとともに、また番組情報記録媒体１６においてその番組情報を格納している１番組についての番組情報テーブル１６ｂでの番組情報格納状態図である。本実施の形態６の場合、番組情報テーブル１６ｂには、個々の番組についての番組名、番組放映日時、放送チャンネル、番組の主要な出演者（氏名）、番組のジャンルが格納されている。番組情報記録媒体１６には、上記のような番組情報テーブル１６ｂが非常に多数存在している。
【０１１１】
以上のように構成された実施の形態６の受信端末装置の動作を図１９に示すフローチャートに従って、以下に説明する。
【０１１２】
処理を開始する前に、すでに、番組名記録手段１７には、ユーザーが過去に番組記録媒体１３に記録した番組の番組名と、過去に映像表示手段１１によって表示して視聴した番組の番組名とが格納されているものとする。番組の記録は番組記録手段１２によって番組記録媒体１３に対して行われるが、このとき番組名記録手段１７がその記録した番組の番組名を自動的に記録していくのである。また、視聴のための番組の表示は表示映像表示手段１１での番組映出によって行われるが、このとき番組名記録手段１７がその表示した番組の番組名を自動的に記録していくのである。これらの番組名の記録処理に際して、番組情報記録媒体１６の番組情報から現在時刻と受信チャンネルに従って番組名を抽出する。したがって、この番組名記録手段１７には、ユーザー自身の視聴番組の嗜好の傾向すなわちユーザー視聴トレンドの番組の番組名が記録されていることになる。
【０１１３】
ユーザーによるリモコン操作によりトレンド情報表示モードが選択されると、ステップＳ５１からの動作がスタートし、ステップＳ５１で図示しないＣＰＵ（中央演算処理装置）は番組名記録手段１７に記録されている番組視聴・録画に係るユーザー視聴トレンドに係る記録データに関する番組情報を番組情報記録媒体１６から読み出す。この読み出しは番組情報テーブルの１つごとに行う。ステップＳ５２で番組情報選別手段６１は読み出した番組情報に対してジャンルのフィルタをかける。すなわち、読み出した番組情報のうちジャンルが時代のトレンドを表すジャンルであるドラマか歌番組となっている番組情報のみを選別する。ステップＳ５２でジャンルがドラマと歌番組のいずれかに属しているかどうかを判断し、属していないときは、その番組情報についてステップＳ５３以下の処理は放棄してステップＳ５１に戻り、次の番組情報テーブルからの番組情報の読み出しに進む（番組情報読み出しのインクリメントを行う）が、属しているときにはステップＳ５３に進む。なお、番組情報についてフィルタをかける時代のトレンドを表すジャンルの種類は任意である。ここでは、ドラマと歌番組を一例として取り上げている。
【０１１４】
ステップＳ５３〜Ｓ５７は出演者出現頻度計数手段６２とトレンド情報管理手段６３の協働によって処理される。ステップＳ５３でジャンルがドラマまたは歌番組に属している番組情報について本実施の形態６の場合のトレンドキーワードである出演者キーワードを取り出し（出演者氏名を示すコードデータを抽出し）、ステップＳ５４でその出演者キーワードが出演者キーワードテーブルにすでに存在しているかどうかを判断する。その出演者キーワードが初回に取り出されたものであるときは、まだ出演者キーワードテーブルには存在していないから、ステップＳ５５に進んで新キーワードとして出演者キーワードテーブルに追加する。この出演者キーワードテーブルは出演者出現頻度計数手段６２とトレンド情報管理手段６３とに共通のものとして設定されている。
【０１１５】
ステップＳ５５において新キーワードとして出演者キーワードテーブルに追加された場合、あるいは、取り出した出演者キーワードがすでに出演者キーワードテーブルに存在している場合、いずれも、ステップＳ５６に進んで、そのユーザー視聴トレンドに係る出演者キーワードに出現頻度としてのポイントを与える。すなわち、その出演者キーワードのカウント値を１だけインクリメントする。次いで、ステップＳ５７に進んでこのルーチンにおいてＣＰＵによってまだ読み出されていない番組名記録手段１７における番組視聴・録画に係る記録データに関する番組情報が存在しているかどうかを判断し、すべての番組情報についての読み出し・計数処理が終了していないときはステップＳ５１に戻り、以下、同様の処理を繰り返し実行する。以上により、番組名記録手段１７に記録されている番組視聴・録画に係る記録データに関する番組情報であって番組情報記録媒体１６に記録されているすべての番組情報の中からドラマと歌番組のジャンルにおけるユーザー視聴トレンドに係る出演者の出現回数をカウントする。
【０１１６】
番組情報記録媒体１６に記憶されているユーザー視聴トレンドに係るすべての番組情報について読み出し・計数処理が終了したときは、ステップＳ５８に進んでトレンド情報管理手段６３は出演者キーワードテーブルにおいてポイントすなわち出現頻度の高い順に従ってユーザー視聴トレンドに係る出演者キーワードをソートし、その結果を受け取ったトレンド情報表示手段６４はステップＳ５９において図２０に示すようにユーザー視聴トレンドに係るトレンド出演者情報６６を出現頻度の高い順にディスプレイの画面２００に表示する。出現頻度の高いものほどユーザー視聴トレンドが高いといえる。
【０１１７】
以上のようにして得られたユーザー視聴トレンドに係わってドラマおよび歌番組のジャンルでトレンドとなっている出演者（氏名）の表示状態の一例を図２０に示す。トレンド出演者情報６６は、トレンド順位の高いものから降順で、トレンド順位番号と出演者氏名とが対になって表示される。
【０１１８】
なお、ユーザーは、このあと、リモコンなどのトレンド情報選択手段６５によって所望のトレンド順位番号を入力すると、その入力によって選択されたトレンド出演者に関係のある（出演している）番組の集合だけが選択される。あとは選択したトレンド出演者が出演している番組についてのみ、例えば図２１のようなジャンル別のメニュー６７を画面２００に表示し、所望の番組にたどり着くまでユーザーが選択肢を選んで行く。この例ではジャンル別のメニューを示したが、ユーザーが選択したトレンド出演者に限定された選択肢が順次に表示されていくインタフェースであればどのような形式でもよい。
【０１１９】
本実施の形態６の受信端末装置によれば、画面２００に、ユーザーが過去においてよく視聴していた番組内での出演者であるユーザー視聴トレンドに係るトレンド出演者情報６６を出現頻度の高い順に一覧的に表示するので、非常に多数の番組の中からユーザー視聴トレンドに係るトレンド出演者の出演している番組を容易に見つけ出すことができる。
【０１２０】
なお、ジャンルの選別に当たって、本実施の形態６ではドラマと歌番組としているが、そのほかのジャンルについても、そのジャンルの出演者が時代、世相を反映したトレンドと考えられ得るジャンルについてはトレンドキーワードの計数の対象としてよい。例えば、ドラマと歌番組とバラエティ番組とクイズ番組とニュース番組の中から任意の２つまたは３つ以上のジャンルの組み合わせで選別してもよいし、単に１つのジャンルで選別してもよい。さらには、このような選別を行わずに、すべてのジャンルにおいて出演者出現頻度をカウントする場合も本発明は実施の形態として含むものとする。
【０１２１】
なお、トレンド情報表示手段６５が出現頻度順に従って表示するユーザー視聴トレンド情報に係るトレンド出演者情報６６は、通常は、その出演者の氏名であるが、これ以外で、出演者の顔の画像であってもよい。
【０１２２】
また、出現頻度順に従って表示されたユーザー視聴トレンドに係るトレンド出演者情報６６を選択するためのトレンド情報選択手段６５は、本発明そのものとしては必須の要件ではなく、実機においては本発明が対象とする技術的範囲の外部において設けられていれば充分である。
【０１２３】
また、番組情報受信手段１４と番組情報記録手段１５は本発明そのものとしては必須の要件ではない。番組情報記録媒体１６に対して何らかの方法で番組名を含む番組情報を格納すればよく、広義には番組情報を記録している番組情報記録媒体１６を何らかの手段で実機に接続するのでもよい。
【０１２４】
〔実施の形態７〕
図２２は本発明の実施の形態７に係る受信端末装置の構成を示すブロック図である。図２２において、１０は例えば放送衛星から送信されてくる番組を受信する番組受信手段、１１は受信した番組を視聴するためにＣＲＴなどの画面に表示する映像表示手段、１２は受信した番組を記録（録画）するための番組記録手段、１３は番組記録手段１２によって記録が行われた番組を記録しておくためのハードディスクや半導体メモリなどの番組記録媒体、１４は例えば放送衛星から定期的または不定期的に送信されてくる番組情報を受信する番組情報受信手段、１５は受信した番組情報を記録媒体に記録する番組情報記録手段、１６は番組情報を記録しておくためのハードディスクや半導体メモリなどの番組情報記録媒体、１７は番組記録媒体１３に記録された番組の番組名および映像表示手段１１に表示された番組の番組名を記録していく番組名記録手段である。また、７１は番組名記録手段１７にユーザー視聴トレンドに係る番組名が記録されている番組の番組情報からその番組のジャンルがニュース、報道など、その番組で取り上げられるトピックが時代のトレンドを表すジャンルに属する番組情報だけを選別する読み出し手段としての番組情報選別手段、７２は選別された番組情報の内容解説の文から、文を構成する各単語の切り出しを行う単語切り出し手段、７３は切り出された単語の出現頻度をカウントする単語出現頻度計数手段、７４は類似した単語を併合する類似単語併合手段、７５はカウントされたユーザー視聴トレンドに係る単語出現頻度情報を出現頻度に応じて記憶し管理するトレンド情報管理手段、７６は出現頻度順に従って図２６のようにユーザー視聴トレンドに係る単語であるトレンド単語情報７８を画面２００に表示するためのトレンド情報表示手段、７７は画面に表示されているトレンド単語情報７８の中からユーザーがリモコン操作などによる選択番号入力によって視聴したいと思う番組に係るトレンド単語情報７８を選択するためのトレンド情報選択手段である。単語切り出し手段７２、単語出現頻度計数手段７３および類似単語併合手段７４によって、計数手段が構成されている。
【０１２５】
図２３は多種多様の番組情報のうちで本実施の形態７の場合に必要とされる番組情報を表すとともに、また番組情報記録媒体１６においてその番組情報を格納している１番組についての番組情報テーブル１６ｃでの番組情報格納状態図である。本実施の形態７の場合、番組情報テーブル１６ｃには、個々の番組についての番組名、番組放映日時、放送チャンネル、番組のジャンル、番組の内容の概略の解説の文が格納されている。ただし、これ以外の番組情報を含むことを除外するものではない。番組情報記録媒体１６には、上記のような番組情報テーブル１６ｃが非常に多数存在している。
【０１２６】
以上のように構成された実施の形態７の受信端末装置の動作を図２４、図２５に示すフローチャートに従って、以下に説明する。
【０１２７】
処理を開始する前に、すでに、番組名記録手段１７には、ユーザーが過去に番組記録媒体１３に記録した番組の番組名と、過去に映像表示手段１１によって表示して視聴した番組の番組名とが格納されているものとする。番組の記録は番組記録手段１２によって番組記録媒体１３に対して行われるが、このとき番組名記録手段１７がその記録した番組の番組名を自動的に記録していくのである。また、視聴のための番組の表示は表示映像表示手段１１での番組映出によって行われるが、このとき番組名記録手段１７がその表示した番組の番組名を自動的に記録していくのである。これらの番組名の記録処理に際して、番組情報記録媒体１６の番組情報から現在時刻と受信チャンネルに従って番組名を抽出する。したがって、この番組名記録手段１７には、ユーザー自身の視聴番組の嗜好の傾向すなわちユーザー視聴トレンドの番組の番組名が記録されていることになる。
【０１２８】
ユーザーによるリモコン操作によりトレンド情報表示モードが選択されると、ステップＳ６１からの動作がスタートし、ステップＳ６１で図示しないＣＰＵは番組名記録手段１７に記録されている番組視聴・録画に係るユーザー視聴トレンドの記録データに関する番組情報を番組情報記録媒体１６から読み出す。この読み出しは番組情報テーブルの１つごとに行う。ステップＳ６２で番組情報選別手段７１は読み出した番組情報に対してジャンルのフィルタをかける。すなわち、読み出した番組情報のうちジャンルが時代のトレンドを表すジャンルであるニュース番組か報道番組となっている番組情報のみを選別する。ステップＳ６２でジャンルがニュース番組と報道番組のいずれかに属しているかどうかを判断し、属していないときは、その番組情報についてステップＳ６３以下の処理は放棄してステップＳ６１に戻り、次の番組情報テーブルからの番組情報の読み出しに進む（番組情報読み出しのインクリメントを行う）が、属しているときにはステップＳ６３に進む。なお、番組情報についてフィルタをかける時代のトレンドを表すジャンルの種類は任意である。ここでは、ニュース番組と報道番組を一例として取り上げている。ステップＳ６３で単語切り出し手段７２は読み出した番組情報の中から内容解説の文における単語キーワードを取り出し、ステップＳ６４に進む。
【０１２９】
ステップＳ６４〜Ｓ７０は単語出現頻度計数手段７３とトレンド情報管理手段７５の協働によって処理される。ステップＳ６３でジャンルがニュース番組または報道番組に属している番組情報について本実施の形態７の場合の単語キーワードを取り出し（単語を示すコードデータを抽出し）、ステップＳ６４でその単語キーワードが単語キーワードテーブルにすでに存在しているかどうかを判断する。その単語キーワードが初回に取り出されたものであるときは、まだ単語キーワードテーブルには存在していないから、ステップＳ６５に進んで新キーワードとして単語キーワードテーブルに追加する。この単語キーワードテーブルは単語出現頻度計数手段７３とトレンド情報管理手段７５とに共通のものとして設定されている。
【０１３０】
ステップＳ６５において新キーワードとして単語キーワードテーブルに追加された場合、あるいは、取り出した単語キーワードがすでに単語キーワードテーブルに存在している場合、いずれも、ステップＳ６６に進んで、その単語キーワードに出現頻度としてのポイントを与える。すなわち、その単語キーワードのカウント値を１だけインクリメントする。次いで、ステップＳ６７において類似単語併合手段７４は類似単語キーワード（ｋｗ）のチェックをする。これは、例えば「オウム真理教」と「オウム教団」は同じことがらを表すが、これらがおのおの別の単語として扱われるの防止するためである。類似単語キーワードのチェックは比較するキーワード間で共有する文字列をどのくらい含んでいるかで決定する。ステップＳ６８で類似単語キーワードが存在するか否かを判断し、存在するときはステップＳ６９に進んで単語キーワードのマージ（２つ以上のデータを１つに併合すること）の処理を行う。マージ処理では単語キーワードに与えられているポイントの合計も行う。マージ処理が終わるとステップＳ７０に進む。類似単語キーワードが存在しないときもステップＳ７０に進む。ステップＳ７０においてＣＰＵによってまだ読み出されていない番組名記録手段１７における番組視聴・録画に係るユーザー視聴トレンドの記録データに関する番組情報が存在しているかどうかを判断し、すべての番組情報についての読み出し・マージを含む計数処理が終了していないときはステップＳ６１に戻り、以下、同様の処理を繰り返し実行する。以上により、番組名記録手段１７に記録されている番組視聴・録画に係るユーザー視聴トレンドの記録データに関する番組情報であって番組情報記録媒体１６に記録されているすべての番組情報の中からニュース番組と報道番組のジャンルにおける内容解説の文の中に出ている単語の出現回数をカウントする。単語の切り出しについては、自然言語処理の分野では様々な手法が提案されているので、それらのどの方法を用いてもよい。
【０１３１】
番組名記録手段１７に記録されている番組視聴・録画に係る記録データに関する番組情報の番組情報記録媒体１６における検索が終了すると、ステップＳ７１に進み、トレンド情報管理手段７５は単語キーワードテーブルにおいてポイントすなわち出現頻度の高い順に従って単語キーワードをソートし、その結果を受け取ったトレンド情報表示手段７６はステップＳ７２においてユーザー視聴トレンドに係るトレンド単語情報７８を出現頻度の高い順にディスプレイの画面２００に表示する。出現頻度の高いものほど現在のユーザー視聴トレンドといえる。
【０１３２】
以上のようにして得られたユーザー視聴トレンドに係わってニュース番組および報道番組のジャンルでトレンドとなっている出現頻度の高い単語群の表示状態の一例を図２６に示す。トレンド単語情報７８は、ユーザー視聴トレンドに係るトレンド順位の高いものから降順で、トレンド順位番号とトレンド単語とが対になって表示される。
【０１３３】
なお、ユーザーは、このあと、リモコンなどのトレンド情報選択手段７７によって所望のトレンド順位番号を入力すると、その入力によって選択されたトレンド単語に関係のある番組の集合だけが選択される。あとは選択したトレンド単語関連番組についてのみ、例えば図２７のようなジャンル別のメニュー７９を画面２００に表示し、所望の番組にたどり着くまでユーザーが選択肢を選んで行く。この例ではジャンル別のメニューを示したが、ユーザーが選択したユーザー視聴トレンドに係るトレンド単語に限定された選択肢が順次に表示されていくインタフェースであればどのような形式であってもよい。
【０１３４】
本実施の形態７の受信端末装置によれば、画面２００に、ユーザーが過去においてよく視聴していた番組内でのユーザー視聴トレンドに係るトレンド単語情報７８を出現頻度の高い順に一覧的に表示するので、非常に多数の番組の中からユーザー視聴トレンドに係るトレンド単語が出てくる内容の番組を容易に見つけ出すことができる。
【０１３５】
なお、ジャンルの選別に当たって、本実施の形態７ではニュース番組と報道番組としているが、そのほかのジャンルについても、そのジャンルの単語が時代、世相を反映したトレンドと考えられ得るジャンルについてはトレンドキーワードの計数の対象としてよい。例えば、ニュース番組と報道番組とワイドショー番組とドキュメンタリー番組とスペシャル番組の中から任意の２つまたは３つ以上のジャンルの組み合わせで選別してもよいし、単に１つのジャンルで選別してもよい。さらには、このような選別を行わずに、すべてのジャンルにおいて内容解説の文中の単語出現頻度をカウントする場合も本発明は実施の形態として含むものとする。
【０１３６】
また、出現頻度順に従って表示されたユーザー視聴トレンドに係るトレンド単語情報７８を選択するためのトレンド情報選択手段７７は、本発明そのものとしては必須の要件ではなく、実機においては本発明が対象とする技術的範囲の外部において設けられていれば充分である。
【０１３７】
さらに、類似する単語キーワードをマージ（併合）するための類似単語併合手段７４はあった方が分類上好ましいといえるが、本発明そのものとしては必ずしも必須の要件とはしなくてよく、実機においては本発明が対象とする技術的範囲の外部において設けられていれば充分である。
【０１３８】
また、番組情報受信手段１４と番組情報記録手段１５は本発明そのものとしては必須の要件ではない。番組情報記録媒体１６に対して何らかの方法で番組名を含む番組情報を格納すればよく、広義には番組情報を記録している番組情報記録媒体１６を何らかの手段で実機に接続するのでもよい。
【０１３９】
〔実施の形態８〕
本発明の実施の形態８に係る受信端末装置は、上記した実施の形態１〜７のいずれにも適用可能なものであって、出演者または単語の出現頻度計数手段において、トレンドキーワードのポイントを算出する際に、現在時刻からその番組の放映日時までの時間に基づいた重みを付けてポイントを算出するものである。
【０１４０】
以下では、本実施の形態８を実施の形態６に適用した場合の例を取り上げて説明する。図２８は本発明の実施の形態８に係る受信端末装置の構成を示すブロック図である。図２８において、１０は送信されてくる番組を受信する番組受信手段、１１は受信した番組を視聴するために画面に表示する映像表示手段、１２は受信した番組を記録（録画）するための番組記録手段、１３は番組記録手段１２によって記録が行われた番組を記録しておく番組記録媒体、１４は送信されてくる番組情報を受信する番組情報受信手段、１５は受信した番組情報を記録媒体に記録する番組情報記録手段、１６は番組情報を記録しておく番組情報記録媒体、１７は番組記録媒体１３に記録された番組の番組名および映像表示手段１１に表示された番組の番組名を記録していく番組名記録手段、６１は記録された番組情報から番組ジャンルがドラマ、歌番組など、その番組の出演者が時代のトレンドを表すジャンルに属する番組情報だけを選別する番組情報選別手段、６２は選別された番組情報の出演者情報から出演者の出現頻度をカウントする出演者出現頻度計数手段、６３はカウントされたユーザー視聴トレンドに係る出演者出現頻度情報を出現頻度に応じて記憶し管理するトレンド情報管理手段、６４は出現頻度順に従って図２０のようにユーザー視聴トレンドに係るトレンドとなっている出演者（氏名）であるトレンド出演者情報６６を画面２００に表示するためのトレンド情報表示手段、６５は画面に表示されているトレンド出演者情報６６の中からユーザーがリモコン操作などによる選択番号入力によって視聴したいと思う出演者（氏名）であるトレンド出演者情報６６を選択するためのトレンド情報選択手段である。そして、８１は番組情報記録媒体１６に記録されている番組情報からその番組の放映される予定となっている放映日時を読み出し、現在時刻と放映日時までの間にどれくらいの時間があるかを計算する放送開始迄予定経過時間計算手段、８２は計算された放送開始迄予定経過時間に応じてトレンド情報を計数する際の重みを計算する重み計算手段である。
【０１４１】
図２９は当該番組の放映日時前後の時間と重みの関係について示したものである。ユーザーがトレンドキーワードに基づく番組検索操作を行った時刻が番組放映時刻に近いほど重みが大きくなり、放映時刻から遠いほど重みは小さくなる。重み計算手段８２はこのような特性をもったテーブルを有している。
【０１４２】
以上のように構成された実施の形態８の受信端末装置の動作を図３０に示すフローチャートに従って、以下に説明する。この動作は実施の形態６（図１９）の場合の動作と比べて、重み付け処理を除いて基本的には同じであるが、ここでは念のため、再度詳しく説明する。
【０１４３】
ユーザーによるリモコン操作によりトレンド情報表示モードが選択されると、ステップＳ５１からの動作がスタートし、ステップＳ５１で図示しないＣＰＵ（中央演算処理装置）は番組情報記録媒体１６から番組名記録手段１７に記録されている番組視聴・録画に係るユーザー視聴トレンドに係る番組情報の読み出しを行う。この読み出しは番組情報テーブルの１つごとに行う。ステップＳ５２で番組情報選別手段６１は読み出した番組情報に対してジャンルのフィルタをかける。すなわち、読み出した番組情報のうちジャンルが時代のトレンドを表すジャンルであるドラマか歌番組となっている番組情報のみを選別する。ステップＳ５２でジャンルがドラマと歌番組のいずれかに属しているかどうかを判断し、属していないときは、その番組情報についてステップＳ５３以下の処理は放棄してステップＳ５１に戻り、次の番組情報テーブルからの番組情報の読み出しに進む（番組情報読み出しのインクリメントを行う）が、属しているときにはステップＳ５３に進む。なお、番組情報についてフィルタをかける時代のトレンドを表すジャンルの種類は任意である。ここでは、ドラマと歌番組を一例として取り上げている。
【０１４４】
ステップＳ５３〜Ｓ５７は出演者出現頻度計数手段６２とトレンド情報管理手段６３の協働によって処理される。実施の形態６の場合と相違するのは、ステップＳ５５ａが追加されている点である。ステップＳ５３でジャンルがドラマまたは歌番組に属している番組情報について本実施の形態８の場合のトレンドキーワードであるユーザー視聴トレンドに係る出演者キーワードを取り出し（出演者氏名を示すコードデータを抽出し）、ステップＳ５４でその出演者キーワードが出演者キーワードテーブルにすでに存在しているかどうかを判断する。その出演者キーワードが初回に取り出されたものであるときは、まだ出演者キーワードテーブルには存在していないから、ステップＳ５５に進んで新キーワードとして出演者キーワードテーブルに追加する。この出演者キーワードテーブルは出演者出現頻度計数手段６２とトレンド情報管理手段６３とに共通のものとして設定されている。
【０１４５】
ステップＳ５５において新キーワードとして出演者キーワードテーブルに追加された場合、あるいは、取り出した出演者キーワードがすでに出演者キーワードテーブルに存在している場合、いずれも、ステップＳ５５ａに進む。これが今回新たに付け加えられたステップである。すなわち、ステップＳ５５ａにおいて、放送開始迄予定経過時間計算手段８１は番組情報記録媒体１６に記録されている番組情報からその番組の放映される予定となっている放映日時を読み出し、現在時刻と放映日時までの間にどれくらいの時間があるか（放送開始迄予定経過時間）を計算し、重み計算手段８２は得られた放送開始迄予定経過時間に基づいて図２９に示す特性をもつテーブルを検索して重みを算出する。重み計算手段８２は求めた重みを出演者出現頻度計数手段６２に与える。
【０１４６】
次いで、ステップＳ５６に進むと、出演者出現頻度計数手段６２は、出演者キーワードに出現頻度としてのポイントを与えるが、このポイントを与えるときに、前記の重みを付加してポイントを与える。すなわち、現在時刻から放映時刻までの放送開始迄予定経過時間が短いほど大きい重みを与え、放送開始迄予定経過時間が長いほど小さい重みを与える。重みをｗで表すことにして、放送開始迄予定経過時間が例えば４８時間以上であるときは、重みｗ＝１を与え、出演者キーワードに与える出現頻度としてのポイントは、１×１＝１とする。また、放送開始迄予定経過時間が２４〜４８時間であるときは、重みｗ＝１．５を与え、出演者キーワードに与える出現頻度としてのポイントは、１×１．５＝１．５とする。また、放送開始迄予定経過時間が１２〜２４時間であるときは、重みｗ＝２を与え、出演者キーワードに与える出現頻度としてのポイントは、１×２＝２とする。さらに、放送開始迄予定経過時間が６〜１２時間であるときは、重みｗ＝２．５を与え、出演者キーワードに与える出現頻度としてのポイントは、１×２．５＝２．５とする。放送開始迄予定経過時間が６時間未満であるときは、重みｗ＝３を与え、出演者キーワードに与える出現頻度としてのポイントは、１×３＝３とする。これらの重み付けされたポイントを出演者キーワードのカウント値に加算する。
【０１４７】
次いで、ステップＳ５７に進んでこのルーチンにおいてＣＰＵによってまだ読み出されていない番組情報が番組名記録手段１７に存在しているかどうかを判断し、すべての番組情報についての読み出し・計数処理が終了していないときはステップＳ５１に戻り、以下、同様の処理を繰り返し実行する。以上により、番組情報記録媒体１６に記録されているユーザー視聴トレンドに係るすべての番組情報の中からドラマと歌番組のジャンルにおける出演者の出現回数をカウントする。
【０１４８】
番組情報記録媒体１６に記憶されているユーザー視聴トレンドに係るすべての番組情報について読み出し・計数処理が終了したときは、ステップＳ５８に進んでトレンド情報管理手段６３は出演者キーワードテーブルにおいて重み処理されたポイントの高い順に従って出演者キーワードをソートし、その結果を受け取ったトレンド情報表示手段６４はステップＳ５９において図２０に示すようにユーザー視聴トレンドに係るトレンド出演者情報６６を出現頻度の高い順にディスプレイの画面２００に表示する。
【０１４９】
以上のように重み処理されたポイントの高いものほど広い意味でのトレンドといえる。つまり、実際的な現在のトレンドをより正確に反映したユーザー視聴トレンドに係るトレンド出演者情報を提示することができる。
【０１５０】
なお、図２９で示した重みを与える曲線の形状は、番組に応じて適当に変化させてもよい。その場合は、番組案内情報の放映時間、ジャンルなどに応じて曲線パラメータを変化させてもよいし、番組案内情報に曲線パラメータをもたせても実現できる。
【０１５１】
なお、本実施の形態８に係る受信端末装置は実施の形態６の構成に放送開始迄予定経過時間計算手段８１と重み計算手段８２を付加した構成となっているが、本発明はこれに限定されるものではなく、他のすべての実施の形態１〜５および実施の形態７についても同様に放送開始迄予定経過時間計算手段８１と重み計算手段８２とを付加する構成とすることにより、この重み付け方法によるトレンドを得ることが可能となる。
【０１５２】
また、本実施の形態８においては実施の形態６に適用した場合を取り上げてユーザー視聴トレンドに係る出演者の出現頻度に対する重み処理に適用したが、本発明はこれに限定されるものではなく、ユーザー視聴トレンドに係る単語の出現頻度に対する重み処理に適用してもよい。さらに、ユーザー視聴トレンドに係るトレンド番組名表示の実施の形態、番組情報表示中にトレンド順位情報またはトレンド情報含有表示マークを表示する実施の形態、番組表表示中にトレンド順位情報またはトレンド情報含有表示マークを表示する実施の形態、ユーザー視聴トレンドに基づくユーザー視聴トレンドに係る番組の自動録画の実施の形態、および、その自動録画の際の空き領域不足のときのユーザー視聴トレンドの低い方からの番組廃棄の実施の形態に適用することも可能である。
【０１５３】
〔実施の形態９〕
本発明の実施の形態９に係る受信端末装置は、上記した実施の形態１〜７のいずれにも適用可能なものであって、出演者または単語の出現頻度計数手段において、トレンドキーワードのポイントを算出する際に、後述する番組パラメータに基づいた重みを付けてポイントを算出するものである。
【０１５４】
以下では、本実施の形態９を実施の形態６に適用した場合の例を取り上げて説明する。図３１は本発明の実施の形態９に係る受信端末装置の構成を示すブロック図である。図３１において、符号の１０から１７までと６１から６５までは実施の形態６（図１７）と同一符号は同一構成を示すが、再度説明すると、１０は送信されてくる番組を受信する番組受信手段、１１は受信した番組を視聴するために画面に表示する映像表示手段、１２は受信した番組を記録（録画）するための番組記録手段、１３は番組記録手段１２によって記録が行われた番組を記録しておく番組記録媒体、１４は送信されてくる番組情報を受信する番組情報受信手段、１５は受信した番組情報を記録媒体に記録する番組情報記録手段、１６は番組情報を記録しておく番組情報記録媒体、１７は番組記録媒体１３に記録された番組の番組名および映像表示手段１１に表示された番組の番組名を記録していく番組名記録手段、６１は記録された番組情報から番組ジャンルがドラマ、歌番組など、その番組の出演者が時代のトレンドを表すジャンルに属する番組情報だけを選別する番組情報選別手段、６２は選別された番組情報の出演者情報から出演者の出現頻度をカウントする出演者出現頻度計数手段、６３はカウントされたユーザー視聴トレンドに係る出演者出現頻度情報を出現頻度に応じて記憶し管理するトレンド情報管理手段、６４は出現頻度順に従って図２０のようにユーザー視聴トレンドに係るトレンドとなっている出演者（氏名）であるトレンド出演者情報６６を画面２００に表示するためのトレンド情報表示手段、６５は画面に表示されているトレンド出演者情報６６の中からユーザーがリモコン操作などによる選択番号入力によって視聴したいと思う出演者（氏名）であるトレンド出演者情報６６を選択するためのトレンド情報選択手段である。そして、８３は番組情報記録媒体１６中の番組情報から番組パラメータである放映時間帯および番組長さを読み出す番組パラメータ抽出手段、８４はその読み出された放映時間帯および番組長さに基づいてユーザー視聴トレンドに係るトレンド情報を計数する際の重みを計算する重み計算手段である。
【０１５５】
番組は普通、視聴者の多いいわゆるゴールデンタイムに放映する方が社会的影響が大きいし、放送局側も力を入れている番組は視聴者の多い時間帯に放映する。したがって、トレンドキーワードの計数の際に放映時間帯によって重みを付ける。図３２にその一例を示す。また、１つの番組でも番組長さ（放映時間）が長いものの方がトレンドキーワードの出演者やトピックが現れる場面が多いので、番組長さ（放映時間）が長いものほど高い重みを付ける。
【０１５６】
次に、以上のように構成された実施の形態９の受信端末装置の動作を図３３に示すフローチャートに従って説明すると、ステップＳ５１からステップＳ５９までは実施の形態６（図１９）の場合と同様であり、ステップＳ５４およびステップＳ５５とステップＳ５６との間にステップＳ５５ｂが挿入されている点が異なる。すなわち、ステップＳ５５ｂにおいて、番組パラメータ抽出手段８３は番組情報記録媒体１６に記録されている番組パラメータとしての放映時間帯および番組長さを読み出し、重み計算手段８４はそれら放映時間帯および番組長さに基づいてユーザー視聴トレンドに係るトレンド情報を計数する際の重みを算出する。重み計算手段８４は求めた重みを出演者出現頻度計数手段６２に与える。あとの処理は、実施の形態８の場合と同様に進める。
【０１５７】
以上のように放映時間帯や番組長さによる重み処理をされたポイントの高いものほど広い意味でのユーザー視聴トレンドといえる。つまり、実際的な現在のトレンドをより正確に反映したユーザー視聴トレンドに係るトレンド出演者情報を提示することができる。
【０１５８】
なお、トレンドキーワードのポイントを算出するに際して、上記の例では重み付けの基礎をその番組の放映時間帯および番組長さを番組パラメータとしたが、これ以外に、１週間のうち何日間同じ番組が放映されているかなどの番組パラメータに基づいて重みを付けてポイントを算出するようにしてもよい。
【０１５９】
さらに、毎日同じ時間帯で放映される連続もののドラマを考えると、その出演者のカウント数は著しく増加し、世の中のトレンド現状に則さなくなることが考えられるので、連続ドラマなどの場合のトレンドキーワードの計数については重みを小さくするのが好ましい。
【０１６０】
なお、本実施の形態９に係る受信端末装置は実施の形態６の構成に番組パラメータ抽出手段８３と重み計算手段８４を付加した構成となっているが、本発明はこれに限定されるものではなく、他のすべての実施の形態１〜５および実施の形態７についても同様に番組パラメータ抽出手段８３と重み計算手段８４とを付加する構成とすることにより、この重み付け方法によるトレンドを得ることが可能となる。
【０１６１】
また、本実施の形態９においては実施の形態６に適用した場合を取り上げてユーザー視聴トレンドに係る出演者の出現頻度に対する重み処理に適用したが、本発明はこれに限定されるものではなく、ユーザー視聴トレンドに係る単語の出現頻度に対する重み処理に適用してもよい。さらに、ユーザー視聴トレンドに係るトレンド番組名表示の実施の形態、番組情報表示中にトレンド順位情報またはトレンド情報含有表示マークを表示する実施の形態、番組表表示中にトレンド順位情報またはトレンド情報含有表示マークを表示する実施の形態、ユーザー視聴トレンドに基づくユーザー視聴トレンドに係る番組の自動録画の実施の形態、および、その自動録画の際の空き領域不足のときのユーザー視聴トレンドの低い方かの番組廃棄の実施の形態に適用することも可能である。
【０１６２】
〔実施の形態１０〕
本発明の実施の形態１０に係る受信端末装置は、上記した実施の形態１〜７のいずれにも適用可能なものであって、出演者または単語の出現頻度計数手段において、トレンドキーワードのポイントを算出する際に、その番組の初回放送日から現在までの経過時間に基づいた重みを付けてポイントを算出するものである。
【０１６３】
以下では、本実施の形態１０を実施の形態６に適用した番組の例を取り上げて説明する。図３４は本発明の実施の形態１０に係る受信端末装置の構成を示すブロック図である。図３４において、１０は送信されてくる番組を受信する番組受信手段、１１は受信した番組を視聴するために画面に表示する映像表示手段、１２は受信した番組を記録（録画）するための番組記録手段、１３は番組記録手段１２によって記録が行われた番組を記録しておく番組記録媒体、１４は送信されてくる番組情報を受信する番組情報受信手段、１５は受信した番組情報を記録媒体に記録する番組情報記録手段、１６は番組情報を記録しておく番組情報記録媒体、１７は番組記録媒体１３に記録された番組の番組名および映像表示手段１１に表示された番組の番組名を記録していく番組名記録手段、６１は記録された番組情報から番組ジャンルがドラマ、歌番組など、その番組の出演者が時代のトレンドを表すジャンルに属する番組情報だけを選別する番組情報選別手段、６２は選別された番組情報の出演者情報から出演者の出現頻度をカウントする出演者出現頻度計数手段、６３はカウントされたユーザー視聴トレンドに係る出演者出現頻度情報を出現頻度に応じて記憶し管理するトレンド情報管理手段、６４は出現頻度順に従って図２０のようにユーザー視聴トレンドに係るトレンド出演者情報６６を画面２００に表示するためのトレンド情報表示手段、６５は画面に表示されているトレンド出演者情報６６の中からユーザーがリモコン操作などによる選択番号入力によって視聴したいと思う出演者（氏名）であるトレンド出演者情報６６を選択するためのトレンド情報選択手段である。そして、８５は番組情報記録媒体１６中の番組情報からその番組の初回放送日の放映時刻を読み出して、その放映時刻から現在時刻までの経過時間を算出する再放送経過時間計算手段、８６はその算出された経過時間に基づいてユーザー視聴トレンドに係るトレンド情報を計数する際の重みを計算する重み計算手段である。
【０１６４】
本実施の形態１０では再放送の番組であるかどうかを考慮に入れるため、図３５に示すように番組情報記録媒体１６における番組情報テーブル１６ｄには、番組名、放映日時、チャンネル、出演者、ジャンルのほかに、初回放送日の情報が含まれている。
【０１６５】
番組が再放送されるのは、依然その番組に対する人気があるからである。しかし、出演者やトピックが当時のトレンドを示すものではあっても、本放送からの時間が経過するほど、現在のトレンドを示すものにはなりにくくなる。このため、図３６に示すように、時間を横軸にとり、本放送時からの時間経過がたつほど小さくなる重みの特性を重み計算手段８６のテーブルにもたせてある。
【０１６６】
次に、以上のように構成された実施の形態１０の受信端末装置の動作を図３７に示すフローチャートに従って説明すると、ステップＳ５１からステップＳ５９までは実施の形態６（図１９）の場合と同様であり、ステップＳ５４およびステップＳ５５とステップＳ５６との間にステップＳ５５ｃが挿入されている点が異なる。すなわち、ステップＳ５５ｃにおいて、再放送経過時間計算手段８５は番組情報記録媒体１６の番組情報テーブル１６ｄの番組情報からその番組の初回放送日と放映日時の情報を読み出して、その放映時刻から現在時刻までの経過時間を算出し、重み計算手段８６はその算出された経過時間に基づいてユーザー視聴トレンドに係るトレンド情報を計数する際の重みを算出する。重み計算手段８６は求めた重みを出演者出現頻度計数手段６２に与える。あとの処理は、実施の形態８の場合と同様に進める。
【０１６７】
以上のように、再放送の番組の場合の本放送からの経過時間による重み処理をされたポイントの高いものほど広い意味でのトレンドといえる。つまり、実際的なユーザー視聴トレンドをより正確に反映したユーザー視聴トレンドに係るトレンド出演者情報を提示することができる。
【０１６８】
なお、図３６で示した重みを与える曲線の形状を番組に応じて変化させてもよい。その場合は、番組案内情報の放映時間、ジャンルなどに応じて曲線パラメータを変化させてもよいし、番組案内情報に曲線パラメータをもたせても実現できる。
【０１６９】
なお、番組情報としては初回放送日の代わりに何回目の再放送かの情報があってもよい。比較的短いタイムスパンの間に何度も同じ番組の再放送をすると、次第にそのありがたみを感じなくなる。これより、回を重ねるごとに計数の際の重みは減少させるように構成することも考えられる。
【０１７０】
なお、本実施の形態１０に係る受信端末装置は実施の形態６の構成に再放送経過時間計算手段８５と重み計算手段８６を付加した構成となっているが、本発明はこれに限定されるものではなく、他のすべての実施の形態１〜５および実施の形態７についても同様に再放送経過時間計算手段８５と重み計算手段８６とを付加する構成とすることにより、この重み付け方法によるトレンドを得ることが可能となる。
【０１７１】
また、本実施の形態１０においては実施の形態６に適用した場合を取り上げてユーザー視聴トレンドに係る出演者の出現頻度に対する重み処理に適用したが、本発明はこれに限定されるものではなく、ユーザー視聴トレンドに係る単語の出現頻度に対する重み処理に適用してもよい。さらに、ユーザー視聴トレンドに係るトレンド番組名表示の実施の形態、番組情報表示中にトレンド順位情報またはトレンド情報含有表示マークを表示する実施の形態、番組表表示中にトレンド順位情報またはトレンド情報含有表示マークを表示する実施の形態、ユーザー視聴トレンドに基づくユーザー視聴トレンドに係る番組の自動録画の実施の形態、および、その自動録画の際の空き領域不足のときのユーザー視聴トレンドの低い方からの番組廃棄の実施の形態に適用することも可能である。
【０１７２】
〔実施の形態１１〕
本発明の実施の形態１１に係る受信端末装置は、上記した実施の形態１〜７のいずれにも適用可能なものであって、出演者または単語の出現頻度計数手段において、トレンドキーワードのポイントを算出する際に、視聴率に基づいた重みを付けてポイントを算出するものである。
【０１７３】
以下では、本実施の形態１１を実施の形態６に適用した場合の例を取り上げて説明する。図３８は本発明の実施の形態１１に係る受信端末装置の構成を示すブロック図である。図３８において、１０は送信されてくる番組を受信する番組受信手段、１１は受信した番組を視聴するために画面に表示する映像表示手段、１２は受信した番組を記録（録画）するための番組記録手段、１３は番組記録手段１２によって記録が行われた番組を記録しておく番組記録媒体、１４は送信されてくる番組情報を受信する番組情報受信手段、１５は受信した番組情報を記録媒体に記録する番組情報記録手段、１６は番組情報を記録しておく番組情報記録媒体、１７は番組記録媒体１３に記録された番組の番組名および映像表示手段１１に表示された番組の番組名を記録していく番組名記録手段、６１は記録された番組情報から番組ジャンルがドラマ、歌番組など、その番組の出演者が時代のトレンドを表すジャンルに属する番組情報だけを選別する番組情報選別手段、６２は選別された番組情報の出演者情報から出演者の出現頻度をカウントする出演者出現頻度計数手段、６３はカウントされたユーザー視聴トレンドに係る出演者出現頻度情報を出現頻度に応じて記憶し管理するトレンド情報管理手段、６４は出現頻度順に従って図２０のようにトレンドとなっている出演者（氏名）であるトレンド出演者情報６６を画面２００に表示するためのトレンド情報表示手段、６５は画面に表示されているトレンド出演者情報６６の中からユーザーがリモコン操作などによる選択番号入力によって視聴したいと思う出演者（氏名）であるトレンド出演者情報６６を選択するためのトレンド情報選択手段である。そして、８７は番組情報記録媒体１６中の番組情報から視聴率情報を読み出す視聴率読み出し手段、８８はその読み出された視聴率に基づいてトレンド情報を計数する際の重みを計算する重み計算手段である。
【０１７４】
ある番組が毎週あるいは毎日放送されている番組には視聴率の情報が得られる。そこで、図３９に示すように番組情報記録媒体１６の番組情報テーブル１６ｅにおいて、番組名、放映日時、チャンネル、出演者、ジャンルのほかに前回視聴率の情報が含まれている。
【０１７５】
視聴率が高いほど、その番組はトレンドが高い。そこで、図４０に示すように視聴率が高いほど重みが大きくなる特性を重み計算手段８８のテーブルにもたせてある。
【０１７６】
次に、以上のように構成された実施の形態１１の受信端末装置の動作を図４１に示すフローチャートに従って説明すると、ステップＳ５１からステップＳ５９までは実施の形態６（図１９）の場合と同様であり、ステップＳ５４およびステップＳ５５とステップＳ５６との間にステップＳ５５ｄが挿入されている点が異なる。すなわち、ステップＳ５５ｄにおいて、視聴率読み出し手段８７は番組情報記録媒体１６の番組情報テーブル１６ｅの番組情報からその前回視聴率を読み出し、重み計算手段８８はその前回視聴率に基づいてトレンド情報を計数する際の重みを算出する。重み計算手段８８は求めた重みを出演者出現頻度計数手段６２に与える。あとの処理は、実施の形態８の場合と同様に進める。
【０１７７】
以上のように、視聴率による重み処理をされたポイントの高いものほどユーザー視聴トレンドが高いといえる。つまり、実際的な現在のユーザー視聴トレンドをより正確に反映したユーザー視聴トレンドに係るトレンド出演者情報を提示することができる。
【０１７８】
なお、本実施の形態１１に係る受信端末装置は実施の形態６の構成に視聴率読み出し手段８７と重み計算手段８８を付加した構成となっているが、本発明はこれに限定されるものではなく、他のすべての実施の形態１〜５および実施の形態７についても同様に視聴率読み出し手段８７と重み計算手段８８とを付加する構成とすることにより、この重み付け方法によるトレンドを得ることが可能となる。
【０１７９】
また、本実施の形態１１においては実施の形態６に適用した場合を取り上げてユーザー視聴トレンドに係る出演者の出現頻度に対する重み処理に適用したが、本発明はこれに限定されるものではなく、ユーザー視聴トレンドに係る単語の出現頻度に対する重み処理に適用してもよい。さらに、ユーザー視聴トレンドに係るトレンド番組名表示の実施の形態、番組情報表示中にトレンド順位情報またはトレンド情報含有表示マークを表示する実施の形態、番組表表示中にトレンド順位情報またはトレンド情報含有表示マークを表示する実施の形態、ユーザー視聴トレンドに基づくユーザー視聴トレンドに係る番組の自動録画の実施の形態、および、その自動録画の際の空き領域不足のときのユーザー視聴トレンドの低い方からの番組廃棄の実施の形態に適用することも可能である。
【０１８０】
〔実施の形態１２〕
図４２は本発明の実施の形態１２に係る受信端末装置の構成を示すブロック図である。図４２において、１０は送信されてくる番組を受信する番組受信手段、１１は受信した番組を視聴するために画面に表示する映像表示手段、１２は受信した番組を記録（録画）するための番組記録手段、１３は番組記録手段１２によって記録が行われた番組を記録しておく番組記録媒体、１４は送信されてくる番組情報を受信する番組情報受信手段、１５は受信した番組情報を記録媒体に記録する番組情報記録手段、１６は番組情報を記録しておく番組情報記録媒体、１７は番組記録媒体１３に記録された番組の番組名および映像表示手段１１に表示された番組の番組名を記録していく番組名記録手段、６１は記録された番組情報から番組ジャンルがドラマ、歌番組など、その番組の出演者が時代のトレンドを表すジャンルに属する番組情報だけを選別する番組情報選別手段、６２は選別された番組情報の出演者情報から出演者の出現頻度をカウントする出演者出現頻度計数手段、６３はカウントされた出演者出現頻度情報を出現頻度に応じて記憶し管理するトレンド情報管理手段、６４は出現頻度順に従って図２０のようにトレンドとなっている出演者（氏名）であるトレンド出演者情報６６を画面２００に表示するためのトレンド情報表示手段、６５は画面に表示されているトレンド出演者情報６６の中からユーザーがリモコン操作などによる選択番号入力によって視聴したいと思う出演者（氏名）であるトレンド出演者情報６６を選択するためのトレンド情報選択手段である。そして、８９は記録モードに入ったときに番組記録媒体１３の空き領域が充分でないときに、番組記録媒体１３にすでに記録されている番組であってユーザー視聴トレンドに係るトレンド順位が下位であった出演者の番組を番組記録媒体１３から消去廃棄する番組廃棄手段である。また、９０は番組記録媒体１３に記録されている番組を既に視聴したか未だ視聴していないかの情報を記録しておく視聴記録手段としての番組未既視聴記録手段である。
【０１８１】
本実施の形態１２は、すでに説明した番組廃棄手段５１をもつ実施の形態５（図１５）の変形の実施の形態であり、番組記録媒体１３に記録されている番組を消去廃棄する必要が生じたときに、トレンド情報だけではなく、記録された番組が誰かに見られているかどうかによって廃棄の優先順位を決定しようとするものである。
【０１８２】
番組情報記録媒体１６の番組情報テーブルに格納されている番組情報は、実施の形態６（図１８）と同じく、番組名、放映日時、チャンネル、番組の主要な出演者（氏名）、番組のジャンルである。記録された番組が既に視聴されたか否かの情報は上記のとおり番組未既視聴記録手段９０に格納されている。
【０１８３】
以上のように構成された実施の形態１２の受信端末装置の動作を図４３、図４４に示すフローチャートに従って、以下に説明する。
【０１８４】
ステップＳ８１〜Ｓ８８は、実施の形態６（図１９）の場合のステップＳ５１〜Ｓ５８と同様である。簡単に説明すると、番組情報記録媒体１６から番組情報の読み出しを行い、ジャンルがドラマか歌番組であるときに出演者キーワードをカウントし、トレンド情報管理手段６３において出現頻度順に従ってユーザー視聴トレンドに係る出演者キーワードをソートし、記憶・管理している。
【０１８５】
ただし、実施の形態４の自動記録モードの場合に、番組記録媒体１３の空き領域が充分でないとの判断がなされたときに、ステップＳ８１からの動作がスタートする。
【０１８６】
トレンド情報管理手段６３によるソートの次のステップＳ８９でトレンド情報管理手段６３はカレントキーワードとしてユーザー視聴トレンドに係わって出現頻度の最も低い出演者キーワードを設定する。ステップＳ９０で番組廃棄手段８９は番組未既視聴記録手段９０をアクセスして番組記録媒体１３中にカレントキーワードに係る番組が視聴済みであるかどうかを判断し、まだ視聴されていないときはカレントキーワードとして次に出現頻度の低いユーザー視聴トレンドに係る出演者キーワードを設定してステップＳ９０に戻る。そのカレントキーワードに係る番組が視聴済みのときはステップＳ９１に進み、番組廃棄手段８９は番組記録媒体１３からそのカレントキーワードに係る番組を消去廃棄する。次いで、ステップＳ９２で図１４のステップＳ３９の番組の記録を行うのに充分な空き領域が番組記録媒体１３に確保されたか否かを判断し、まだ充分でないと判断したときはカレントキーワードとして次に出現頻度の低いユーザー視聴トレンドに係る出演者キーワードを設定して、ステップＳ９０に進み、以下同様の動作を繰り返す。番組記録媒体１３において空き領域が充分に確保されたときには、このルーチンを終了する。
【０１８７】
以上のようにして、番組記録媒体１３において空き領域が不足している場合には、ユーザー視聴トレンドに係るトレンド順位の低い出演者が出演している番組であってかつ既に視聴済みである番組を優先して消去廃棄する。
【０１８８】
本実施の形態１２の受信端末装置によれば、自動記録モードになったときに、番組記録媒体１３に空き領域が充分に確保されていないときは、ユーザー視聴トレンドに係るトレンド順位の低い出演者が出演している番組であってかつ既に視聴済みである番組から順に番組記録媒体１３から消去廃棄するので、番組記録媒体１３において空き領域を充分に確保して、次に放送されるトレンド順位の高い出演者が出演している番組を自動的に番組記録媒体１３に記録することができ、トレンド番組を見落とすのを確実に防止することができる。また、折角記録しておいた番組が誰にも視聴されることなく消去廃棄されることを防止することができる。
【０１８９】
なお、ジャンルの選別に当たって、前述同様にそのジャンルの出演者が時代、世相を反映したトレンドと考えられ得る任意のジャンルについてトレンドキーワードの計数の対象としてよい。また、このような選別を行わずに、すべてのジャンルにおいて出演者出現頻度をカウントする場合も本発明は実施の形態として含むものとする。
【０１９０】
また、番組情報受信手段１４と番組情報記録手段１５は本発明そのものとしては必須の要件ではない。番組情報記録媒体１６に対して何らかの方法で番組名を含む番組情報を格納すればよく、広義には番組情報を記録している番組情報記録媒体１６を何らかの手段で実機に接続するのでもよい。
【０１９１】
また、本実施の形態１２においてはユーザー視聴トレンドに係る番組の廃棄処理についてユーザー視聴トレンドに係る出演者の出現頻度に対する重み処理に適用したが、本発明はこれに限定されるものではなく、ユーザー視聴トレンドに係る番組の自動録画および番組の廃棄処理を前提として、ユーザー視聴トレンドに係る単語の出現頻度に対する重み処理に適用してもよい。さらに、ユーザー視聴トレンドに係るトレンド番組名表示の実施の形態、番組情報表示中にトレンド順位情報またはトレンド情報含有表示マークを表示する実施の形態、および、番組表表示中にトレンド順位情報またはトレンド情報含有表示マークを表示する実施の形態に適用することも可能である。
【０１９２】
【発明の効果】
本発明によると、番組毎に番組に関する情報の出現頻度を計数したり、または、読み出した出演者情報において、出演者毎に出現頻度を計数したり、あるいは、読み出した番組内容情報において、キーワードを切り出し、その出現頻度を計数したりし、この計数した出現頻度に応じてユーザの視聴トレンドを管理するので、ユーザは、非常に多数の番組の中からユーザー自身の視聴トレンドに該当する番組を容易に見つけ出すことができる。
【図面の簡単な説明】
【図１】  本発明の実施の形態１に係る受信端末装置の構成を示すブロック図である。
【図２】  実施の形態１における番組情報記録媒体の番組情報テーブルでの番組情報格納状態図である。
【図３】  実施の形態１の受信端末装置の動作を説明するフローチャートである。
【図４】  実施の形態１におけるトレンド番組名情報の表示状態図である。
【図５】  本発明の実施の形態２に係る受信端末装置の構成を示すブロック図である。
【図６】  実施の形態２の受信端末装置の動作を説明するフローチャートである。
【図７】  実施の形態２においてトレンド順位情報を含む状態で番組情報を表示している表示状態図である。
【図８】  実施の形態２においてトレンド情報含有表示マークを含む状態で番組情報を表示している表示状態図である。
【図９】  本発明の実施の形態３に係る受信端末装置の構成を示すブロック図である。
【図１０】  実施の形態３の受信端末装置の動作を説明するフローチャートである。
【図１１】  実施の形態３においてトレンド順位情報を含む状態で番組表を表示している表示状態図である。
【図１２】  実施の形態３においてトレンド情報含有表示マークを含む状態で番組表を表示している表示状態図である。
【図１３】  本発明の実施の形態４に係る受信端末装置の構成を示すブロック図である。
【図１４】  実施の形態４の受信端末装置の動作を説明するフローチャートである。
【図１５】  本発明の実施の形態５に係る受信端末装置の構成を示すブロック図である。
【図１６】  実施の形態５の受信端末装置の動作を説明するフローチャートである。
【図１７】  本発明の実施の形態６に係る受信端末装置の構成を示すブロック図である。
【図１８】  実施の形態２における番組情報記録媒体の番組情報テーブルでの番組情報格納状態図である。
【図１９】  実施の形態６の受信端末装置の動作を説明するフローチャートである。
【図２０】  実施の形態６におけるトレンド出演者情報の表示状態図である。
【図２１】  実施の形態６における番組選択のための初期メニューの表示状態図である。
【図２２】  本発明の実施の形態７に係る受信端末装置の構成を示すブロック図である。
【図２３】  実施の形態７における番組情報記録媒体の番組情報テーブルでの番組情報格納状態図である。
【図２４】  実施の形態７の受信端末装置の動作を説明するフローチャートである。
【図２５】  実施の形態７の受信端末装置の動作を説明するフローチャートである。
【図２６】  実施の形態７におけるトレンド単語情報の表示状態図である。
【図２７】  実施の形態７における番組選択のための初期メニューの表示状態図である。
【図２８】  本発明の実施の形態８に係る受信端末装置の構成を示すブロック図である。
【図２９】  実施の形態８における番組の放映日時前後の時間とトレンドキーワード計数の際の重みの関係を示す特性図である。
【図３０】  実施の形態８の受信端末装置の動作を説明するフローチャートである。
【図３１】  本発明の実施の形態９に係る受信端末装置の構成を示すブロック図である。
【図３２】  実施の形態９における番組の放映時間帯とトレンドキーワード計数の際の重みの関係を示す特性図である。
【図３３】  実施の形態９の受信端末装置の動作を説明するフローチャートである。
【図３４】  本発明の実施の形態１０に係る受信端末装置の構成を示すブロック図である。
【図３５】  実施の形態１０における番組情報記録媒体の番組情報テーブルでの番組情報格納状態図である。
【図３６】  実施の形態１０における番組の本放送時からの経過時間とトレンドキーワード計数の際の重みの関係を示す特性図である。
【図３７】  実施の形態１０の受信端末装置の動作を説明するフローチャートである。
【図３８】  本発明の実施の形態１１に係る受信端末装置の構成を示すブロック図である。
【図３９】  実施の形態１１における番組情報記録媒体の番組情報テーブルでの番組情報格納状態図である。
【図４０】  実施の形態１１における番組の前回視聴率とトレンドキーワード計数の際の重みの関係を示す特性図である。
【図４１】  実施の形態１１の受信端末装置の動作を説明するフローチャートである。
【図４２】  本発明の実施の形態１２に係る受信端末装置の構成を示すブロック図である。
【図４３】  実施の形態１２の受信端末装置の動作を説明するフローチャートである。
【図４４】  実施の形態１２の受信端末装置の動作を説明するフローチャートである。
【符号の説明】
１０……番組受信手段
１１……映像表示手段
１２……番組記録手段
１３……番組記録媒体
１４……番組情報受信手段
１５……番組情報記録手段
１６……番組情報記録媒体
１６ａ，１６ｂ，１６ｃ，１６ｄ，１６ｅ……番組情報テーブル
１７……番組名記録手段
１８……番組名出現頻度計数手段
１９，６３，７５……トレンド情報管理手段
２０，６４，７６……トレンド情報表示手段
２１，６５，７７……トレンド情報選択手段
２２……ユーザー自身に係るトレンド番組名情報
３１……番組情報表示手段
３２，４２……トレンド情報含有表示手段
３３……番組情報
３４，４４……ユーザー視聴トレンドに係るトレンド順位情報
３５，４５……ユーザー視聴トレンドに係るトレンド情報含有表示マーク
４１……番組表表示手段
４３……番組表
５１，８９……番組廃棄手段
６１，７１……番組情報選別手段
６２……出演者出現頻度計数手段
６６……トレンド出演者情報
７２……単語切り出し手段
７３……単語出現頻度計数手段
７４……類似単語併合手段
７８……トレンド単語情報
８１……放送開始迄予定経過時間計算手段
８２，８４，８６，８８……重み計算手段
８３……番組パラメータ抽出手段
８５……再放送経過時間計算手段
８７……視聴率読み出し手段
９０……番組未既視聴記録手段
２００……画面
【図１】
0003797709.tif 000002
【図２】
0003797709.tif 000003
【図３】
0003797709.tif 000004
【図４】
0003797709.tif 000005
【図５】
0003797709.tif 000006
【図６】
0003797709.tif 000007
【図７】
0003797709.tif 000008
【図８】
0003797709.tif 000009
【図９】
0003797709.tif 000010
【図１０】
0003797709.tif 000011
【図１１】
0003797709.tif 000012
【図１２】
0003797709.tif 000013
【図１３】
0003797709.tif 000014
【図１４】
0003797709.tif 000015
【図１５】
0003797709.tif 000016
【図１６】
0003797709.tif 000017
【図１７】
0003797709.tif 000018
【図１８】
0003797709.tif 000019
【図１９】
0003797709.tif 000020
【図２０】
0003797709.tif 000021
【図２１】
0003797709.tif 000022
【図２２】
0003797709.tif 000023
【図２３】
0003797709.tif 000024
【図２４】
0003797709.tif 000025
【図２５】
0003797709.tif 000026
【図２６】
0003797709.tif 000027
【図２７】
0003797709.tif 000028
【図２８】
0003797709.tif 000029
【図２９】
0003797709.tif 000030
【図３０】
0003797709.tif 000031
【図３１】
0003797709.tif 000032
【図３２】
0003797709.tif 000033
【図３３】
0003797709.tif 000034
【図３４】
0003797709.tif 000035
【図３５】
0003797709.tif 000036
【図３６】
0003797709.tif 000037
【図３７】
0003797709.tif 000038
【図３８】
0003797709.tif 000039
【図３９】
0003797709.tif 000040
【図４０】
0003797709.tif 000041
【図４１】
0003797709.tif 000042
【図４２】
0003797709.tif 000043
【図４３】
0003797709.tif 000044
【図４４】
0003797709.tif 000045